(57)【要約】【課題】基地局と端末が通信する通信システムにおいて、基地局と端末が効率的に通信することができる端末、基地局、通信方法、集積回路を提供する。【解決手段】少なくとも１つの基地局と通信を行う端末であって、下りリンク制御情報（ＤＣＩ）フォーマットからサウンディング参照信号（ＳＲＳ）の送信を要求するか否かを指示するフィールドを検出する手段と、第１のＤＣＩフォーマットにおいて、前記フィールドが前記ＳＲＳの送信要求を指示している場合、前記ＳＲＳの基準系列を第１のパラメータに基づいて生成する手段と、第２のＤＣＩフォーマットにおいて、前記フィールドが前記ＳＲＳの送信要求を指示している場合、前記ＳＲＳの基準系列を第２のパラメータに基づいて生成する手段と、を有する。【選択図】図５
2013236289.tif 000002
【特許請求の範囲】
【請求項１】
少なくとも１つの基地局と通信を行なう端末であって、
下りリンク制御情報（ＤＣＩ）フォーマットからサウンディング参照信号（ＳＲＳ）の送信を要求するか否かを指示するフィールドを検出する手段と、
第１のＤＣＩフォーマットにおいて、前記フィールドが前記ＳＲＳの送信要求を指示している場合、前記ＳＲＳの基準系列を第１のパラメータに基づいて生成する手段と、
第２のＤＣＩフォーマットにおいて、前記フィールドが前記ＳＲＳの送信要求を指示している場合、前記ＳＲＳの基準系列を第２のパラメータに基づいて生成する手段と、を有する
ことを特徴とする端末。
【請求項２】
前記第１のＤＣＩフォーマットにおいて、前記フィールドが前記ＳＲＳの送信要求を指示している場合、前記ＳＲＳの周波数ホッピングパターンを第１のホッピング帯域幅に基づいて設定する手段と、
前記第２のＤＣＩフォーマットにおいて、前記フィールドが前記ＳＲＳの送信要求を指示している場合、前記ＳＲＳの周波数ホッピングパターンを第２のホッピング帯域幅に基づいて設定する手段と、有する
ことを特徴とする請求項１に記載の端末。
【請求項３】
前記第１のホッピング帯域幅を無線リソース制御信号に基づいて送信要求が指示されるＳＲＳの周波数ホッピングパターンに対して設定することを特徴とする請求項２に記載の端末。
【請求項４】
前記第１のＤＣＩフォーマットにおいて、前記フィールドが前記ＳＲＳの送信要求を指示している場合、前記ＳＲＳの送信電力を第１の送信電力制御に基づいてセットする手段と、
前記第２のＤＣＩフォーマットにおいて、前記フィールドが前記ＳＲＳの送信要求を指示している場合、前記ＳＲＳの送信電力を第２の送信電力制御に基づいてセットする手段と、有する
ことを特徴とする請求項１に記載の端末。
【請求項５】
前記第１の送信電力制御を前記第１のＤＣＩフォーマットにセットされた送信電力制御（ＴＰＣ）コマンドに基づいて行う手段と、
前記第２の送信電力制御を前記第２のＤＣＩフォーマットにセットされたＴＰＣコマンドに基づいて行う手段と、を有する
ことを特徴とする請求項４に記載の端末。
【請求項６】
前記第１のパラメータおよび／または前記第２のパラメータと物理上りリンク共用チャネル（ＰＵＳＣＨ）の復調参照信号（ＤＭＲＳ）の基準系列に使用されるパラメータとが同じ場合、前記ＳＲＳの送信電力制御を前記ＰＵＳＣＨのＴＰＣコマンドに基づいて行なうことを特徴とする請求項１に記載の端末。
【請求項７】
前記第１のパラメータおよび／または前記第２のパラメータと前記ＰＵＳＣＨのＤＭＲＳの基準系列の生成に使用されるパラメータとが異なる場合、前記ＳＲＳの送信電力制御を前記ＳＲＳに対するＴＰＣコマンドに基づいて行なうことを特徴とする請求項１に記載の端末。
【請求項８】
前記第１のパラメータおよび／または前記第２のパラメータと物理上りリンク制御チャネル（ＰＵＣＣＨ）の復調参照信号（ＤＭＲＳ）の基準系列の生成に使用されるパラメータとが同じ場合、前記ＳＲＳの送信電力制御を前記ＰＵＣＣＨのＴＰＣコマンドに基づいて行なうことを特徴とする請求項１に記載の端末。
【請求項９】
前記第１のパラメータおよび／または前記第２のパラメータと前記ＰＵＣＣＨのＤＭＲＳの基準系列に使用されるパラメータとが異なる場合、前記ＳＲＳの送信電力制御を前記ＳＲＳのＴＰＣコマンドに基づいて行なうことを特徴とする請求項１に記載の端末。
【請求項１０】
前記第１のＤＣＩフォーマットは前記ＰＵＳＣＨのスケジューリングを行なう上りリンクグラントであり、前記第２のＤＣＩフォーマットは物理下りリンク共用チャネルのスケジューリングを行なう下りリンクアサインメントであることを特徴とする請求項１に記載の端末。
【請求項１１】
前記第１のパラメータは、前記第１のＤＣＩフォーマットを検出した制御チャネルに使用されるパラメータから推定し、前記第２のパラメータは、前記第２のＤＣＩフォーマットを検出した制御チャネルに使用されるパラメータから推定することを特徴とする請求項１に記載の端末。
【請求項１２】
端末と通信を行なう基地局であって、
第１の下りリンク制御情報（ＤＣＩ）フォーマットに対応する第１のパラメータをセットし、前記端末へ通知する手段と、
第２のＤＣＩフォーマットに対応する第２のパラメータをセットし、前記端末へ通知する手段と、を有する
ことを特徴とする基地局。
【請求項１３】
前記第１のＤＣＩフォーマットに対応する第１のホッピング帯域幅をセットし、前記端末へ通知する手段と、
前記第２のＤＣＩフォーマットに対応する第２のホッピング帯域幅をセットし、前記端末へ通知する手段と、を有する
ことを特徴とする請求項１２に記載の基地局。
【請求項１４】
前記第１のパラメータと前記第１のホッピング帯域幅を第１のセットとして設定する手段と、
前記第２のパラメータと前記第２のホッピング帯域幅を第２のセットとして設定する手段と、
前記第１のセットおよび／または前記第２のセットを前記端末へ通知する手段と、を有する
ことを特徴とする請求項１３に記載の基地局。
【請求項１５】
前記第１のセットと対応付けた第１の送信電力制御を前記端末に対して行う手段と、
前記第２のセットと対応付けた第２の送信電力制御を前記端末に対して行う手段と、を有する
ことを特徴とする請求項１４に記載の基地局。
【請求項１６】
少なくとも１つの基地局と通信を行なう端末の通信方法であって、
下りリンク制御情報（ＤＣＩ）フォーマットからサウンディング参照信号（ＳＲＳ）の送信を要求するか否かを指示するフィールドを検出し、
第１のＤＣＩフォーマットにおいて、前記フィールドが前記ＳＲＳの送信要求を指示している場合、前記ＳＲＳの基準系列を第１のパラメータに基づいて生成し、
第２のＤＣＩフォーマットにおいて、前記フィールドが前記ＳＲＳの送信要求を指示している場合、前記ＳＲＳの基準系列を第２のパラメータに基づいて生成する
ことを特徴とする通信方法。
【請求項１７】
前記第１のＤＣＩフォーマットにおいて、前記フィールドが前記ＳＲＳの送信要求を指示している場合、前記ＳＲＳの周波数ホッピングパターンを第１のホッピング帯域幅に基づいて設定し、
前記第２のＤＣＩフォーマットにおいて、前記フィールドが前記ＳＲＳの送信要求を指示している場合、前記ＳＲＳの周波数ホッピングパターンを第２のホッピング帯域幅に基づいて設定する
ことを特徴とする請求項１６に記載の通信方法。
【請求項１８】
前記第１のＤＣＩフォーマットにおいて、前記フィールドが前記ＳＲＳの送信要求を指示している場合、前記ＳＲＳの送信電力を第１の送信電力制御に基づいてセットし、
前記第２のＤＣＩフォーマットにおいて、前記フィールドが前記ＳＲＳの送信要求を指示している場合、前記ＳＲＳの送信電力を第２の送信電力制御に基づいてセットする
ことを特徴とする請求項１６に記載の通信方法。
【請求項１９】
端末と通信を行なう基地局の通信方法であって、
第１の下りリンク制御情報（ＤＣＩ）フォーマットに対応する第１のパラメータをセットし、前記端末へ通知し、
第２のＤＣＩフォーマットに対応する第２のパラメータをセットし、前記端末へ通知する
ことを特徴とする通信方法。
【請求項２０】
前記第１のＤＣＩフォーマットに対応する第１のホッピング帯域幅をセットし、前記端末へ通知し、
前記第２のＤＣＩフォーマットに対応する第２のホッピング帯域幅をセットし、前記端末へ通知する
ことを特徴とする請求項１９に記載の通信方法。
【請求項２１】
前記第１のパラメータと前記第１のホッピング帯域幅を第１のセットとして設定し、
前記第２のパラメータと前記第２のホッピング帯域幅を第２のセットとして設定し、
前記第１のセットおよび／または前記第２のセットを前記端末へ通知する
ことを特徴とする請求項２０に記載の通信方法。
【請求項２２】
少なくとも１つの基地局と通信を行なう端末に搭載される集積回路であって、
下りリンク制御情報（ＤＣＩ）フォーマットからサウンディング参照信号（ＳＲＳ）の送信を要求するか否かを指示するフィールドを検出する機能と、
第１のＤＣＩフォーマットにおいて、前記フィールドが前記ＳＲＳの送信要求を指示している場合、前記ＳＲＳの基準系列を第１のパラメータに基づいて生成する機能と、
第２のＤＣＩフォーマットにおいて、前記フィールドが前記ＳＲＳの送信要求を指示している場合、前記ＳＲＳの基準系列を第２のパラメータに基づいて生成する機能と、を前記端末に発揮させる
ことを特徴とする集積回路。
【請求項２３】
前記第１のＤＣＩフォーマットにおいて、前記フィールドが前記ＳＲＳの送信要求を指示している場合、前記ＳＲＳの周波数ホッピングパターンを第１のホッピング帯域幅に基づいて設定する機能と、
前記第２のＤＣＩフォーマットにおいて、前記フィールドが前記ＳＲＳの送信要求を指示している場合、前記ＳＲＳの周波数ホッピングパターンを第２のホッピング帯域幅に基づいて設定する機能と、を前記端末に発揮させる
ことを特徴とする請求項２２に記載の集積回路。
【請求項２４】
前記第１のＤＣＩフォーマットにおいて、前記フィールドが前記ＳＲＳの送信要求を指示している場合、前記ＳＲＳの送信電力を第１の送信電力制御に基づいてセット機能と、
前記第２のＤＣＩフォーマットにおいて、前記フィールドが前記ＳＲＳの送信要求を指示している場合、前記ＳＲＳの送信電力を第２の送信電力制御に基づいてセットする機能と、を前記端末に発揮させる
ことを特徴とする請求項２２に記載の集積回路。
【請求項２５】
端末と通信を行なう基地局に搭載される集積回路であって、
第１の下りリンク制御情報（ＤＣＩ）フォーマットに対応する第１のパラメータをセットし、前記端末へ通知する機能と、
第２のＤＣＩフォーマットに対応する第２のパラメータをセットし、前記端末へ通知する機能と、を前記基地局に発揮させる
ことを特徴とする集積回路。
【請求項２６】
前記第１のＤＣＩフォーマットに対応する第１のホッピング帯域幅をセットし、前記端末へ通知する機能と、
前記第２のＤＣＩフォーマットに対応する第２のホッピング帯域幅をセットし、前記端末へ通知する機能と、を前記基地局に発揮させる
ことを特徴とする請求項２５に記載の集積回路。
【請求項２７】
前記第１のパラメータと前記第１のホッピング帯域幅を第１のセットとして設定する機能と、
前記第２のパラメータと前記第２のホッピング帯域幅を第２のセットとして設定する機能と、
前記第１のセットおよび／または前記第２のセットを前記端末へ通知する機能と、を前記基地局に発揮させる
ことを特徴とする請求項２６に記載の集積回路。
【発明の詳細な説明】
【技術分野】
【０００１】
本発明は、端末、基地局、通信方法および集積回路に関する。
【背景技術】
【０００２】
３ＧＰＰ（Third Generation Partnership Project）によるＷＣＤＭＡ（Wideband Code Division Multiple Access）、ＬＴＥ（Long Term Evolution）、ＬＴＥ−Ａ（LTE-Advanced）やＩＥＥＥ（The Institute of Electrical and Electronics engineers）によるＷｉｒｅｌｅｓｓ  ＬＡＮ、ＷｉＭＡＸ（Worldwide Interoperability for Microwave Access）のような通信システムでは、基地局（セル、送信局、送信装置、eNodeB）および端末（移動端末、受信局、移動局、受信装置、ＵＥ（User Equipment））は、複数の送受信アンテナをそれぞれ備え、ＭＩＭＯ（Multi Input Multi Output）技術を用いることにより、データ信号を空間多重し、高速なデータ通信を実現する。
【０００３】
その通信システムにおいて、基地局と端末とのデータ通信を実現するためには、基地局は端末に対して様々な制御を行うことが必要である。そのため、基地局は、端末に対して、所定のリソースを用いて、制御情報を通知することにより、下りリンクおよび上りリンクにおけるデータ通信を行う。例えば、基地局は、端末に対して、リソースの割り当て情報、データ信号の変調および符号化情報、データ信号の空間多重数情報、送信電力制御情報等を通知することにより、データ通信を実現する。そのような制御情報は、非特許文献１に記載された方法を用いることができる。
【０００４】
また、下りリンクにおけるＭＩＭＯ技術を用いた通信方法は、様々な方法を用いることができ、例えば、同一のリソースを異なる端末に割り当てるマルチユーザＭＩＭＯ方式や、複数の基地局が互いに協調してデータ通信を行うＣｏＭＰ（Cooperative Multipoint, Coordinated Multipoint）方式等を用いることができる。
【０００５】
図２２は、マルチユーザＭＩＭＯ方式を行う一例を示す図である。図２２では、基地局２２０１は、下りリンク２２０４を通じて端末２２０２にデータ通信を行い、下りリンク２２０５を通じて端末２２０３にデータ通信を行う。このとき、端末２２０２および端末２２０３は、マルチユーザＭＩＭＯによるデータ通信を行う。下りリンク２２０４および下りリンク２２０５では、同一のリソースが用いられる。リソースは周波数方向および時間方向のリソースから構成される。また、基地局２２０１はプリコーディング技術等を用い、下りリンク２２０４および下りリンク２２０５のそれぞれに対してビームを制御することにより、互いに直交性の維持または同一チャネル干渉の低減を行う。これにより、基地局２２０１は、端末２２０２および端末２２０３に対して、同一のリソースを用いたデータ通信を実現できる。
【０００６】
図２３は、下りリンクＣｏＭＰ方式を行う一例を示す図である。図２３では、カバレッジの広いマクロ基地局２３０１と、そのマクロ基地局２３０１よりもカバレッジの狭いＲＲＨ（Remote Radio Head）２３０２とにより、ヘテロジーニアスネットワーク構成を用いた無線通信システムを構築する場合を示す。ここで、マクロ基地局２３０１のカバレッジは、ＲＲＨ２３０２のカバレッジの一部または全部を含んで構成する場合を考える。図２３に示す例では、マクロ基地局２３０１、ＲＲＨ２３０２によりヘテロジーニアスネットワーク構成を構築し、互いに協調して、それぞれ下りリンク２３０５および下りリンク２３０６を通じて、端末２３０４に対するデータ通信を行う。マクロ基地局２３０１は、回線２３０３を通じてＲＲＨ２３０２と接続しており、ＲＲＨ２３０２と制御信号やデータ信号を送受信することができる。回線２３０３は、光ファイバ等の有線回線やリレー技術を用いた無線回線を用いることができる。このとき、マクロ基地局２３０１およびＲＲＨ２３０２がそれぞれ一部または全部が同一の周波数（リソース）を用いることで、マクロ基地局２３０１が構築するカバレッジのエリア内の総合的な周波数利用効率（伝送容量）が向上できる。
【０００７】
端末２３０４は、基地局２３０１またはＲＲＨ２３０２の付近に位置している場合、基地局２３０１またはＲＲＨ２３０２とシングルセル通信することができる。さらに、端末２３０４は、ＲＲＨ２３０２が構築するカバレッジの端付近（セルエッジ）に位置する場合、マクロ基地局２３０１からの同一チャネル干渉に対する対策が必要になる。マクロ基地局２３０１とＲＲＨ２３０２とのマルチセル通信（協調通信、マルチポイント通信、ＣｏＭＰ）として、マクロ基地局２３０１とＲＲＨ２３０２とが互いに協調するＣｏＭＰ方式を用いることにより、セルエッジ領域の端末２３０４に対する干渉を軽減または抑圧する方法が検討されている。例えば、そのようなＣｏＭＰ方式として、非特許文献２に記載された方法が検討されている。
【０００８】
図２４は、上りリンクＣｏＭＰ方式を行う一例を示す図である。図２４では、カバレッジの広いマクロ基地局２４０１と、そのマクロ基地局よりもカバレッジの狭いＲＲＨ（Remote Radio Head）２４０２とにより、ヘテロジーニアスネットワーク構成を用いた無線通信システムを構築する場合を示す。ここで、マクロ基地局２４０１のカバレッジは、ＲＲＨ２４０２のカバレッジの一部または全部を含んで構成する場合を考える。図２４に示す例では、マクロ基地局２４０１とＲＲＨ２４０２とによりヘテロジーニアスネットワーク構成を構築し、互いに協調して、それぞれ上りリンク２４０５および上りリンク２４０６を通じて、端末２４０４に対するデータ通信を行う。マクロ基地局２４０１は、回線２４０３を通じてＲＲＨ２４０２と接続しており、ＲＲＨ２４０２と受信信号や制御信号やデータ信号を送受信することができる。回線２４０３は、光ファイバ等の有線回線やリレー技術を用いた無線回線を用いることができる。このとき、マクロ基地局２４０１およびＲＲＨ２４０２がそれぞれ一部または全部が同一の周波数（リソース）を用いることで、マクロ基地局２４０１が構築するカバレッジのエリア内の総合的な周波数利用効率（伝送容量）が向上できる。
【０００９】
端末２４０４は、基地局２４０１またはＲＲＨ２４０２の付近に位置している場合、基地局２４０１またはＲＲＨ２４０２とシングルセル通信することができる。この場合、端末２４０４が基地局２４０１付近に位置している場合には、基地局２４０１は上りリンク２４０５を通じて受信された信号を受信、復調する。もしくは、端末２４０４がＲＲＨ２４０２付近に位置している場合には、ＲＲＨ２４０２は上りリンク２４０６を通じて受信された信号を受信、復調する。さらに、端末２４０４が、ＲＲＨ２４０２が構築するカバレッジの端付近（セルエッジ）もしくは基地局２４０１とＲＲＨ２４０２との中間地点付近に位置する場合、マクロ基地局２４０１は上りリンク２４０５を通じて受信された信号を受信し、ＲＲＨ２４０２は上りリンク２４０６を通じて受信された信号を受信した後、マクロ基地局２４０１とＲＲＨ２４０２は回線２４０３を通じてこれら端末２４０４から受信された信号の送受信を行い、端末２４０４から受信された信号の合成を行い、合成信号の復調を行う。これらの処理により、データ通信の特性改善が期待される。これが合成受信（ＪＲ：Joint Reception）と呼ばれる方法であり、上りリンクマルチセル通信（協調通信、マルチポイント通信、ＣｏＭＰ）として、マクロ基地局２４０１とＲＲＨ２４０２間で互いに協調するＣｏＭＰ方式を用いることにより、セルエッジ領域、もしくはマクロ基地局２４０１とＲＲＨ２４０２との中間付近の領域でのデータ通信の特性改善が可能となる。
【先行技術文献】
【非特許文献】
【００１０】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  １０）、２０１１年３月、３ＧＰＰ  ＴＳ  ３６．２１２  Ｖ１０．１．０  （２０１１−０３）。
【非特許文献２】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ（Ｒｅｌｅａｓｅ  ９）、２０１０年３月、３ＧＰＰ  ＴＲ  ３６．８１４  Ｖ９．０．０  （２０１０−０３）。
【発明の概要】
【発明が解決しようとする課題】
【００１１】
しかしながら、ＣｏＭＰ方式のような協調通信を行うことができる通信システムにおいて、端末の数が増加すると、単一のセルＩＤによる干渉コーディネーションだけでは端末間の直交性が維持できず、サウンディング参照信号（ＳＲＳ：Sounding Reference Signal）のセル内での干渉が増加する。
【００１２】
本発明は、上記問題を鑑みてなされたものであり、その目的は、基地局と端末が通信する通信システムにおいて、信号の干渉がランダム化される端末、基地局、通信方法および集積回路を提供することにある。
【課題を解決するための手段】
【００１３】
（１）この発明は上述した課題を解決するためになされたもので、本発明の一態様による端末は、少なくとも１つの基地局と通信を行なう端末であって、下りリンク制御情報（ＤＣＩ）フォーマットからサウンディング参照信号（ＳＲＳ）の送信を要求するか否かを指示するフィールドを検出する手段と、第１のＤＣＩフォーマットにおいて、前記フィールドが前記ＳＲＳの送信要求を指示している場合、前記ＳＲＳの基準系列を第１のパラメータに基づいて生成する手段と、第２のＤＣＩフォーマットにおいて、前記フィールドが前記ＳＲＳの送信要求を指示している場合、前記ＳＲＳの基準系列を第２のパラメータに基づいて生成する手段と、を有することを特徴とする。
【００１４】
（２）また、本発明の一態様による端末は、上記の端末であって、前記第１のＤＣＩフォーマットにおいて、前記フィールドが前記ＳＲＳの送信要求を指示している場合、前記ＳＲＳの周波数ホッピングパターンを第１のホッピング帯域幅に基づいて設定する手段と、前記第２のＤＣＩフォーマットにおいて、前記フィールドが前記ＳＲＳの送信要求を指示している場合、前記ＳＲＳの周波数ホッピングパターンを第２のホッピング帯域幅に基づいて設定する手段と、有することを特徴とする。
【００１５】
（３）また、本発明の一態様による端末は、上記の端末であって、前記第１のホッピング帯域幅を無線リソース制御信号に基づいて送信要求が指示されるＳＲＳの周波数ホッピングパターンに対して設定することを特徴とする。
【００１６】
（４）また、本発明の一態様による端末は、上記の端末であって、前記第１のＤＣＩフォーマットにおいて、前記フィールドが前記ＳＲＳの送信要求を指示している場合、前記ＳＲＳの送信電力を第１の送信電力制御に基づいてセットする手段と、前記第２のＤＣＩフォーマットにおいて、前記フィールドが前記ＳＲＳの送信要求を指示している場合、前記ＳＲＳの送信電力を第２の送信電力制御に基づいてセットする手段と、有することを特徴とする。
【００１７】
（５）また、本発明の一態様による端末は、上記の端末であって、前記第１の送信電力制御を前記第１のＤＣＩフォーマットにセットされた送信電力制御（ＴＰＣ）コマンドに基づいて行う手段と、前記第２の送信電力制御を前記第２のＤＣＩフォーマットにセットされたＴＰＣコマンドに基づいて行う手段と、を有することを特徴とする。
【００１８】
（６）また、本発明の一態様による端末は、上記の端末であって、前記第１のパラメータおよび／または前記第２のパラメータと物理上りリンク共用チャネル（ＰＵＳＣＨ）の復調参照信号（ＤＭＲＳ）の基準系列に使用されるパラメータとが同じ場合、前記ＳＲＳの送信電力制御を前記ＰＵＳＣＨのＴＰＣコマンドに基づいて行なうことを特徴とする。
【００１９】
（７）また、本発明の一態様による端末は、上記の端末であって、前記第１のパラメータおよび／または前記第２のパラメータと前記ＰＵＳＣＨのＤＭＲＳの基準系列の生成に使用されるパラメータとが異なる場合、前記ＳＲＳの送信電力制御を前記ＳＲＳに対するＴＰＣコマンドに基づいて行なうことを特徴とする。
【００２０】
（８）また、本発明の一態様による端末は、上記の端末であって、前記第１のパラメータおよび／または前記第２のパラメータと物理上りリンク制御チャネル（ＰＵＣＣＨ）の復調参照信号（ＤＭＲＳ）の基準系列の生成に使用されるパラメータとが同じ場合、前記ＳＲＳの送信電力制御を前記ＰＵＣＣＨのＴＰＣコマンドに基づいて行なうことを特徴とする。
【００２１】
（９）また、本発明の一態様による端末は、上記の端末であって、前記第１のパラメータおよび／または前記第２のパラメータと前記ＰＵＣＣＨのＤＭＲＳの基準系列に使用されるパラメータとが異なる場合、前記ＳＲＳの送信電力制御を前記ＳＲＳのＴＰＣコマンドに基づいて行なうことを特徴とする。
【００２２】
（１０）また、本発明の一態様による端末は、上記の端末であって、前記第１のＤＣＩフォーマットは前記ＰＵＳＣＨのスケジューリングを行なう上りリンクグラントであり、前記第２のＤＣＩフォーマットは物理下りリンク共用チャネルのスケジューリングを行なう下りリンクアサインメントであることを特徴とする。
【００２３】
（１１）また、本発明の一態様による端末は、上記の端末であって、前記第１のパラメータは、前記第１のＤＣＩフォーマットを検出した制御チャネルに使用されるパラメータから推定し、前記第２のパラメータは、前記第２のＤＣＩフォーマットを検出した制御チャネルに使用されるパラメータから推定することを特徴とする。
【００２４】
（１２）また、本発明の一態様による基地局は、端末と通信を行なう基地局であって、第１の下りリンク制御情報（ＤＣＩ）フォーマットに対応する第１のパラメータをセットし、前記端末へ通知する手段と、第２のＤＣＩフォーマットに対応する第２のパラメータをセットし、前記端末へ通知する手段と、を有することを特徴とする。
【００２５】
（１３）また、本発明の一態様による基地局は、上記の基地局であって、前記第１のＤＣＩフォーマットに対応する第１のホッピング帯域幅をセットし、前記端末へ通知する手段と、前記第２のＤＣＩフォーマットに対応する第２のホッピング帯域幅をセットし、前記端末へ通知する手段と、を有することを特徴とする。
【００２６】
（１４）また、本発明の一態様による基地局は、上記の基地局であって、前記第１のパラメータと前記第１のホッピング帯域幅を第１のセットとして設定する手段と、前記第２のパラメータと前記第２のホッピング帯域幅を第２のセットとして設定する手段と、前記第１のセットおよび／または前記第２のセットを前記端末へ通知する手段と、を有することを特徴とする。
【００２７】
（１５）また、本発明の一態様による基地局は、上記の基地局であって、前記第１のセットと対応付けた第１の送信電力制御を前記端末に対して行う手段と、前記第２のセットと対応付けた第２の送信電力制御を前記端末に対して行う手段と、を有することを特徴とする。
【００２８】
（１６）また、本発明の一態様による通信方法は、少なくとも１つの基地局と通信を行なう端末の通信方法であって、下りリンク制御情報（ＤＣＩ）フォーマットからサウンディング参照信号（ＳＲＳ）の送信を要求するか否かを指示するフィールドを検出し、第１のＤＣＩフォーマットにおいて、前記フィールドが前記ＳＲＳの送信要求を指示している場合、前記ＳＲＳの基準系列を第１のパラメータに基づいて生成し、第２のＤＣＩフォーマットにおいて、前記フィールドが前記ＳＲＳの送信要求を指示している場合、前記ＳＲＳの基準系列を第２のパラメータに基づいて生成することを特徴とする。
【００２９】
（１７）また、本発明の一態様による通信方法は、上記の通信方法であって、前記第１のＤＣＩフォーマットにおいて、前記フィールドが前記ＳＲＳの送信要求を指示している場合、前記ＳＲＳの周波数ホッピングパターンを第１のホッピング帯域幅に基づいて設定し、前記第２のＤＣＩフォーマットにおいて、前記フィールドが前記ＳＲＳの送信要求を指示している場合、前記ＳＲＳの周波数ホッピングパターンを第２のホッピング帯域幅に基づいて設定することを特徴とする。
【００３０】
（１８）また、本発明の一態様による通信方法は、上記の通信方法であって、前記第１のＤＣＩフォーマットにおいて、前記フィールドが前記ＳＲＳの送信要求を指示している場合、前記ＳＲＳの送信電力を第１の送信電力制御に基づいてセットし、前記第２のＤＣＩフォーマットにおいて、前記フィールドが前記ＳＲＳの送信要求を指示している場合、前記ＳＲＳの送信電力を第２の送信電力制御に基づいてセットすることを特徴とする。
【００３１】
（１９）また、本発明の一態様による通信方法は、端末と通信を行なう基地局の通信方法であって、第１の下りリンク制御情報（ＤＣＩ）フォーマットに対応する第１のパラメータをセットし、前記端末へ通知し、第２のＤＣＩフォーマットに対応する第２のパラメータをセットし、前記端末へ通知することを特徴とする。
【００３２】
（２０）また、本発明の一態様による通信方法は、上記の通信方法であって、前記第１のＤＣＩフォーマットに対応する第１のホッピング帯域幅をセットし、前記端末へ通知し、前記第２のＤＣＩフォーマットに対応する第２のホッピング帯域幅をセットし、前記端末へ通知することを特徴とする。
【００３３】
（２１）また、本発明の一態様による通信方法は、上記の通信方法であって、前記第１のパラメータと前記第１のホッピング帯域幅を第１のセットとして設定し、前記第２のパラメータと前記第２のホッピング帯域幅を第２のセットとして設定し、前記第１のセットおよび／または前記第２のセットを前記端末へ通知することを特徴とする。
【００３４】
（２２）また、本発明の一態様による集積回路は、少なくとも１つの基地局と通信を行なう端末に搭載される集積回路であって、下りリンク制御情報（ＤＣＩ）フォーマットからサウンディング参照信号（ＳＲＳ）の送信を要求するか否かを指示するフィールドを検出する機能と、第１のＤＣＩフォーマットにおいて、前記フィールドが前記ＳＲＳの送信要求を指示している場合、前記ＳＲＳの基準系列を第１のパラメータに基づいて生成する機能と、第２のＤＣＩフォーマットにおいて、前記フィールドが前記ＳＲＳの送信要求を指示している場合、前記ＳＲＳの基準系列を第２のパラメータに基づいて生成する機能と、を前記端末に発揮させることを特徴とする。
【００３５】
（２３）また、本発明の一態様による集積回路は、上記の集積回路であって、前記第１のＤＣＩフォーマットにおいて、前記フィールドが前記ＳＲＳの送信要求を指示している場合、前記ＳＲＳの周波数ホッピングパターンを第１のホッピング帯域幅に基づいて設定する機能と、前記第２のＤＣＩフォーマットにおいて、前記フィールドが前記ＳＲＳの送信要求を指示している場合、前記ＳＲＳの周波数ホッピングパターンを第２のホッピング帯域幅に基づいて設定する機能と、を前記端末に発揮させることを特徴とする。
【００３６】
（２４）また、本発明の一態様による集積回路は、上記の集積回路であって、前記第１のＤＣＩフォーマットにおいて、前記フィールドが前記ＳＲＳの送信要求を指示している場合、前記ＳＲＳの送信電力を第１の送信電力制御に基づいてセット機能と、前記第２のＤＣＩフォーマットにおいて、前記フィールドが前記ＳＲＳの送信要求を指示している場合、前記ＳＲＳの送信電力を第２の送信電力制御に基づいてセットする機能と、を前記端末に発揮させることを特徴とする。
【００３７】
（２５）また、本発明の一態様による集積回路は、端末と通信を行なう基地局に搭載される集積回路であって、第１の下りリンク制御情報（ＤＣＩ）フォーマットに対応する第１のパラメータをセットし、前記端末へ通知する機能と、第２のＤＣＩフォーマットに対応する第２のパラメータをセットし、前記端末へ通知する機能と、を前記基地局に発揮させることを特徴とする。
【００３８】
（２６）また、本発明の一態様による集積回路は、上記の集積回路であって、前記第１のＤＣＩフォーマットに対応する第１のホッピング帯域幅をセットし、前記端末へ通知する機能と、前記第２のＤＣＩフォーマットに対応する第２のホッピング帯域幅をセットし、前記端末へ通知する機能と、を前記基地局に発揮させることを特徴とする。
【００３９】
（２７）また、本発明の一態様による集積回路は、上記の集積回路であって、前記第１のパラメータと前記第１のホッピング帯域幅を第１のセットとして設定する機能と、前記第２のパラメータと前記第２のホッピング帯域幅を第２のセットとして設定する機能と、前記第１のセットおよび／または前記第２のセットを前記端末へ通知する機能と、を前記基地局に発揮させることを特徴とする。
【００４０】
このことにより、基地局は、端末に対して基地局またはＲＲＨへの適切な送信信号の系列制御、送信電力制御、リソース割り当て制御を行うことができる。すなわち、適切な干渉制御を行なうことができる。
【発明の効果】
【００４１】
この発明によれば、基地局と端末が通信する通信システムにおいて、ＳＲＳ基準系列のランダム化によるチャネル推定精度の向上を行うことができる。
【図面の簡単な説明】
【００４２】
【図１】本発明の第１の実施形態に係るデータ伝送を行う通信システムを示す概略図である。
【図２】基地局１０１がマッピングするチャネルの一例を示す図である。
【図３】本発明の第１の実施形態に係る基地局１０１の構成を示す概略ブロック図である。
【図４】本発明の第１の実施形態に係る端末１０２の構成を示す概略ブロック図である。
【図５】本発明の第１の実施形態に係る端末のＳＲＳの送信処理の詳細を示すフローチャートである。
【図６】本発明の第１の実施形態に係るＳＲＳの基準系列設定方法の一例を示したフローチャートである。
【図７】本発明の第２の実施形態に係るＳＲＳの基準系列設定方法の一例を示したフローチャートである。
【図８】本発明の第３の実施形態に係るＳＲＳの基準系列設定方法の一例を示したフローチャートである。
【図９】本発明の第４の実施形態に係るＳＲＳの基準系列設定方法の一例を示したフローチャートである。
【図１０】上りリンク電力制御に関するパラメータの設定の詳細の一例を示す図である。
【図１１】上りリンク電力制御に関するパラメータの設定の詳細の別の一例を示す図である。
【図１２】パスロス参照リソースの詳細を示す図である。
【図１３】本発明の第５の実施形態における第２の上りリンク電力制御に関するパラメータの設定の一例を示す図である。
【図１４】各無線リソース設定に含まれる第１の上りリンク電力制御に関するパラメータの設定と第２の上りリンク電力制御に関するパラメータの設定の一例を示す図である。
【図１５】第２のセル固有上りリンク電力制御に関するパラメータの設定の一例を示す図である。
【図１６】第１の端末固有上りリンク電力制御に関するパラメータの設定と第２の端末固有上りリンク電力制御に関するパラメータの設定の一例を示す図である。
【図１７】本発明の第７の実施形態に係る各上りリンク物理チャネルに設定される上りリンク電力制御に関するパラメータの一例である。
【図１８】本発明の第１０の実施形態に係る電力補正のフローチャートである。
【図１９】本発明の第１１の実施形態に係る電力補正による積算値のリセット方法の概略を示したフローチャートである。
【図２０】本発明の第１４の実施形態に係る通信システムを示す概略図である。
【図２１】本発明の第１４の実施形態に係るＳＲＳの送信制御方法を示したフローチャートである。
【図２２】マルチユーザＭＩＭＯ方式を行う一例を示す図である。
【図２３】下りリンクＣｏＭＰ方式を行う一例を示す図である。
【図２４】上りリンクＣｏＭＰ方式を行う一例を示す図である。
【発明を実施するための形態】
【００４３】
（第１の実施形態）
本発明の第１の実施形態について説明する。第１の実施形態では、基地局１０１および／またはＲＲＨ１０３は、複数のセルＩＤ（Cell Identity）を端末１０２へ送信し、サウンディング参照信号（ＳＲＳ：Sounding Reference Signal）の送信を要求するか否かを指示するフィールド（ＳＲＳリクエスト）を含む下りリンク制御情報（ＤＣＩ：Downlink Control Information）フォーマットをある特定の制御チャネル領域（ＰＤＣＣＨ、Ｅ−ＰＤＣＣＨ）で端末１０２へ送信する。端末１０２は、受信したＤＣＩフォーマットからＳＲＳリクエストを検出し、ＳＲＳの送信要求があるか否かを判定する。ＳＲＳの送信要求が指示されており（ポジティブＳＲＳリクエスト）、受信したＤＣＩフォーマットが第１のフォーマットである場合、第１のセルＩＤに基づいてＳＲＳの基準系列（Base Sequence）をセットし、受信したＤＣＩフォーマットが第２のフォーマットである場合、第２のセルＩＤに基づいてＳＲＳの基準系列をセットし、そのＳＲＳを基地局１０１またはＲＲＨ１０３へ送信する。なお、セルＩＤを上位層から通知されるパラメータ（parameter）と呼称する場合がある。
【００４４】
また、基地局１０１またはＲＲＨ１０３は、ＳＲＳの基準系列をセットするために使用されるパラメータまたは物理量を含む無線リソース制御（ＲＲＣ：Radio Resource Control）信号を端末へ送信する。
【００４５】
第１のフォーマットは上りリンクグラントであり、第２のフォーマットは下りリンクアサインメントであってもよい。なお、上りリンクグラントは、物理上りリンク共用チャネル（ＰＵＳＣＨ：Physical Uplink Shared Channel）のスケジューリングを行なうために送信される。下りリンクアサインメントは、物理下りリンク共用チャネル（ＰＤＳＣＨ：Physical Downlink Shared Channel）のリソース割り当てやＰＤＳＣＨコードワードのスケジューリングなどを指示するために送信される。上りリンクグラントおよび下りリンクアサインメントはそれぞれＭＩＭＯ用のフォーマットが設定されている。例えば、上りリンクグラントはＤＣＩフォーマット０やＤＣＩフォーマット４などのことであり、下りリンクアサインメントはＤＣＩフォーマット１ＡやＤＣＩフォーマット２Ｂ、ＤＣＩフォーマット２Ｃなどのことである。
【００４６】
さらに、第１の実施形態では、端末１０２は、受信したＤＣＩフォーマットが第３のフォーマットである場合、第３のセルＩＤに基づいてＳＲＳの基準系列をセットし、受信したＤＣＩフォーマットが第４のフォーマットである場合、第４のセルＩＤに基づいてＳＲＳの基準系列をセットし、受信したＤＣＩフォーマットが第ｎ（ｎは整数）のフォーマットである場合、第ｎのセルＩＤに基づいてＳＲＳの基準系列をセットし、そのＳＲＳを基地局１０１またはＲＲＨ１０３へ送信してもよい。
【００４７】
端末１０２は、受信したＤＣＩフォーマットに応じて、ある特定のセルＩＤに基づいてＳＲＳの系列をセットすることができる。
【００４８】
例えば、端末１０２が基地局１０１とＲＲＨ１０３それぞれにＳＲＳを送信する場合に異なるセルＩＤに基づいてＳＲＳの基準系列をセットしてもよい。同じリソースを用いて異なる端末１０２が基地局１０１とＲＲＨ１０３それぞれにＳＲＳを送信しても基準系列が異なるため、２つのＳＲＳを基地局１０１およびＲＲＨ１０３それぞれで分離することができ、チャネル推定精度を維持することができる。
【００４９】
下りリンク通信において、基地局１０１やＲＲＨ１０３は送信点（ＴＰ：Transmission Point）と呼称される場合がある。また、上りリンク通信において、基地局１０１やＲＲＨ１０３は受信点（ＲＰ：Reception Point）と呼称される場合がある。また、基地局１０１やＲＲＨ１０３は下りリンクパスロス測定用のパスロス参照点（ＰＲＰ：Pathloss Reference Point）と呼称される場合がある。なお、基地局１０１またはＲＲＨ１０３は、端末１０２に対してサービングセル（Serving Cell）に対応するコンポーネントキャリア（ＣＣ：Component Carrier）を設定することができる。
【００５０】
上述の複数のセルＩＤのうち、少なくとも１つはある特定の受信点固有（RP specific）に設定されてもよい。また、上述の複数のセルＩＤのうち、少なくとも１つは複数の受信点共有（RP common）に設定されてもよい。また、上述の複数のセルＩＤのうち、少なくとも１つは端末固有（UE specific, Dedicated）に設定されてもよい。また、上述の複数のセルＩＤのうち、少なくとも１つはセル固有（Cell-specific, Common）に設定されてもよい。例えば、複数の受信点で協調受信（ＪＲ：Joint Reception）を行なう場合、端末１０２は、受信点共有に設定されたセルＩＤに基づいてＳＲＳの基準系列をセットしてもよい。また、複数の受信点で協調受信（ＪＲ：Joint Reception）を行なう場合、端末１０２は、セル固有に設定されたセルＩＤに基づいてＳＲＳの基準系列をセットもしてもよい。
【００５１】
また、複数のセルＩＤのうち、少なくとも１つは、物理上りリンク共用チャネルの復調参照信号（ＰＵＳＣＨ  ＤＭＲＳ：Physical Uplink Shared Channel Demodulation Reference Signal）の基準系列に適用されてもよい。また、複数のセルＩＤのうち、少なくとも１つは、物理上りリンク制御チャネルの復調参照信号（ＰＵＣＣＨ  ＤＭＲＳ：Physical Uplink Control Channel Demodulation Reference Signal）の基準系列に適用されてもよい。
【００５２】
受信点選択（ＰＳ：Point Selection）を行なう場合、端末１０２は、ある特定の受信点固有に設定されたセルＩＤに基づいてＳＲＳの基準系列をセットしてもよい。また、受信点選択（ＰＳ：Point Selection）を行なう場合、端末１０２は、端末固有に設定されたセルＩＤに基づいてＳＲＳの基準系列をセットしてもよい。なお、受信点選択は、ダイナミックに行われてもよい。また、受信点選択は、セミスタティックに行われてもよい。受信点選択がダイナミックに行われる場合、ＤＣＩフォーマットに受信点選択のための制御情報フィールドが追加されてもよい。また、ＤＣＩフォーマットに受信点選択のための制御情報フィールドの追加は、特定のパラメータ情報が端末１０２にセットされた場合に、端末１０２に認識されてもよい。
【００５３】
図１は、本発明の第１の実施形態に係るデータ伝送を行う通信システムを示す概略図である。図１では、基地局（マクロ基地局）１０１は、端末１０２とデータ通信を行うため、下りリンク１０５および上りリンク１０６を通じて、制御情報および情報データを送受信する。同様にＲＲＨ１０３は、端末１０２とデータ通信を行うため、下りリンク１０７および上りリンク１０８を通じて、制御情報および情報データを送受信する。回線１０４は、光ファイバ等の有線回線やリレー技術を用いた無線回線を用いることができる。このとき、マクロ基地局１０１およびＲＲＨ１０３がそれぞれ一部または全部が同一の周波数（リソース）を用いることで、マクロ基地局１０１が構築するカバレッジのエリア内の総合的な周波数利用効率（伝送容量）が向上できる。この様な隣接局間（例えば、マクロ基地局−ＲＲＨ間）で同一の周波数を用いて構築されるネットワークのことを単一周波数ネットワーク（ＳＦＮ：Single Frequency Network）と呼ぶ。また図１において基地局１０１からセルＩＤが通知され、セル固有参照信号（ＣＲＳ：Cell-specific Reference Signal）や端末固有参照信号（ＤＬ  ＤＭＲＳ：Downlink Demodulation Reference Signal，ＵＥ−ＲＳ：UE-specific Reference Signal）に利用される。また、ＲＲＨ１０３からもセルＩＤを通知することができる。ＲＲＨ１０３から通知されるセルＩＤは基地局１０１から通知されるものと同じ場合もあるし、異なる場合もある。なお、以降で示す基地局１０１は図1で示す基地局１０１およびＲＲＨ１０３のことを指し示す場合がある。なお、以降で示す基地局１０１およびＲＲＨ１０３間での説明は、マクロ基地局間、ＲＲＨ間のことを指し示しても構わない。
【００５４】
なお、本発明の実施形態の説明では、例えば、電力を算出することは電力の値を算出することを含み、電力を計算することは電力の値を計算することを含み、電力を測定することは電力の値を測定することを含み、電力を報告することは電力の値を報告することを含む。このように、電力という表現は、適宜電力の値という意味も含まれる。
【００５５】
リソースブロックは、通信システムが用いる周波数帯域幅（システム帯域幅）に応じて、その数を変えられることができる。例えば、基地局１０１は、システム帯域で６〜１１０個のリソースブロックを用いることができ、その単位をコンポーネントキャリア（ＣＣ：Component Carrier, Carrier Component）とも呼ぶ。さらに、基地局１０１は、端末１０２に対して、周波数アグリゲーション（キャリアアグリゲーション）により、複数のコンポーネントキャリアを設定することもできる。例えば、基地局１０１は、端末１０２に対して、１つのコンポーネントキャリアを２０ＭＨｚで構成し、周波数方向に連続および／または非連続に、５個のコンポーネントキャリアを設定し、トータルの通信システムが用いることができる帯域幅を１００ＭＨｚにすることができる。なお、端末１０２は、キャリアアグリゲーションが設定された場合に、追加されたサービングセルをセカンダリーセル、初期接続やハンドオーバ時に設定されたサービングセルをプライマリーセルとして認識する。または、基地局１０１によってプライマリーセルに関する情報やセカンダリーセルに関する情報が通知された場合に、端末１０２は、それぞれのセルの情報を設定する。
【００５６】
ここで、制御情報は、所定の変調方式や符号化方式を用いて、変調処理や誤り訂正符号化処理等が施され、制御信号が生成される。制御信号は、第１の制御チャネル（第１の物理制御チャネル）、あるいは第１の制御チャネルとは異なる第２の制御チャネル（第２の物理制御チャネル）を介して送受信される。ただし、ここで言う物理制御チャネルは物理チャネルの一種であり、物理フレーム上に規定される制御チャネルである。
【００５７】
なお、１つの観点から見ると、第１の制御チャネル（ＰＤＣＣＨ：Physical Downlink Control Channel）は、セル固有参照信号（ＣＲＳ：Cell-specific Reference Signal）と同じ送信ポート（アンテナポート）を用いる物理制御チャネルである。また、第２の制御チャネル（Ｅ−ＰＤＣＣＨ：Enhanced PDCCH, Extended PDCCH, X-PDCCH, PDCCH on PDSCH）は、端末固有参照信号と同じ送信ポートで送信される物理制御チャネルである。端末１０２は、第１の制御チャネルにマッピングされる制御信号に対して、セル固有参照信号を用いて復調し、第２の制御チャネルにマッピングされる制御信号に対して、端末固有参照信号を用いて復調する。セル固有参照信号は、セル内の全端末１０２に共通の参照信号であって、システム帯域のすべてのリソースブロックに挿入されているため、いずれの端末１０２も使用可能な参照信号である。このため、第１の制御チャネルは、いずれの端末１０２も復調可能である。一方、端末固有参照信号は、割り当てられたリソースブロックのみに挿入される参照信号であって、データ信号と同じように適応的にビームフォーミング処理を行うことができる。このため、第２の制御チャネルでは、適応的なビームフォーミングの利得を得ることができる。
【００５８】
また、異なる観点から見ると、第１の制御チャネルは、物理サブフレームの前部に位置するＯＦＤＭシンボル上の物理制御チャネルであり、これらのＯＦＤＭシンボル上のシステム帯域幅（コンポーネントキャリア（ＣＣ：Component Carrier, Carrier Component））全域に配置されうる。また、第２の制御チャネルは、物理サブフレームの第１の制御チャネルよりも後方に位置するＯＦＤＭシンボル上の物理制御チャネルであり、これらのＯＦＤＭシンボル上のシステム帯域幅内のうち、一部の帯域に配置されうる。第１の制御チャネルは、物理サブフレームの前部に位置する制御チャネル専用のＯＦＤＭシンボル上に配置されるため、物理データチャネル用の後部のＯＦＤＭシンボルよりも前に受信および復調することができる。また、制御チャネル専用のＯＦＤＭシンボルのみを監視する（モニタリングする）端末１０２も受信することができる。また、第１の制御チャネルに用いられるリソースはＣＣ全域に拡散されて配置されうるため、第１の制御チャネルに対するセル間干渉はランダム化されることができる。一方、第２の制御チャネルは、通信中の端末１０２が通常受信する共用チャネル（物理データチャネル）用の後部のＯＦＤＭシンボル上に配置される。また、基地局１０１は、第２の制御チャネルを周波数分割多重することにより、第２の制御チャネル同士あるいは第２の制御チャネルと物理データチャネルとを直交多重（干渉無しの多重）することができる。
【００５９】
図２は、基地局１０１がマッピングするチャネルの一例を示す図である。図２は、１２のリソースブロックペアで構成される周波数帯域をシステム帯域幅とする場合を示す。第１の制御チャネルであるＰＤＣＣＨは、サブフレームにおける先頭の１〜３のＯＦＤＭシンボルに配置される。第１の制御チャネルの周波数方向は、システム帯域幅に渡って配置される。また、共用チャネルは、サブフレームにおいて、第１の制御チャネル以外のＯＦＤＭシンボルに配置される。
【００６０】
ここで、ＰＤＣＣＨの構成の詳細について説明する。ＰＤＣＣＨは、複数の制御チャネルエレメント（ＣＣＥ：Control Channel Element）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局１０１の送信アンテナの数に応じた下りリンク参照信号の送信ポート数に依存する。ＣＣＥは、複数の下りリンクリソースエレメントにより構成される。なお、下りリンクリソースエレメントは、１つのＯＦＤＭシンボルおよび１本のサブキャリアで規定されるリソースのことである。
【００６１】
基地局１０１と端末１０２との間で用いられるＣＣＥには、ＣＣＥを識別するための番号（インデックス）が付与されている。ＣＣＥの番号付けは、予め決められた規則に基づいて行なわれる。ここで、ＣＣＥ＿ｔは、ＣＣＥ番号ｔのＣＣＥを示す。ＰＤＣＣＨは、複数のＣＣＥからなる集合（CCE Aggregation）により構成される。この集合を構成するＣＣＥの数を、「ＣＣＥ集合レベル」（CCE aggregation level）と称す。ＰＤＣＣＨを構成するＣＣＥ集合レベルは、ＰＤＣＣＨに設定される符号化率、ＰＤＣＣＨに含められるＤＣＩのビット数に応じて基地局１０１において設定される。なお、端末１０２に対して用いられる可能性のあるＣＣＥ集合レベルの組み合わせは予め決められている。また、ｎ個のＣＣＥからなる集合を、「ＣＣＥ集合レベルｎ」という。
【００６２】
１個のリソースエレメントグループ（ＲＥＧ：Resource Element Group）は周波数領域の隣接する４個の下りリンクリソースエレメントにより構成される。さらに、１個のＣＣＥは、周波数領域及び時間領域に分散した９個の異なるＲＥＧにより構成される。具体的には、下りリンクコンポーネントキャリア全体に対して、番号付けされた全てのＲＥＧに対してブロックインタリーバを用いてＲＥＧ単位でインタリーブが行なわれ、インタリーブ後の番号の連続する９個のＲＥＧにより１個のＣＣＥが構成される。
【００６３】
各端末１０２には、ＰＤＣＣＨを検索する領域（ＳＳ：Search Space）が設定される。ＳＳは、複数のＣＣＥから構成される。最も小さいＣＣＥから番号の連続する複数のＣＣＥからＳＳは構成され、番号の連続する複数のＣＣＥの数は予め決められている。各ＣＣＥ集合レベルのＳＳは、複数のＰＤＣＣＨの候補の集合体により構成される。ＳＳは、最も小さいＣＣＥから番号がセル内で共通であるセル固有検索領域（ＣＳＳ：Cell-specific SS）と、最も小さいＣＣＥから番号が端末固有である端末固有検索領域（ＵＳＳ：UE-specific SS）とに分類される。ＣＳＳには、システム情報あるいはページングに関する情報など、複数の端末１０２が読み込む制御情報が割り当てられたＰＤＣＣＨ、あるいは下位の送信方式へのフォールバックやランダムアクセスの指示を示す下りリンク／上りリンクグラントが割り当てられたＰＤＣＣＨが配置される。
【００６４】
基地局１０１は、端末１０２において設定されるＳＳ内の１個以上のＣＣＥを用いてＰＤＣＣＨを送信する。端末１０２は、ＳＳ内の１個以上のＣＣＥを用いて受信信号の復号を行ない、自装置（自身）宛のＰＤＣＣＨを検出するための処理を行なう（ブラインドデコーディングと呼称する）。端末１０２は、ＣＣＥ集合レベル毎に異なるＳＳを設定する。その後、端末１０２は、ＣＣＥ集合レベル毎に異なるＳＳ内の予め決められた組み合わせのＣＣＥを用いてブラインドデコーディングを行なう。言い換えると、端末１０２は、ＣＣＥ集合レベル毎に異なるＳＳ内の各ＰＤＣＣＨの候補に対してブラインドデコーディングを行なう。端末１０２におけるこの一連の処理をＰＤＣＣＨのモニタリングと呼称する場合がある。
【００６５】
第２の制御チャネル（Ｅ−ＰＤＣＣＨ：Enhanced PDCCH, Extended PDCCH, X-PDCCH, PDCCH on PDSCH）は、第１の制御チャネル以外のOFDMシンボルに配置される。第２の制御チャネルと共用チャネルは、異なるリソースブロックに配置される。また、第２の制御チャネルと共用チャネルが配置されうるリソースブロックは、端末１０２毎に設定される。また、第２の制御チャネル領域が配置されうるリソースブロックには、自装置宛または他端末宛の共用チャネル（データチャネル）が設定されうる。また、第２の制御チャネルが配置されるＯＦＤＭシンボルのスタート位置は、共用チャネルと同様の方法を用いることができる。すなわち、基地局１０１は、第１の制御チャネルの一部のリソースを物理制御フォーマット指標チャネル（ＰＣＦＩＣＨ：Physical Control Format Indicator Channel）として設定し、第１の制御チャネルのＯＦＤＭシンボル数を示す情報をマッピングすることで実現できる。
【００６６】
また、第２の制御チャネルが配置されるＯＦＤＭシンボルのスタート位置は、予め規定しておき、例えば、サブフレームにおける先頭の４番目のＯＦＤＭシンボルとすることができる。そのとき、第１の制御チャネルのＯＦＤＭシンボルの数が２以下である場合、第２の制御チャネルが配置されるリソースブロックペアにおける２〜３番目のＯＦＤＭシンボルは、信号をマッピングせずにヌルとする。なお、ヌルとして設定されたリソースは、他の制御信号やデータ信号をさらにマッピングされることができる。また、第２の制御チャネルを構成するＯＦＤＭシンボルのスタート位置は、上位層の制御情報を通じて設定されることができる。また、図２に示すサブフレームは時間多重（ＴＤＭ：Time Division Multiplexing）され、第２の制御チャネルはサブフレーム毎に設定できる。
【００６７】
Ｅ−ＰＤＣＣＨを検索するためのＳＳとして、ＰＤＣＣＨと同様に複数のＣＣＥからＳＳを構成することができる。すなわち、図２に示した第２の制御チャネルの領域として設定された領域内の複数リソースエレメントからリソースエレメントグループを構成し、さらに複数のリソースエレメントからＣＣＥを構成する。これにより、上記のＰＤＣＣＨの場合と同様にＥ−ＰＤＣＣＨを検索（モニタリング）するためのＳＳを構成することができる。
【００６８】
あるいは、Ｅ−ＰＤＣＣＨを検索するためのＳＳとして、ＰＤＣＣＨとは異なり、１つ以上のリソースブロックからＳＳを構成することができる。すなわち、図２に示した第２の制御チャネルの領域として設定された領域内のリソースブロックを単位とし、１つ以上のリソースブロックからなる集合（RB Aggregation）によりＥ−ＰＤＣＣＨを検索するためのＳＳが構成される。この集合を構成するＲＢの数を、「ＲＢ集合レベル」（RB aggregation level）と称す。最も小さいＲＢから番号の連続する複数のＲＢからＳＳは構成され、番号の連続する１つ以上のＲＢの数は予め決められている。各ＲＢ集合レベルのＳＳは、複数のＥ−ＰＤＣＣＨの候補の集合体により構成される。
【００６９】
基地局１０１は、端末１０２において設定されるＳＳ内の１個以上のＲＢを用いてＸ−ＰＤＣＣＨを送信する。端末１０２は、ＳＳ内の１個以上のＲＢを用いて受信信号の復号を行ない、自装置（自身）宛のＥ−ＰＤＣＣＨを検出するための処理を行なう（ブラインドデコーディングする）。端末１０２は、ＲＢ集合レベル毎に異なるＳＳを設定する。その後、端末１０２は、ＲＢ集合レベル毎に異なるＳＳ内の予め決められた組み合わせのＲＢを用いてブラインドデコーディングを行なう。言い換えると、端末１０２は、ＲＢ集合レベル毎に異なるＳＳ内の各Ｅ−ＰＤＣＣＨの候補に対してブラインドデコーディングを行なう（Ｅ−ＰＤＣＣＨをモニタリングする）。端末１０２は、ブランドデコーディングを行う際、ＰＤＣＣＨに含まれるＤＣＩフォーマットを特定することができる。ＤＣＩフォーマットの種類によって構成するビット数が異なるため、端末１０２は、ＤＣＩフォーマットを構成しているビット数によってどのＤＣＩフォーマットであるかを判定することができる。
【００７０】
基地局１０１が端末１０２に対して第２の制御チャネルを通じて制御信号を通知する場合、基地局１０１は端末１０２に対して第２の制御チャネルのモニタリングを設定し、第２の制御チャネルに端末１０２に対する制御信号をマッピングする。また、基地局１０１が端末１０２に対して第１の制御チャネルを通じて制御信号を通知する場合、基地局１０１は端末１０２に対して第２の制御チャネルのモニタリングを設定せずに、第１の制御チャネルに端末１０２に対する制御信号をマッピングする。
【００７１】
一方、端末１０２は、基地局１０１によって第２の制御チャネルのモニタリングが設定された場合、第２の制御チャネルに対して、端末１０２宛の制御信号をブラインドデコーディングする。また、端末１０２は、基地局１０１によって第２の制御チャネルのモニタリングが設定されない場合、第２の制御チャネルに対して、端末１０２宛の制御信号をブラインドデコーディングしない。
【００７２】
以下では、第２の制御チャネルにマッピングされる制御信号について説明する。第２の制御チャネルにマッピングされる制御信号は、１つの端末１０２に対する制御情報毎に処理され、データ信号と同様に、スクランブル処理、変調処理、レイヤーマッピング処理、プリコーディング処理等が行われる。また、第２の制御チャネルにマッピングされる制御信号は、端末固有参照信号と共に、端末１０２に固有のプリコーディング処理が行われる。そのとき、プリコーディング処理は、端末１０２に好適なプリコーディング重みにより行われることが好ましい。例えば、同一のリソースブロック内の第２の制御チャネルの信号と端末固有参照信号とに共通のプリコーディング処理が行われる。
【００７３】
また、第２の制御チャネルにマッピングされる制御信号は、サブフレームにおける前方のスロット（第１のスロット）と後方のスロット（第２のスロット）でそれぞれ異なる制御情報を含めてマッピングされることができる。例えば、サブフレームにおける前方のスロットには、基地局１０１が端末１０２に対して送信するデータ信号の下りリンク共用チャネルにおける割り当て情報（下りリンク割り当て情報）を含む制御信号がマッピングされる。また、サブフレームにおける後方のスロットには、端末１０２が基地局１０１に対して送信するデータ信号の上りリンク共用チャネルにおける割り当て情報（上りリンク割り当て情報）を含む制御信号がマッピングされる。なお、サブフレームにおける前方のスロットには、基地局１０１が端末１０２に対する上りリンク割り当て情報を含む制御信号がマッピングされ、サブフレームにおける後方のスロットには、端末１０２が基地局１０１に対する下りリンク割り当て情報を含む制御信号がマッピングされてもよい。
【００７４】
また、第２の制御チャネルにおける前方および／または後方のスロットには、端末１０２または他の端末１０２に対するデータ信号がマッピングされてもよい。また、第２の制御チャネルにおける前方および／または後方のスロットには、端末１０２または第２の制御チャネルが設定された端末（端末１０２を含む）に対する制御信号がマッピングされてもよい。
【００７５】
また、第２の制御チャネルにマッピングされる制御信号には、基地局１０１によって、端末固有参照信号が多重される。端末１０２は、第２の制御チャネルにマッピングされる制御信号を、多重される端末固有参照信号によって復調処理を行う。また、アンテナポート７〜１４の一部または全部の端末固有参照信号が用いられる。そのとき、第２の制御チャネルにマッピングされる制御信号は、複数のアンテナポートを用いてＭＩＭＯ送信されることができる。
【００７６】
例えば、第２の制御チャネルにおける端末固有参照信号は、予め規定されたアンテナポートおよびスクランブル符号を用いて送信される。具体的には、第２の制御チャネルにおける端末固有参照信号は、予め規定されたアンテナポート７およびスクランブルＩＤを用いて生成される。
【００７７】
また、例えば、第２の制御チャネルにおける端末固有参照信号は、ＲＲＣシグナリングまたはＰＤＣＣＨシグナリングを通じて通知されるアンテナポートおよびスクランブルＩＤを用いて生成される。具体的には、第２の制御チャネルにおける端末固有参照信号に用いられるアンテナポートとして、ＲＲＣシグナリングまたはＰＤＣＣＨシグナリングを通じて、アンテナポート７またはアンテナポート８のいずれかが通知される。第２の制御チャネルにおける端末固有参照信号に用いられるスクランブルＩＤとして、ＲＲＣシグナリングまたはＰＤＣＣＨシグナリングを通じて、０〜３のいずれかの値が通知される。
【００７８】
図３は、本発明の基地局１０１の構成を示す概略ブロック図である。図示するように、基地局１０１は、上位層処理部３０１、制御部３０３、受信部３０５、送信部３０７、チャネル測定部３０９、および、送受信アンテナ３１１、を含んで構成される。また、上位層処理部３０１は、無線リソース制御部３０１１、ＳＲＳ設定部３０１３と送信電力設定部３０１５を含んで構成される。また、受信部３０５は、復号化部３０５１、復調部３０５３、多重分離部３０５５と無線受信部３０５７を含んで構成される。また、送信部３０７は、符号化部３０７１、変調部３０７３、多重部３０７５、無線送信部３０７７と下りリンク参照信号生成部３０７９を含んで構成される。
【００７９】
上位層処理部３０１は、媒体アクセス制御（ＭＡＣ：Medium Access Control）層、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行う。
【００８０】
上位層処理部３０１が備える無線リソース制御部３０１１は、下りリンクの各チャネルに配置する情報を生成、又は上位ノードから取得し、送信部３０７に出力する。また、無線リソース制御部３０１１は、上りリンクの無線リソースの中から、端末１０２が上りリンクのデータ情報である物理上りリンク共用チャネル（ＰＵＳＣＨ：Physical Uplink Shared Channel）を配置する無線リソースを割り当てる。また、無線リソース制御部３０１１は、下りリンクの無線リソースの中から、下りリンクのデータ情報である物理下りリンク共用チャネル（ＰＤＳＣＨ：Physical Downlink Shared Channel）を配置する無線リソースを決定する。無線リソース制御部３０１１は、当該無線リソースの割り当てを示す下りリンク制御情報を生成し、送信部３０７を介して端末１０２に送信する。無線リソース制御部３０１１は、ＰＵＳＣＨを配置する無線リソースを割り当てる際に、チャネル測定部３０９から入力された上りリンクのチャネル測定結果を基に、チャネル品質のよい無線リソースを優先的に割り当てる。
【００８１】
上位層処理部３０１は、端末１０２から物理上りリンク制御チャネル（ＰＵＣＣＨ：Physical Uplink Control Channel）で通知された上りリンク制御情報（ＵＣＩ：Uplink Control Information）、および端末１０２から通知されたバッファの状況や無線リソース制御部３０１１が設定した端末１０２各々の各種設定情報に基づき、受信部３０５および送信部３０７の制御を行うために制御情報を生成し、制御部３０３に出力する。なお、ＵＣＩには、Ａｃｋ／Ｎａｃｋ、チャネル品質情報（ＣＱＩ：Channel Quality Indicator）、スケジューリング要求（ＳＲ：Scheduling Request）のうち少なくとも１つが含まれる。
【００８２】
ＳＲＳ設定部３０１３は、端末１０２がサウンディング参照信号（ＳＲＳ：Sounding Reference Signal）を送信するための無線リソースを予約するサブフレームであるサウンディングサブフレーム、およびサウンディングサブフレーム内でＳＲＳを送信するために予約する無線リソースの帯域幅を設定し、前記設定に関する情報をシステム情報（ＳＩ：System Information）として生成し、送信部３０７を介して、ＰＤＳＣＨで報知する。また、ＳＲＳ設定部３０１３は、端末１０２各々に周期的にピリオディックＳＲＳ（Ｐ−ＳＲＳ：Periodic SRS）を送信するサブフレーム、周波数帯域、およびＰ−ＳＲＳのＣＡＺＡＣ（Constant Amplitude Zero Auto-Correlation）系列に用いるサイクリックシフトの量を設定し、前記設定に関する情報を含む信号を無線リソース制御（ＲＲＣ：Radio Resource Control）信号として生成し、送信部３０７を介して、端末１０２各々にＰＤＳＣＨで通知する。なお、Ｐ−ＳＲＳはトリガータイプ０ＳＲＳ（Trigger type 0 SRS, Type 0 triggered SRS）と呼称する場合がある。なお、上述のシステム情報は、システム情報ブロック（ＳＩＢ：System Information Block）と呼称する場合がある。なお、サウンディングサブフレームはＳＲＳサブフレームやＳＲＳ送信サブフレームと呼称される場合がある。
【００８３】
また、ＳＲＳ設定部３０１３は、端末１０２各々にアピリオディックＳＲＳ（Ａ−ＳＲＳ：Aperiodic SRS）を送信する周波数帯域、およびＡ−ＳＲＳのＣＡＺＡＣ系列に用いるサイクリックシフトの量を設定し、前記設定に関する情報を含む信号を無線リソース制御信号として生成し、送信部３０７を介して、端末１０２各々にＰＤＳＣＨで通知する。また、ＳＲＳ設定部は、端末１０２にＡ−ＳＲＳの送信を要求する場合、端末１０２にＡ−ＳＲＳの送信を要求するか否かを指示するＳＲＳリクエストを生成し、送信部３０７を介して、端末１０２にＰＤＣＣＨまたはＥ−ＰＤＣＣＨで通知する。ここで、ＰＤＣＣＨは第１の制御チャネル領域、Ｅ−ＰＤＣＣＨは第２の制御チャネル領域と呼称される場合がある。
【００８４】
ＳＲＳリクエストは、下りリンク制御情報（ＤＣＩ：Downlink Control Information）フォーマットに含まれる。また、ＤＣＩフォーマットは、端末１０２に制御チャネル領域（ＰＤＣＣＨ、Ｅ−ＰＤＣＣＨ）で送信される。また、ＳＲＳリクエストを含むＤＣＩフォーマットには、上りリンクグラントまたは下りリンクアサインメントが含まれる。ＤＣＩフォーマットは、複数の種類が用意されており、ＳＲＳリクエストはそのうちの少なくとも１つには含まれている。例えば、ＳＲＳリクエストは上りリンクグラントであるＤＣＩフォーマット０に含まれてもよい。また、ＳＲＳリクエストは下りリンクアサインメントであるＤＣＩフォーマット１Ａに含まれてもよい。また、ＳＲＳリクエストはＭＩＭＯ用の上りリンクグラントであるＤＣＩフォーマット４に含まれてもよい。また、ＴＤＤに対してのみ適用されるＳＲＳリクエストはＤＬＭＩＭＯ用のＤＣＩフォーマット２Ｂ／２Ｃに含まれてもよい。なお、ＭＩＭＯ用のＤＣＩフォーマットは、トランスポートブロックに関する情報やプリコーディングに関する情報と関連付けられたＤＣＩフォーマットのことである。
【００８５】
また、ＳＲＳリクエストは、１ビットの情報で制御されてもよい。つまり、Ａ−ＳＲＳの送信を要求するか否かを１ビットの情報で制御することができる。例えば、基地局１０１が、ＳＲＳリクエストを第１の値の情報ビット（例えば、‘０’）に設定した場合、端末１０２に対してＡ−ＳＲＳの送信を行わないように制御し、ＳＲＳリクエストを第２の値の情報ビット（例えば、‘１’）に設定した場合、端末１０２に対してＡ−ＳＲＳの送信を行うように制御することができる。また、ＳＲＳリクエストは、２ビットの情報で制御されてもよい。つまりＡ−ＳＲＳの送信を行うか否かを示す情報以外に、種々のＳＲＳパラメータ（または、パラメータセット）と２ビットの情報で表されるインデックスを関連付けることもできる。ここで、ＳＲＳパラメータには、送信帯域幅（srs-BandwidthAp-r10）が含まれてもよい。また、ＳＲＳパラメータには、ＳＲＳのアンテナポート数（srs-AntennaPort）が含まれてもよい。また、ＳＲＳパラメータには、ＳＲＳのサイクリックシフト（cyclicShift）が含まれてもよい。ＳＲＳパラメータには、櫛状配置の周波数オフセットである送信コーム（transmissionComb）が含まれてもよい。ＳＲＳパラメータには、周波数ポジション（freqDomainPosition）が含まれてもよい。また、ＳＲＳパラメータには、送信周期およびサブフレームオフセット（srs-ConfigIndex）が含まれてもよい。また、ＳＲＳパラメータには、ＳＲＳの周波数ホッピングの領域（帯域幅）を示すホッピング帯域幅（srs-HoppingBandwidth）が含まれてもよい。また、ＳＲＳパラメータには、ＳＲＳの送信回数（duration）が含まれてもよい。また、ＳＲＳパラメータには、ＳＲＳの電力オフセット（pSRS-Offset）が含まれてもよい。また、ＳＲＳパラメータには、ＳＲＳの基準系列をセットするためのパラメータ（srs-cellId）が含まれてもよい。また、ＳＲＳパラメータには、ＳＲＳの帯域幅コンフィグレーション（srs-BandwidthConfig）が含まれてもよい。また、ＳＲＳパラメータには、ＳＲＳのサブフレームコンフィグレーション（srs-SubframeConfig）が含まれてもよい。また、ＳＲＳパラメータには、ＳＲＳとＡｃｋ／Ｎａｃｋの同時送信を行なうか否かを指示するための情報（ackNackSRS-SimultaneousTransmission）が含まれてもよい。また、ＳＲＳパラメータには、ＵｐＰＴＳにおけるＳＲＳの送信シンボル数を指示する情報（srs-MaxUpPts）が含まれてもよい。また、ＳＲＳの電力オフセットは、種々のＳＲＳパラメータセットに対応付けられて設定されてもよい。例えば、第１のＳＲＳパラメータセットと第１のＳＲＳの電力オフセットが対応付けられ、第２のＳＲＳパラメータセットと第２のＳＲＳの電力オフセットが対応付けられてもよい。例えば、ＰＳＲＳ＿ＯＦＦＳＥＴ（０）は、Ｐ−ＳＲＳの電力オフセットとしてセットされ、ＰＳＲＳ＿ＯＦＦＳＥＴ（１）は、Ａ−ＳＲＳの電力オフセットとしてセットされ、ＰＳＲＳ＿ＯＦＦＳＥＴ（２）は、ＤＬ  ＣＳＩ用のＳＲＳの電力オフセットとしてセットされてもよい。また、ＰＳＲＳ＿ＯＦＦＳＥＴ（３）は、ＵＬ  ＣＳＩ用のＳＲＳの電力オフセットとしてセットされてもよい。また、ＳＲＳパラメータには、基準系列にセットされるセルＩＤが含まれてもよい。また、これらのＳＲＳパラメータは、ＳＲＳパラメータセットとして設定されてもよい。つまり、ＳＲＳパラメータセットは、上記種々のＳＲＳパラメータで構成されてもよい。例えば、２ビットで示される情報として第１の値から第４の値にセットした情報ビットで表せるとすると、基地局１０１が、ＳＲＳリクエストを第１の値の情報ビット（例えば、‘０１’）に設定した場合、端末１０２に対して第１のＳＲＳパラメータセットで生成したＡ−ＳＲＳを送信させるように制御することができ、ＳＲＳリクエストを第２の値の情報ビット（例えば、‘１０’）に設定した場合、端末１０２に対して第２のＳＲＳパラメータセットで生成したＡ−ＳＲＳを送信させるように制御することができ、ＳＲＳリクエストを第３の値の情報ビット（例えば、‘１１’）に設定した場合、端末１０２に対して第３のＳＲＳパラメータセットで生成したＡ−ＳＲＳを送信させるように制御することができ、ＳＲＳリクエストを第４の値の情報ビット（例えば、‘００’）に設定した場合、端末１０２に対してＡ−ＳＲＳの送信を行なわせないように制御することができる。つまり、基地局１０１およびＲＲＨ１０３は、端末１０２に対してＡ−ＳＲＳの送信要求を行なわないことを指示することができる。上述した各ＳＲＳパラメータセットは、ＳＲＳパラメータセットに含まれている種々のＳＲＳパラメータのうち少なくとも１つのＳＲＳパラメータの値（または、ＳＲＳパラメータと関連付けられたインデックス）が異なる値になるように設定することができる。また、上記ＳＲＳパラメータセットは、上記複数のＳＲＳパラメータのうち少なくとも１つのＳＲＳパラメータから構成される。なお、Ａ−ＳＲＳは、トリガータイプ１ＳＲＳ（Trigger type 1 SRS, Type 1 triggered SRS）と呼称される場合がある。なお、ＳＲＳパラメータセットは、ＳＲＳコンフィグ（SRS-Config）と呼称される場合がある。なお、端末１０２にＡ−ＳＲＳの送信を要求することを指示するＳＲＳリクエストはポジティブＳＲＳリクエストと呼称される場合がある。また、端末１０２にＡ−ＳＲＳの送信を要求しないことを指示するＳＲＳリクエストはネガティブＳＲＳリクエストと呼称される場合がある。
【００８６】
さらに、ＳＲＳパラメータセットは、ＤＣＩフォーマット毎に設定されうる。すなわち、ＤＣＩフォーマットに含まれるＳＲＳリクエストに対応したＳＲＳパラメータセットが設定されうる。つまり、ＤＣＩフォーマット０には、ＤＣＩフォーマット０に対応したＳＲＳパラメータセットが設定され、ＤＣＩフォーマット１Ａには、ＤＣＩフォーマット１Ａに対応したＳＲＳパラメータセットが設定されうる。これらの設定情報は、ＳＲＳ５０１３で設定される。
【００８７】
さらに、ＳＲＳパラメータセットは、Ａ−ＳＲＳとＰ−ＳＲＳで独立に設定されうる。ただし、ＳＲＳ設定部３０１３は、一部のパラメータについてＡ−ＳＲＳとＰ−ＳＲＳで共有するように設定してもよい。例えば、ある特定のサービングセルに対するＳＲＳサブフレームは、Ａ−ＳＲＳとＰ−ＳＲＳで共有されてもよい。ある特定のサービングセルに対するＳＲＳの最大帯域幅は、Ａ−ＳＲＳとＰ−ＳＲＳで共有されてもよい。ある特定のサービングセルに対するホッピング帯域幅は、Ａ−ＳＲＳとＰ−ＳＲＳで共有されてもよい。
【００８８】
さらに、ＳＲＳパラメータセットは、ＤＣＩフォーマット間で共有されてもよい。また、ＳＲＳパラメータセットは、ＤＣＩフォーマット毎に独立に設定されてもよい。また、一部のＳＲＳパラメータについては、ＳＲＳパラメータセット間で共有してもよい。例えば、ＳＲＳの送信周期およびサブフレームオフセットはＳＲＳパラメータセット間で共有されてもよい。また、ホッピング帯域幅はＳＲＳパラメータセット間で共有されてもよい。
【００８９】
さらに、ＳＲＳ設定部３０１３は、ＳＲＳリクエストがＤＣＩフォーマットに追加されているか否かを示す情報（srs-ActivateAp-r10）をセットし、送信部３０７を介して、その情報を端末１０２へ送信する。端末１０２は、その情報を通じてＤＣＩフォーマットにＳＲＳリクエストが追加されているか否かを認識し、受信したＤＣＩフォーマットの復調を適切に行うことができる。例えば、ＳＲＳリクエストがＤＣＩフォーマットに追加されているか否かを示す情報において、ＳＲＳリクエストが追加されていると示されている場合、端末１０２はＤＣＩフォーマット０やＤＣＩフォーマット１Ａ／２Ｂ／２ＣにＳＲＳリクエストが追加されたと認識し、復調・復号処理を行なう。
【００９０】
さらに、ＳＲＳ設定部３０１３は、ＳＲＳの基準系列をセットするために必要なセルＩＤを設定し、制御部３０３を通じて送信部３０７からＲＲＣ信号で端末１０２へ送信する。なお、これらのセルＩＤは、ＳＲＳパラメータセットに個別に設定されてもよい。また、これらのセルＩＤは、ＤＣＩフォーマット毎に設定されてもよい。
【００９１】
送信電力設定部３０１５は、ＰＲＡＣＨ、ＰＵＣＣＨ、ＰＵＳＣＨ、Ｐ−ＳＲＳ、およびＡ−ＳＲＳの送信電力を設定する。具体的には、送信電力設定部３０１５は、隣接する基地局からの干渉量を示す情報、隣接する基地局から通知された隣接する基地局１０１に与えている干渉量を示す情報、また、チャネル測定部３０９から入力されたチャネルの品質などに応じて、ＰＵＳＣＨなどが所定のチャネル品質を満たすよう、また、隣接する基地局への干渉を考慮し、端末１０２の送信電力を設定し、前記設定を示す情報を、送信部３０７を介して、端末１０２に送信する。
【００９２】
具体的には、送信電力設定部３０１５は、下記式のＰ０＿ＰＵＳＣＨ、α、Ｐ−ＳＲＳ用の電力オフセットＰＳＲＳ＿ＯＦＦＳＥＴ（０）（第１のオフセット値（pSRS-Offset））、Ａ−ＳＲＳ用の電力オフセットＰＳＲＳ＿ＯＦＦＳＥＴ（１）（第２のオフセット値（pSRS-OffsetAp-r10））を設定し、前記設定を示す情報を含む信号をＲＲＣ信号として生成し、送信部３０７を介して、端末１０２各々にＰＤＳＣＨで通知する。また、送信電力設定部３０１５は、下記式のｆ（ｉ）を算出するためのＴＰＣコマンドを設定し、ＴＰＣコマンドを示す信号を生成し、送信部３０７を介して、端末１０２各々にＰＤＣＣＨで通知する。なお、ここで述べるαとはパスロス値と共に下記数式における送信電力算出に用いられ、パスロスを補償する度合いを表す係数、言い換えるとパスロスに応じてどの程度電力を増減させるかを決定する係数（減衰係数、伝送路損失補償係数）である。αは通常０から１の値をとり、０であればパスロスに応じた電力の補償は行わず、１であればパスロスの影響が基地局１０１において生じないよう端末１０２の送信電力を増減させることとなる。また、端末１０２の状態を考慮して、ＳＲＳのＴＰＣコマンドを設定し、そのＴＰＣコマンドを示す信号を生成し、送信部３０７を介して、端末１０２各々にＰＤＣＣＨで通知する。また、そのＴＰＣコマンドを含むＤＣＩフォーマットを生成し、送信部３０７を介して、端末１０２各々にＰＤＣＣＨで通知する。そのＴＰＣコマンドを含むＤＣＩフォーマットはＥ−ＰＤＣＣＨで通知されてもよい。
【００９３】
制御部３０３は、上位層処理部３０１からの制御情報に基づいて、受信部３０５、および送信部３０７の制御を行う制御信号を生成する。制御部３０３は、生成した制御信号を受信部３０５、および送信部３０７に出力して受信部３０５、および送信部３０７の制御を行う。
【００９４】
受信部３０５は、制御部３０３から入力された制御信号に従って、送受信アンテナ３１１を介して端末１０２から受信した受信信号を分離、復調、復号し、復号した情報を上位層処理部３０１に出力する。無線受信部３０５７は、送受信アンテナ３１１を介して受信した上りリンクの信号を、中間周波数（ＩＦ：Intermediate Frequency）に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部３０５７は、変換したディジタル信号からガードインターバル（ＧＩ：Guard Interval）に相当する部分を除去する。無線受信部３０５７は、ガードインターバルを除去した信号に対して高速フーリエ変換（ＦＦＴ：Fast Fourier Transform）を行い、周波数領域の信号を抽出し、多重分離部３０５５に出力する。
【００９５】
多重分離部３０５５は、無線受信部３０５７から入力された信号をＰＵＣＣＨ、ＰＵＳＣＨ、ＵＬ  ＤＭＲＳ（ＰＵＳＣＨ  ＤＭＲＳ，ＰＵＣＣＨ  ＤＭＲＳ）、ＳＲＳなどの信号に、それぞれ分離する。尚、この分離は、予め基地局１０１が決定して各端末１０２に通知した無線リソースの割当情報に基づいて行われる。また、多重分離部３０５５は、チャネル測定部３０９から入力された伝送路の推定値から、ＰＵＣＣＨとＰＵＳＣＨの伝送路の補償を行なう。また、多重分離部３０５５は、分離したＵＬ  ＤＭＲＳおよびＳＲＳをチャネル測定部３０９に出力する。
【００９６】
復調部３０５３は、ＰＵＳＣＨを逆離散フーリエ変換（ＩＤＦＴ：Inverse Discrete Fourier Transform）し、変調シンボルを取得し、ＰＵＣＣＨとＰＵＳＣＨの変調シンボルそれぞれに対して、２位相偏移変調（ＢＰＳＫ：Binary Phase Shift Keying）、４相位相偏移変調（ＱＰＳＫ：Quadrature Phase Shift Keying）、１６値直交振幅変調（１６ＱＡＭ：16 Quadrature Amplitude Modulation）、６４値直交振幅変調（６４ＱＡＭ：64 Quadrature Amplitude Modulation）等の予め定められた、または基地局１０１が端末１０２各々に下りリンク制御情報で予め通知した変調方式を用いて受信信号の復調を行なう。
【００９７】
復号化部３０５１は、復調したＰＵＣＣＨとＰＵＳＣＨの符号化ビットを、予め定められた符号化方式の、予め定められた、又は基地局１０１が端末１０２に上りリンクグラント（UL grant）で予め通知した符号化率で復号を行ない、復号したデータ情報と、上りリンク制御情報を上位層処理部３０１へ出力する。
【００９８】
チャネル測定部３０９は、多重分離部３０５５から入力された上りリンク復調参照信号ＵＬ  ＤＭＲＳとＳＲＳから伝送路の推定値、チャネルの品質などを測定し、多重分離部３０５５および上位層処理部３０１に出力する。
【００９９】
送信部３０７は、制御部３０３から入力された制御信号に従って、下りリンクの参照信号（下りリンク参照信号）を生成し、上位層処理部３０１から入力されたデータ情報、下りリンク制御情報を符号化、および変調し、ＰＤＣＣＨ、ＰＤＳＣＨ、および下りリンク参照信号を多重して、送受信アンテナ３１１を介して端末１０２に信号を送信する。
【０１００】
符号化部３０７１は、上位層処理部３０１から入力された下りリンク制御情報、およびデータ情報を、ターボ符号化、畳み込み符号化、ブロック符号化等の符号化を行う。変調部３０７３は、符号化ビットをＱＰＳＫ、１６ＱＡＭ、６４ＱＡＭ等の変調方式で変調する。下りリンク参照信号生成部３０７９は、基地局１０１を識別するためのセルＩＤ（Ｃｅｌｌ  ＩＤ）などを基に予め定められた規則で求まる、端末１０２が既知の系列を下りリンク参照信号として生成する。多重部３０７５は、変調した各チャネルと生成した下りリンク参照信号を多重する。なお、セルＩＤはセル識別子と呼称される場合がある。
【０１０１】
無線送信部３０７７は、多重した変調シンボルを逆高速フーリエ変換（ＩＦＦＴ：Inverse Fast Fourier Transform）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数（ＲＦ：Radio Frequency）の信号に変換（アップコンバート）し、余分な周波数成分を除去し、電力増幅し、送受信アンテナ３１１に出力して送信する。なお、ここでは図示しないがＲＲＨ１０３も基地局１０１と同様の構成であると考える。
【０１０２】
図４は、本実施形態に係る端末１０２の構成を示す概略ブロック図である。図示するように、端末１０２は、上位層処理部４０１、制御部４０３、受信部４０５、送信部４０７、チャネル測定部４０９、および、送受信アンテナ４１１、を含んで構成される。また、上位層処理部４０１は、無線リソース制御部４０１１、ＳＲＳ制御部４０１３と送信電力制御部４０１５を含んで構成される。また、受信部４０５は、復号化部４０５１、復調部４０５３、多重分離部４０５５と無線受信部４０５７を含んで構成される。また、送信部４０７は、符号化部４０７１、変調部４０７３、多重部４０７５と無線送信部４０７７を含んで構成される。
【０１０３】
上位層処理部４０１は、ユーザの操作等により生成された上りリンクのデータ情報を、送信部４０７に出力する。また、上位層処理部４０１は、媒体アクセス制御（ＭＡＣ：Medium Access Control）層、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行う。
【０１０４】
上位層処理部４０１が備える無線リソース制御部４０１１は、自装置の各種設定情報の管理を行なう。また、無線リソース制御部４０１１は、上りリンクの各チャネルに配置する情報を生成し、送信部４０７に出力する。無線リソース制御部４０１１は、基地局１０１からＰＤＣＣＨで通知された下りリンク制御情報、およびＰＤＳＣＨで通知された無線リソース制御情報で設定された無線リソース制御部４０１１が管理する自装置の各種設定情報に基づき、受信部４０５、および送信部４０７の制御を行うために制御情報を生成し、制御部４０３に出力する。
【０１０５】
上位層処理部４０１が備えるＳＲＳ制御部４０１３は、基地局１０１が報知しているＳＲＳを送信するための無線リソースを予約するサブフレームであるサウンディングサブフレーム、およびサウンディングサブフレーム内でＳＲＳを送信するために予約する無線リソースの帯域幅を示す情報、および、基地局１０１が自装置に通知したＰ−ＳＲＳを送信するサブフレームと、周波数帯域と、Ｐ−ＳＲＳのＣＡＺＡＣ系列に用いるサイクリックシフトの量と、を示す情報、および、基地局１０１が自装置に通知したＡ−ＳＲＳを送信する周波数帯域と、Ａ−ＳＲＳのＣＡＺＡＣ系列に用いるサイクリックシフトの量と、を示す情報を受信部４０５から取得する。
【０１０６】
ＳＲＳ制御部４０１３は、前記情報に従ってＳＲＳ送信の制御を行なう。具体的には、ＳＲＳ制御部４０１３は、前記Ｐ−ＳＲＳに関する情報に従ってＰ−ＳＲＳを１回または周期的に送信するよう送信部４０７を制御する。また、ＳＲＳ制御部４０１３は、受信部４０５から入力されたＳＲＳリクエストにおいてＡ−ＳＲＳの送信を要求された場合、前記Ａ−ＳＲＳに関する情報に従ってＡ−ＳＲＳを予め定められた回数（例えば、１回）だけ送信する。
【０１０７】
また、ＳＲＳ制御部４０１３は、特定のＤＣＩフォーマットに含まれるＳＲＳリクエストについては、ＳＲＳリクエストにセットされた情報ビットの値に応じてセットされたＳＲＳパラメータセットに基づいてＡ−ＳＲＳを生成するよう上りリンク参照信号生成部４０７９を制御する。
【０１０８】
上位層処理部４０１が備える送信電力制御部４０１５は、ＰＲＡＣＨ、ＰＵＣＣＨ、ＰＵＳＣＨ、Ｐ−ＳＲＳ、およびＡ−ＳＲＳの送信電力の設定を示す情報を基に、送信電力の制御を行うよう、制御部４０３に制御情報を出力する。具体的には、送信電力制御部４０１５は、受信部４０５から取得したＰ０＿ＰＵＳＣＨ、α、Ｐ−ＳＲＳ用の電力オフセットＰＳＲＳ＿ＯＦＦＳＥＴ（０）（第１のオフセット値（pSRS-Offset））、Ａ−ＳＲＳ用の電力オフセットＰＳＲＳ＿ＯＦＦＳＥＴ（１）（第２のオフセット値（pSRS-OffsetAp-r10））、およびＴＰＣコマンドを基に、下記数式からＰ−ＳＲＳの送信電力とＡ−ＳＲＳの送信電力各々を制御する。尚、送信電力制御部４０１５は、ＰＳＲＳ＿ＯＦＦＳＥＴに対してＰ−ＳＲＳかＡ−ＳＲＳかに応じてパラメータを切り替える。また、Ｐ０＿ＰＵＳＣＨ、α、Ｐ０＿ＰＵＣＣＨ、ＰＳＲＳ＿ＯＦＦＳＥＴなどを複数設定する場合には、どのαを用いて上りリンク送信電力制御を行うかを示す制御情報も制御部４０３に出力する。
【０１０９】
また、端末１０２は、上位層処理部４０１において基地局１０１および／またはＲＲＨ１０３からＤＣＩフォーマット０／１Ａ／２Ｂ／２ＣのＳＲＳリクエストに対応するＳＲＳパラメータセットがセットされた場合に、各ＤＣＩフォーマットにＳＲＳリクエストが追加されたと認識する。制御部４０３は、その情報を受信部４０５に通知し、受信部４０５は各ＤＣＩフォーマットにＳＲＳリクエストが追加されたと認識し、復調・復号処理を行なう。つまり、受信部４０５は、ＤＣＩフォーマットにＳＲＳリクエストのためのフィールド（情報ビット）が追加されたと認識し、その追加を考慮してＤＣＩフォーマットの復調・復号処理を行なう。つまり、受信部４０５は、ＤＣＩフォーマットのサイズ（ビットサイズ）がＳＲＳリクエストの有無に応じて変わるため、それらの変更を考慮してＤＣＩフォーマットの復調・復号処理を行なう。
【０１１０】
また、端末１０２は、上位層処理部４０１においてＤＣＩフォーマット０／１Ａ／２Ｂ／２Ｃ／４のＳＲＳリクエストに対応するＳＲＳの電力オフセットが設定された場合、各ＤＣＩフォーマットにＳＲＳに対するＴＰＣコマンドが追加されたと認識し、その追加を考慮してＤＣＩフォーマットの復調・復号処理を行なう。つまり、受信部４０５は、ＤＣＩフォーマットのサイズ（ビットサイズ）がＳＲＳに対するＴＰＣコマンドの有無に応じて変わるため、それらの変更を考慮してＤＣＩフォーマットの復調・復号処理を行なう。
【０１１１】
制御部４０３は、上位層処理部４０１からの制御情報に基づいて、受信部４０５、および送信部４０７の制御を行う制御信号を生成する。制御部４０３は、生成した制御信号を受信部４０５、および送信部４０７に出力して受信部４０５、および送信部４０７の制御を行う。
【０１１２】
受信部４０５は、制御部４０３から入力された制御信号に従って、送受信アンテナ４１１を介して基地局１０１から受信した受信信号を、分離、復調、復号し、復号した情報を上位層処理部４０１に出力する。
【０１１３】
無線受信部４０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部４０５７は、変換したディジタル信号からガードインターバルに相当する部分を除去し、ガードインターバルを除去した信号に対して高速フーリエ変換を行い、周波数領域の信号を抽出する。
【０１１４】
多重分離部４０５５は、抽出した信号を物理下りリンク制御チャネル（ＰＤＣＣＨ：Physical Downlink Control Channel）、ＰＤＳＣＨ、および下りリンク参照信号（ＤＲＳ：Downlink Reference Signal）に、それぞれ分離する。なお、この分離は、下りリンク制御情報で通知された無線リソースの割り当て情報などに基づいて行われる。また、多重分離部４０５５は、チャネル測定部４０９から入力された伝送路の推定値から、ＰＤＣＣＨとＰＤＳＣＨの伝送路の補償を行なう。また、多重分離部４０５５は、分離した下りリンク参照信号をチャネル測定部４０９に出力する。
【０１１５】
復調部４０５３は、ＰＤＣＣＨに対して、ＱＰＳＫ変調方式の復調を行ない、復号化部４０５１へ出力する。復号化部４０５１は、ＰＤＣＣＨの復号を試み、復号に成功した場合、復号した下りリンク制御情報を上位層処理部４０１に出力する。復調部４０５３は、ＰＤＳＣＨに対して、ＱＰＳＫ、１６ＱＡＭ、６４ＱＡＭ等の下りリンク制御情報で通知された変調方式の復調を行ない、復号化部４０５１へ出力する。復号化部４０５１は、下りリンク制御情報で通知された符号化率に対する復号を行い、復号したデータ情報を上位層処理部４０１へ出力する。
【０１１６】
チャネル測定部４０９は、多重分離部４０５５から入力された下りリンク参照信号から下りリンクのパスロスを測定し、測定したパスロスを上位層処理部４０１へ出力する。また、チャネル測定部４０９は、下りリンク参照信号から下りリンクの伝送路の推定値を算出し、多重分離部４０５５へ出力する。
【０１１７】
また、チャネル測定部４０９は、下りリンク参照信号であるセル固有参照信号（ＣＲＳ：Cell-specific Reference Signal）、端末固有参照信号（ＵＥ−ＲＳ：UE-specific Reference Signal、ＤＬ  ＤＭＲＳ：Downlink Demodulation Reference Signal）、伝送路状況情報参照信号（ＣＳＩ−ＲＳ：Channel State Information Reference Signal）のうち、少なくとも１つの下りリンク参照信号から受信電力（ＲＳＲＰ：Reference Signal Received Power）を測定し、その測定結果を基に、他の下りリンク参照信号の受信電力を推定する。例えば、基地局１０１からＣＲＳの送信電力（referenceSignalPower）が通知され、ＵＥＲＳやＣＳＩ−ＲＳについてはＣＲＳまたはＰＤＳＣＨとの電力比または電力オフセットが通知されていた場合、チャネル測定部４０９は、ＣＲＳのＲＳＲＰを測定し、通知された電力比から他の下りリンク参照信号の受信電力を推定する。なお、電力比は、ＥＰＲＥ（Energy Per Resource Element）比と呼称される場合がある。
【０１１８】
送信部４０７は、制御部４０３から入力された制御信号に従って、ＵＬ  ＤＭＲＳおよび／またはＳＲＳを生成し、上位層処理部４０１から入力されたデータ情報を符号化および変調し、ＰＵＣＣＨ、ＰＵＳＣＨ、および生成したＵＬ  ＤＭＲＳおよび／またはＳＲＳを多重し、ＰＵＣＣＨ、ＰＵＳＣＨ、ＵＬ  ＤＭＲＳ、およびＳＲＳの送信電力を調整し、送受信アンテナ４１１を介して基地局１０１に送信する。
【０１１９】
符号化部４０７１は、上位層処理部４０１から入力された上りリンク制御情報、およびデータ情報を、ターボ符号化、畳み込み符号化、ブロック符号化等の符号化を行う。変調部４０７３は、符号化部４０７１から入力された符号化ビットをＢＰＳＫ、ＱＰＳＫ、１６ＱＡＭ、６４ＱＡＭ等の変調方式で変調する。
【０１２０】
上りリンク参照信号生成部４０７９は、基地局１０１を識別するためのセルＩＤ、ＵＬ  ＤＭＲＳおよびＳＲＳを配置する帯域幅などを基に予め定められた規則で求まる、基地局１０１が既知のＣＡＺＡＣ系列を生成する。また、上りリンク参照信号生成部４０７９は、制御部４０３から入力された制御信号に従って、生成したＵＬ  ＤＭＲＳおよびＳＲＳのＣＡＺＡＣ系列にサイクリックシフトを与える。なお、ＣＡＺＡＣ系列は後述の基準系列によって求められてもよい。
【０１２１】
また、上りリンク参照信号生成部４０７９は、基地局１０１またはＲＲＨ１０３から上位層を通じてセルＩＤが通知された場合、そのセルＩＤに基づいてＵＬ  ＤＭＲＳやＳＲＳの基準系列をセットする。基準系列の設定方法は、下記数式に従ってもよい。
【０１２２】
多重部４０７５は、制御部４０３から入力された制御信号に従って、ＰＵＳＣＨの変調シンボルを並列に並び替えてから離散フーリエ変換（ＤＦＴ：Discrete Fourier Transform）し、ＰＵＣＣＨとＰＵＳＣＨの信号と生成したＵＬ  ＤＭＲＳおよびＳＲＳを多重する。
【０１２３】
無線送信部４０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ４１１に出力して送信する。
【０１２４】
次に、上りリンク送信電力の計算方法について説明する。端末１０２は、数式（１）からサービングセルｃのサブフレームｉのＰＵＳＣＨの上りリンク送信電力を決定する。
【数１】
2013236289.tif 000003
・・・（１）
ＰＣＭＡＸ，ｃは、サービングセルｃにおける端末１０２の最大送信電力を表している。ＭＰＵＳＣＨ，ｃは、サービングセルｃの送信帯域幅（周波数方向のリソースブロック数）を表している。また、ＰＯ＿ＰＵＳＣＨ，ｃは、サービングセルｃのＰＵＳＣＨの標準電力を表している。ＰＯ＿ＰＵＳＣＨ，ｃは、ＰＯ＿ＮＯＭＩＮＡＬ＿ＰＵＳＣＨ，ｃとＰＯ＿ＵＥ＿ＰＵＳＣＨ、ｃから決定される。ＰＯ＿ＮＯＭＩＮＡＬ＿ＰＵＳＣＨ，ｃは、セル固有の上りリンク電力制御に関するパラメータである。ＰＯ＿ＵＥ＿ＰＵＳＣＨ，ｃは、端末固有の上りリンク電力制御に関するパラメータである。αは、セル全体のフラクショナル送信電力制御に用いられる減衰係数（伝送路損失補償係数）である。ＰＬｃは、パスロスであり、既知の電力で送信される参照信号とＲＳＲＰから求まる。例えば、基地局１０１（またはＲＲＨ１０３）と端末１０２間の伝送路損失（ＰＬ：Pathloss）が５ｄＢの場合、ＰＬｃはその値を補償するためのパラメータである。また、本発明においては、ＰＬｃは、第１の実施形態または第２の実施形態から求まるパスロスの計算結果であってもよい。ΔＴＦ，ｃは、数式（２）から求まる。
【数２】
2013236289.tif 000004
・・・（２）
ＢＰＲＥは、リソースエレメントに割り当て可能なビット数を示している。また、Ｋｓは、上位層からＲＲＣ信号を用いて通知される上りリンク電力制御に関するパラメータであり、上りリンク信号の変調符号化方式（MCS）に依存したパラメータ（deltaMCS-Enabled）である。また、ｆｃは、上りリンク電力制御に関するパラメータであるａｃｃｕｍｕｌａｔｉｏｎ−ｅｎａｂｌｅｄと上りリンクグラント（ＤＣＩフォーマット）に含まれるＴＰＣコマンドから決定される。
【０１２５】
また、ｆｃ（ｉ）は、下りリンク制御情報フォーマットに含まれる送信電力制御（ＴＰＣ：Transmission Power Control）コマンドδＰＵＳＣＨ，ｃに基づいてセットされる。δは、補正値であり、サービングセルｃに対するＤＣＩフォーマット０またはＤＣＩフォーマット４に含まれている。現在のＰＵＳＣＨの電力制御調整状態は、ｆｃ（ｉ）によって定義され、数式（３）から求まる。
【数３】
2013236289.tif 000005
・・・（３）
上位層によってａｃｃｕｍｕｌａｔｉｏｎ−ｅｎａｂｌｅｄが通知された場合、またはテンポラリーＣ−ＲＮＴＩによってスクランブルされたサービングセルｃに対するＤＣＩフォーマット０にＴＰＣコマンドδＰＵＳＣＨ，ｃが含まれている場合、端末１０２は、ＰＵＳＣＨの送信電力に対してＴＰＣコマンドによる積算処理（加算処理、アキュムレーション）を行う。δＰＵＳＣＨ，ｃ（ｉ−ＫＰＵＳＣＨ）は、サブフレームｉ−ＫＰＵＳＣＨのＤＣＩフォーマット０／４または３／３Ａで通知されたＴＰＣコマンドによる電力補正値である。ここで、積算処理を積算送信電力制御（Accumulated TPC）と呼称する。ｆｃ（ｉ）はサービングセルｃ、サブフレームｉに対する電力補正値であり、ｆｃ（ｉ−１）は、その１つ前のサブフレームの電力補正値である。また、ａｃｃｕｍｕｌａｔｉｏｎ−ｅｎａｂｌｅｄによって、アキュムレート送信電力制御（Accumulated TPC, Closed Loop TPC, Accumulation）がセットされなかった場合、ＴＰＣコマンドによる電力制御は、アブソリュート送信電力制御として処理される。つまり、積算処理を行なわず、ＴＰＣコマンドによって与えられた電力補正値でのみ送信電力を補正する。ＫＰＵＳＣＨは、ＦＤＤ（Frequency Division Duplex）の場合、４である。ＫＰＵＳＣＨは、ＴＤＤ（Time Division Duplex）の場合、ＴＤＤ  ＵＬ／ＤＬコンフィグレーションに従って、設定される。さらに、サブフレーム＃２またはサブフレーム＃７におけるＰＵＳＣＨ送信をスケジュールするＤＣＩフォーマット０／４（上りリンクグラント）に含まれる上りリンクインデックス（UL index）の最下位のビット（ＬＳＢ：Least Significant Bit）にセットされた値が“１”である場合、ＫＰＵＳＣＨ＝７とみなす。それ以外のＰＵＳＣＨ送信に対しては、所定のテーブルに基づいてＫＰＵＳＣＨは与えられる。
【０１２６】
アキュムレート送信電力制御またはアブソリュート送信電力制御において、ＴＰＣコマンドによって得られる電力補正値ｆＰＵＳＣＨ，ｃの最初の値は、サービングセルｃがプライマリーセルであり、上位層によってＰＯ＿ＵＥ＿ＰＵＳＣＨ，ｃの値が変更（再設定）された場合、または、サービングセルｃがセカンダリーセルであり、上位層によって通知されたＰＯ＿ＵＥ＿ＰＵＳＣＨ，ｃを受信した場合、数式（４）となる。
【数４】
2013236289.tif 000006
・・・（４）
また、ランダムアクセスによる送信電力制御が考慮された場合に数式（５）となる。
【数５】
2013236289.tif 000007
・・・（５）
δｍｓｇ２は、ランダムアクセス応答で指示されたＴＰＣコマンドによる電力補正値であり、ΔＰｒａｍｐｕｐは、最初に送信されたプリアンブルから最後に送信されたプリアンブルのパワーランプアップの総量（総和）に相当し、上位層によって与えられる値である。
【０１２７】
サービングセルｃに対してデコードされたＤＣＩフォーマット０／４が無いサブフレーム、または間欠受信（ＤＲＸ：Discountinuous Reception）が生じたサブフレーム、またはＴＤＤにおいてｉが上りリンクサブフレームではないサブフレームに対して、数式（６）となる。
【数６】
2013236289.tif 000008
・・・（６）
【０１２８】
ここで、アキュムレート送信電力制御とは、過去の電力補正を考慮した送信電力制御である。例えば、サブフレーム０において、ＴＰＣコマンドによる電力補正が行われ、さらに、サブフレーム１において、ＴＰＣコマンドによる電力補正が行われたとする。サブフレーム５で送信される上りリンク信号は、サブフレーム０およびサブフレーム１による電力補正を考慮して、送信電力がセットされる。つまり、端末１０２は、ＴＰＣコマンドによる電力補正の積算処理を行なう。それに対し、アブソリュート送信電力制御とは、１つのＴＰＣコマンドによる電力補正だけを考慮した送信電力制御である。つまり、端末１０２は、ＴＰＣコマンドによる電力補正の積算処理を行なわない。
【０１２９】
端末１０２は、数式（７）からサブフレームｉのＰＵＣＣＨの上りリンク送信電力を決定する。
【数７】
2013236289.tif 000009
・・・（７）
ＰＯ＿ＰＵＣＣＨは、ＰＵＣＣＨの標準電力を表している。ＰＯ＿ＰＵＣＣＨは、ＰＯ＿ＮＯＭＩＮＡＬ＿ＰＵＣＣＨとＰＯ＿ＵＥ＿ＰＵＣＣＨから決定される。ＰＯ＿ＮＯＭＩＮＡＬ＿ＰＵＣＣＨは、セル固有の上りリンク電力制御に関するパラメータである。ＰＯ＿ＵＥ＿ＰＵＣＣＨは、端末固有の上りリンク電力制御に関するパラメータである。ｎＣＱＩは、ＣＱＩのビット数、ｎＨＡＲＱは、ＨＡＲＱのビット数、ｎＳＲは、ＳＲのビット数を表している。ｈ（ｎＣＱＩ，ｎＨＡＲＱ，ｎＳＲ）は、それぞれのビット数、すなわち、ＰＵＣＣＨフォーマットに依存して定義されたパラメータである。ΔＦ＿ＰＵＣＣＨは、上位層から通知されるパラメータである（deltaFList-PUCCH）。ΔＴｘＤは、送信ダイバーシチが設定された場合に上位層から通知されるパラメータである。ｇは、ＰＵＣＣＨの電力制御を調整するために使用されるパラメータである。
【０１３０】
ｇ（ｉ）は、ＰＵＣＣＨの電力補正値を示し、数式（８）から求まる。
【数８】
2013236289.tif 000010
・・・（８）
つまり、ｇ（ｉ）は、現在のＰＵＣＣＨの電力制御調整状態であり、ｇ（０）はリセットされた後の最初の値である。δＰＵＣＣＨは、ＤＣＩフォーマット１Ａ／２／２Ａ／２Ｂ／２Ｃに含まれたＴＰＣコマンドによって得られる電力補正値である。
【０１３１】
端末１０２は、数式（９）からＳＲＳの上りリンク送信電力を決定する。
【数９】
2013236289.tif 000011
・・・（９）
ＰＳＲＳ＿ＯＦＦＳＥＴは、ＳＲＳの送信電力を調整するためのオフセットであり、上りリンク電力制御パラメータ（端末固有の上りリンク電力制御に関するパラメータの設定）に含まれている。ＭＳＲＳ，ｃは、サービングセルｃに配置されるＳＲＳの帯域幅（周波数方向のリソースブロック数）を表している。ＰＯ＿ＰＵＳＣＨ，ｃやαｃ、ＰＬｃ、ｆｃ（ｉ）は、ＰＵＳＣＨの送信電力に使用したものと同じものを使用してＳＲＳの送信電力をセットする。
【０１３２】
さらに、ＳＲＳの送信電力は、特定の条件において数式（１０）でセットされてもよい。
【数１０】
2013236289.tif 000012
・・・（１０）
αｃ、ＰＬｃ、ｆｃ（ｉ）はＳＲＳ固有にセットされてもよい。例えば、ＰＳＲＳ＿ＯＦＦＳＥＴ（２）が端末１０２に設定された場合である。また、ＳＲＳのためのＴＰＣコマンドに関する制御情報が端末１０２に設定された場合である。ここで、ｆＳＲＳ，ｃ（ｉ）は、数式（１１）の積算処理に基づいて得られる。
【数１１】
2013236289.tif 000013
・・・（１１）
δＳＲＳ，ｃはＳＲＳに対するＴＰＣコマンドによって与えられる電力補正値であり、ＰＵＳＣＨやＰＵＣＣＨと同じテーブルからその電力補正値を設定できるようにしてもよい。また、δＳＲＳ,ｃが独立のテーブルに基づいて電力補正値を設定できるようにしてもよい。δＳＲＳ,ｃ（ｉ−ＫＳＲＳ）はサブフレームｉ−ＫＳＲＳのＤＣＩフォーマットにセットされたＳＲＳに対するＴＰＣコマンドによって与えられる電力補正値である。
【０１３３】
アキュムレート送信電力制御中に、端末１０２の送信電力が最大送信電力ＰＣＭＡＸ，ｃに到達した場合、最大送信電力以上になるような積算処理は行わない。また、端末１０２の送信電力が最小電力に到達した場合、最小電力以下になるような積算処理は行わない。つまり、端末１０２は、自身に設定された送信電力に応じて、ＴＰＣコマンドのアキュムレート送信電力制御（アキュムレーション）による電力補正の積算処理を停止する。
【０１３４】
数式（１１）によって得られる電力補正値の積算処理であるアキュムレート送信電力制御は、ＤＣＩフォーマットの種類に応じて独立に処理することができる。例えば、ＤＣＩフォーマット０／４に含まれたＳＲＳに対するＴＰＣコマンドによって与えられた電力補正値によるアキュムレート送信電力制御と、ＤＣＩフォーマット１Ａ／２Ｂ／２Ｃに含まれたＳＲＳに対するＴＰＣコマンドによって与えられた電力補正値によるアキュムレート送信電力制御を独立に制御することができる。つまり、端末１０２は、第１のＴＰＣコマンドによるアキュムレート送信電力制御と第２のＴＰＣコマンドによるアキュムレート送信電力制御とを独立に行うことができる。つまり、端末１０２は、上りリンクグラントに含まれたＴＰＣコマンドによるアキュムレート送信電力制御と下りリンクアサインメントに含まれたＴＰＣコマンドによるアキュムレート送信電力制御とを独立に行うことができる。つまり、端末１０２は、１つの物理チャネルに対して、複数の閉ループ送信電力制御を同時かつ独立に行うことができる。ここで、ＳＲＳに対するＴＰＣコマンドとは、ＰＵＳＣＨのためのＴＰＣコマンドであってもよい。また、ＳＲＳに対するＴＰＣコマンドとは、ＰＵＣＣＨのためのＴＰＣコマンドであってもよい。また、ＳＲＳに対するＴＰＣコマンドとは、ＳＲＳ固有にセットされたＴＰＣコマンドであってもよい。端末１０２は、ある特定の制御情報がセットされた場合に、ＳＲＳ固有にセットされたＴＰＣコマンドが特定のＤＣＩフォーマットに含まれたと認識し、ＤＣＩフォーマットの復調・復号処理を行なう。
【０１３５】
端末１０２は、数式（１２）からＰＲＡＣＨの上りリンク送信電力を決定する。
【数１２】
2013236289.tif 000014
・・・（１２）
ＰＲＡＣＨのＰＣＭＡＸ，ｃは、プライマリーセルにおける最大送信電力である。ＰＲＡＣＨのＰＬｃは、端末１０２によって計算されたプライマリーセルの下りリンクパスロスである。また、ＰＲＡＣＨのＰＣＭＡＸ，ｃは、セカンダリーセルにおける最大送信電力であってもよい。また、ＰＲＡＣＨのＰＬｃは、端末１０２によって計算されたプライマリーセルまたはセカンダリーセルの下りリンクパスロスであってもよい。
【０１３６】
また、上記各上りリンク物理チャネルの送信電力が、種々の送信電力パラメータやパスロス等の計算結果から端末１０２の最大送信電力ＰＣＭＡＸ，ｃ（ｉ）を超える場合、端末１０２は、最大送信電力で上りリンク物理チャネルを送信する。
【０１３７】
端末１０２は、ＰＲＥＡＭＢＬＥ＿ＲＥＣＥＩＶＥＤ＿ＴＡＲＧＥＴ＿ＰＯＷＥＲを数式（１３）から決定する。
【数１３】
2013236289.tif 000015
・・・（１３）
preambleInitialReceivedPowerは、ランダムアクセスプリアンブルの初期受信電力である。ＤＥＬＴＡ＿ＰＲＥＡＭＢＬＥは、プリアンブルフォーマットと関連付けられた電力オフセットである。ＰＲＥＡＭＢＬＥ＿ＴＲＡＮＳＭＩＳＳＩＯＮ＿ＣＯＵＮＴＥＲは、ＰＲＡＣＨ（ランダムアクセスプリアンブル）の送信回数を表す。powerRampingStepは、ランダムアクセスが失敗した場合にＰＲＡＣＨの再送時の送信電力を一定量増加するための電力増加量を示すパラメータである。
【０１３８】
ここで、端末１０２は、サービングセルｃのパスロス（下りリンクパスロス）ＰＬｃを数式（１４）から決定する。
【数１４】
2013236289.tif 000016
・・・（１４）
referenceSignalPowerは、パスロス測定用参照信号（例えば、ＣＲＳ）の１リソースエレメント当たりの電力値（ＥＰＲＥ：Energy Per Resource Element）であり、上位層によってPDSCH-Configに含まれて通知される。つまり、referenceSignalPowerは、基地局１０１から送信されるパスロス測定用参照信号の送信電力を表す。higher layer filtered RSRPは上位層でフィルタされたＲＳＲＰである。さらに、higher layer filtered RSRPは、数式（１５）によって求まる。
【数１５】
2013236289.tif 000017
・・・（１５）
Ｆｎは、更新（アップデート）される測定結果、つまり、higher layer filtered RSRPのことである。また、Ｆｎ−１は、過去の測定結果、つまり、過去のhigher layer filtered RSRPのことである。また、Ｍｎは、最新の測定結果のことである。また、ａは、測定物理量であり、数式（１６）で決定される。ａは、それぞれの測定結果の影響度を表し、ａの値が１に近いほど、最新の測定結果に重みをおいた測定結果を表す。
【数１６】
2013236289.tif 000018
・・・（１６）
ｋは、フィルタ係数filterCoefficientで設定される。また、filterCoefficientは、quantityConfigもしくはUplinkPowerControlにおいて設定されている。基地局１０１が、過去の測定結果を重視する場合には、ａの値が小さくなるようにｋの値を大きく設定し、最新の測定結果を重視する場合には、ａの値が大きくなるようにｋの値を小さく設定する。
【０１３９】
第１の実施形態では、ＤＣＩフォーマットの種類に応じて、これら送信電力制御に使用される一部のパラメータまたはパラメータセットが切り替わって、送信電力制御を行なうことも含まれうる。
【０１４０】
基地局１０１またはＲＲＨ１０３は、複数の端末から送信された上りリンク信号（ＰＵＳＣＨ，ＰＵＣＣＨ，ＤＭＲＳ，ＳＲＳ，ＰＲＡＣＨ）が基地局１０１またはＲＲＨ１０３において、端末の位置に因らず、一定の受信電力で受信されるように、各端末の送信電力を制御する。
【０１４１】
次に、ＳＲＳの基準系列の生成方法について説明する。ＳＲＳの系列長が３ＮＳＣＲＢ（ＮＳＣＲＢは１２）以上である場合、ＳＲＳの基準系列は数式（１７）から求まる。
【数１７】
2013236289.tif 000019
・・・（１７）
ｑ乗根Ｚａｄｏｆｆ−Ｃｈｕ系列（またはｑ番目のルートＺａｄｏｆｆ−Ｃｈｕ系列）ｘｑは、数式（１８）から求まる。［ｘ］ｍｏｄ［ｙ］は、ｘをｙで割った時の余りを算出する。
【数１８】
2013236289.tif 000020
・・・（１８）
ｑは数式（１９）から求まる。
【数１９】
2013236289.tif 000021
・・・（１９）
Ｚａｄｏｆｆ−Ｃｈｕ系列長ＮＺＣＲＳは、ＳＲＳの系列長未満を満たす素数の中から最大の素数を選択することによって与えられる。
ｕは、スロット番号ｎｓにおける系列グループ番号であり、数式（２０）から求まる。
【数２０】
2013236289.tif 000022
・・・（２０）
ｆｇｈ（ｎｓ）は、グループホッピングパターンであり、ｆｓｓは系列シフトパターンであり、例えば、それぞれ１７のグループホッピングパターンと３０の系列シフトパターンが用意されている。系列グループホッピングは上位層から通知されるセル固有のパラメータ（Group-hopping-enabled）によって系列グループホッピングを行なうか否かを制御することができる。なお、グループホッピングパターンは、ホッピングパターンと呼称される場合がある。
【０１４２】
グループホッピングパターンは、受信点が同じであればＰＵＳＣＨとＰＵＣＣＨで同じであり、数式（２１）から求まる。
【数２１】
2013236289.tif 000023
・・・（２１）
擬似ランダム系列ｃ（ｉ）は、数式（２２）から求まる。また、擬似ランダム系列は、長さ３１のゴールド系列で定義される。出力系列ｃ（ｎ）の長さはＭＰＮであり、ｎ＝０，１，…，ＭＰＮ−１である。
【数２２】
2013236289.tif 000024
・・・（２２）
例えば、Ｎｃ＝１６００、第１のｍ系列ｘ１はｘ１（０）＝１、ｘ１（ｎ）＝０、ｎ＝１，２，…，３０で初期化される。第２のｍ系列の初期値は、数式（２３）から求まる。
【数２３】
2013236289.tif 000025
・・・（２３）
【０１４３】
また、グループホッピングパターンの擬似ランダム系列は、擬似ランダム系列生成器（pseudo-random sequence generator）は各無線フレームの始めに数式（２４）で初期化される。
【数２４】
2013236289.tif 000026
・・・（２４）
ＮＩＤｃｅｌｌは、セルＩＤであり、上位層で通知されるパラメータである。また、ＰＵＳＣＨにおける系列グループホッピングは、上位層で通知されるパラメータ（Disable-sequence-grouop-hopping）によって端末１０２毎に行わないように制御することができる。つまり、セル全体で上位層から通知されるパラメータ（Group-hopping-enabled）によって系列グループホッピングを行なうように設定されたとしても、この情報によって、ある特定の端末に対しては、系列グループホッピングを行なわないように制御することができる。
【０１４４】
系列シフトパターンｆｓｓは、ＰＵＳＣＨとＰＵＣＣＨでそれぞれ定義される。ＰＵＣＣＨに対しては、数式（２５）で定義される。
【数２５】
2013236289.tif 000027
・・・（２５）
また、ＰＵＳＣＨに対しては、数式（２６）で定義される。
【数２６】
2013236289.tif 000028
・・・（２６）
Δｓｓは、Δｓｓ∈｛０，１，…，２９｝であり、上位層で設定され、送信部３０７から通知される。
【０１４５】
また、ＳＲＳの系列グループ番号ｕはＰＵＣＣＨの系列シフトパターンに基づいてセットされる。つまり、数式（２７）のように定義される。
【数２７】
2013236289.tif 000029
・・・（２７）
【０１４６】
第１の実施形態では、端末１０２はＤＣＩフォーマットに応じて設定されたセルＩＤに基づいてＳＲＳの基準系列をセットする。上りリンク参照信号生成部４０７９は、ＳＲＳリクエストを含むＤＣＩフォーマットが第１のフォーマットである場合には、第１のセルＩＤに基づいてＳＲＳの基準系列をセットし、ＳＲＳリクエストを含むＤＣＩフォーマットが第２のフォーマットである場合には、第２のセルＩＤに基づいてＳＲＳの基準系列をセットし、ＳＲＳリクエストを含むＤＣＩフォーマットが第３のフォーマットである場合には、第３のセルＩＤに基づいてＳＲＳの基準系列をセットし、そのＳＲＳを基地局１０１またはＲＲＨ１０３へ送信する。
【０１４７】
つまり、上りリンク参照信号生成部４０７９は、基地局１０１またはＲＲＨ１０３から複数のセルＩＤに通知された場合には、受信したＤＣＩフォーマットに応じてセットされたセルＩＤに基づいてＳＲＳの基準系列をセットしてもよい。
【０１４８】
また、上りリンク参照信号生成部４０７９は、基地局１０１またはＲＲＨ１０３から複数のセルＩＤに通知された場合には、受信したＤＣＩフォーマットに応じてセットされたセルＩＤに基づいてＰＵＳＣＨ  ＤＭＲＳの基準系列をセットしてもよい。
【０１４９】
また、上りリンク参照信号生成部４０７９は、基地局１０１またはＲＲＨ１０３から複数のセルＩＤに通知された場合には、受信したＤＣＩフォーマットに応じてセットされたセルＩＤに基づいてＰＵＣＣＨ  ＤＭＲＳの基準系列をセットしてもよい。
【０１５０】
ＳＲＳ固有に設定されるセルＩＤをＸＳＲＳ（ＸＳＲＳは整数）とすると、ＳＲＳの系列シフト−パターンｆｓｓＳＲＳは、数式（２８）のように表される。また、ＰＵＣＣＨに設定されたセルＩＤＸＰＵＣＣＨと同じものを適用する場合には、ＸＳＲＳ＝ＸＰＵＣＣＨであってもよい。
【数２８】
2013236289.tif 000030
・・・（２８）
さらに、ＳＲＳの系列シフト−パターンｆｓｓＳＲＳは、数式（２９）のように表されてもよい。
【数２９】
2013236289.tif 000031
・・・（２９）
Ｋは任意の整数であり、系列シフトパターンの種類（数）と関連付けられてもよい。つまり、系列シフトパターンが３０種類であれば、Ｋ＝３０となり、系列シフトパターンが１７種類であれば、Ｋ＝１７となる。また、系列シフトパターンがｎ種類であれば、Ｋ＝ｎとなる。同様に、ＳＲＳの擬似ランダム系列生成器は各無線フレームの始めに数式（３０）のように初期化する。
【数３０】
2013236289.tif 000032
・・・（３０）
【０１５１】
系列ホッピングは、参照信号の長さが６ＮＳＣＲＢ（例えば、ＮＳＣＲＢは１２）以上の時にだけ適用される。つまり、参照信号の長さが６ＮＳＣＲＢ（例えば、ＮＳＣＲＢは１２）未満の場合、基準系列グループの基準系列番号νは、ν＝０となる。
【０１５２】
また、ＳＲＳの系列グループ番号ｕは、ＳＲＳに対して独立のパラメータＸがセルＩＤの代わりに設定される場合は、数式（２７）は、数式（２８）または数式（２９）に基づいて、数式（３１）と定義されてもよい。
【数３１】
2013236289.tif 000033
・・・（３１）
【０１５３】
また、系列ホッピングは、参照信号の長さが６ＮＳＣＲＢ（例えば、ＮＳＣＲＢは１２）以上の時、スロットｎｓの基準系列グループの基準系列番号νは、数式（３２）で求まる。
【数３２】
2013236289.tif 000034
・・・（３２）
擬似ランダム系列ｃ（ｉ）は、数式（２２）および数式（２３）より求まる。
【０１５４】
また、系列ホッピングの擬似ランダム系列は、擬似ランダム系列生成器（pseudo-random sequence generator）は各無線フレームの始めに数式（３３）で初期化される。
【数３３】
2013236289.tif 000035
・・・（３３）
系列ホッピングは、系列グループホッピングと同様に、上位層で通知されるパラメータ（Disable-sequence-grouop-hopping）によって端末１０２毎に行わないように制御することができる。つまり、セル全体で上位層から通知されるパラメータ（Sequence-hopping-enabled）によって系列ホッピングを行なうように設定されたとしても、この情報によって、ある特定の端末に対しては、系列ホッピングを行なわないように制御することができる。
【０１５５】
ＳＲＳ固有に設定されるセルＩＤをＸＳＲＳ（ＸＳＲＳは整数）とすると、ＳＲＳの系列ホッピングの擬似ランダム系列は、擬似ランダム系列生成器（pseudo-random sequence generator）は各無線フレームの始めに数式（３４）で初期化される。
【数３４】
2013236289.tif 000036
・・・（３４）
数式（３４）は、数式（２９）と同様に、ＫとｆｓｓＳＲＳで数式（３５）のように表されてもよい。
【数３５】
2013236289.tif 000037
・・・（３５）
また、ｃｉｎｉｔの値そのものが上位層から通知されてもよい。
【０１５６】
また、ＰＵＳＣＨおよびＰＵＣＣＨの系列シフトパターンは、端末１０２毎に設定されるパラメータＸｎで設定されてもよい。
【数３６】
2013236289.tif 000038
・・・（３６）
【数３７】
2013236289.tif 000039
・・・（３７）
この時、Δｓｓは端末１０２毎に設定されるパラメータである。系列ホッピングがＰＵＳＣＨとＳＲＳとで独立に行われる場合、ＰＵＳＣＨとＳＲＳそれぞれに対し、Δｓｓが設定されてもよい。
【０１５７】
セルＩＤをＸｎ（Ｘｎは整数）とすると、その時の系列ホッピングの擬似ランダム系列は、擬似ランダム系列生成器（pseudo-random sequence generator）は各無線フレームの始めに数式（３８）で初期化される。
【数３８】
2013236289.tif 000040
・・・（３８）
ＸｎはＮＩＤｃｅｌｌと記載されてもよい。ΔｓｓはＰＵＳＣＨとＳＲＳで独立に設定されてもよい。
【０１５８】
また、セルＩＤをＸｎ（Ｘｎは整数）とすると、その時のグループホッピングパターンの擬似ランダム系列は、擬似ランダム系列生成器（pseudo-random sequence generator）は各無線フレームの始めに数式（３９）で初期化される。
【数３９】
2013236289.tif 000041
・・・（３９）
ＸｎはＮＩＤｃｅｌｌと記載されてもよい。
【０１５９】
つまり、ＳＲＳの基準系列は、擬似ランダム系列によって生成されるとも言える。
【０１６０】
図５は、第１の実施形態にかかわる端末のＳＲＳの送信処理の詳細を示すフローチャートである。端末１０２は、基地局１０１またはＲＲＨ１０３から送信されたＲＲＣ信号に含まれる種々のＳＲＳパラメータを設定する。その時、端末１０２は、ＳＲＳの基準系列に関するパラメータを設定する（Ｓ５０１）。さらに、端末１０２は、ＳＲＳの送信電力制御に関するパラメータを設定する（Ｓ５０２）。ＲＳＲＰの測定結果に基づき、パスロスおよび送信電力をセットする（Ｓ５０３）。ポジティブＳＲＳリクエストを検出したＤＣＩフォーマットの種類に応じてＳＲＳ基準系列のセルＩＤをセットする（Ｓ５０４）。セットした基準系列および送信電力のＳＲＳを送信する（Ｓ５０５）。
【０１６１】
図６は、第１の実施形態に係るＳＲＳの基準系列設定方法の一例を示したフローチャートである。端末１０２は、基地局１０１またはＲＲＨ１０３から送信されたＰＤＣＣＨまたはＥ−ＰＤＣＣＨを送受信アンテナ４１１から受信部４０５で受信し、復調部４０５３でＤＣＩフォーマットを検出する。受信部４０５でＤＣＩフォーマットが第１のフォーマットであるか否かを判定する（ステップＳ６０１）。受信したＤＣＩフォーマットが第１のフォーマットであり、そのＤＣＩフォーマットに含まれるＳＲＳリクエストが送信要求を示している場合（Ｓ６０１：ＹＥＳ）には、ＳＲＳ制御部４０１３は、第１のセルＩＤに基づいてＳＲＳの基準系列を生成するよう制御部４０３を通じて上りリンク参照信号生成部４０７９に指示を出す。上りリンク参照信号生成部４０７９は、その指示に基づいて第１のセルＩＤでＳＲＳの基準系列をセットする（ステップＳ６０２）。受信したＤＣＩフォーマットが第１のフォーマットではないと判定した場合（Ｓ６０１：ＮＯ）には、ＳＲＳ制御部４０１３は、ポジティブＳＲＳリクエストを第２のフォーマットで受信したと認識し、第２のセルＩＤに基づいてＳＲＳの基準系列を生成するよう制御部４０３を通じて上りリンク参照信号生成部４０７９に指示を出す。上りリンク参照信号生成部４０７９は、その指示に基づいて第２のセルＩＤでＳＲＳの基準系列をセットする（ステップＳ６０３）。図６では、第１のフォーマットと第２のフォーマットにおけるＳＲＳ基準系列の設定方法について説明したが、第３のフォーマットや第４のフォーマットが追加されても同様の処理を行なう。すなわち、ポジティブＳＲＳリクエストを検出したＤＣＩフォーマットが第３のフォーマットの場合には、第３のセルＩＤに基づいてＳＲＳの基準系列をセットし、ポジティブＳＲＳリクエストを検出したＤＣＩフォーマットが第４のフォーマットの場合には、第４のセルＩＤに基づいてＳＲＳの基準系列をセットするようＳＲＳ制御部４０１３は、制御部４０３を通じて上りリンク参照信号生成部４０７９に指示を出す。上りリンク参照信号生成部４０７９は、その指示に基づいてＳＲＳの基準系列をセットする。
【０１６２】
図１を用いて説明すると、端末１０２は、上りリンク１０６で送信するＳＲＳの基準系列にセットするセルＩＤと上りリンク１０８で送信するＳＲＳの基準系列にセットするセルＩＤをＤＣＩフォーマットの種類によって切り替えることができる。つまり、ポジティブＳＲＳリクエストを含むＤＣＩフォーマットが第１のフォーマットである場合には、第１のセルＩＤに基づいてＳＲＳの基準系列をセットし、上りリンク１０６でそのＳＲＳを送信してもよい。また、ポジティブＳＲＳリクエストを含むＤＣＩフォーマットが第２のフォーマットである場合には、第２のセルＩＤに基づいてＳＲＳの基準系列をセットし、上りリンク１０８でそのＳＲＳを送信してもよい。
【０１６３】
（第２の実施形態）
次に、本発明の第２の実施形態について説明する。第２の実施形態では、基地局は、物理上りリンク共用チャネル（ＰＵＳＣＨ：Physical Uplink Shared Channel）の復調参照信号（ＤＭＲＳ：Uplink Demodulation Reference Signal）にセットしたセルＩＤと物理上りリンク制御チャネル（ＰＵＳＣＨ：Physical Uplink Control Channel）の復調参照信号にセットしたセルＩＤを含むＲＲＣ信号を端末へ送信する。また、基地局は、ＳＲＳリクエストを含むＤＣＩフォーマットを端末へ送信する。端末は、受信したＤＣＩフォーマットが上りリンクグラントである場合には、ＰＵＳＣＨ  ＤＭＲＳにセットされたセルＩＤに基づいてＳＲＳの基準系列をセットし、受信したＤＣＩフォーマットが下りリンクアサインメントである場合には、ＰＵＣＣＨ  ＤＭＲＳにセットされたセルＩＤに基づいてＳＲＳの基準系列をセットし、そのＳＲＳを基地局へ送信する。
【０１６４】
さらに、端末は、受信したＤＣＩフォーマットが所定のＤＣＩフォーマットである場合、ＳＲＳ固有に設定されたセルＩＤに基づいてＳＲＳの基準系列をセットする。つまり、端末は、受信したＤＣＩフォーマットが第１のＤＣＩフォーマットである場合、ＰＵＳＣＨ  ＤＭＲＳにセットされたセルＩＤに基づいてＳＲＳの基準系列をセットし、受信したＤＣＩフォーマットが第２のＤＣＩフォーマットである場合、ＰＵＣＣＨ  ＤＭＲＳにセットされたセルＩＤに基づいてＳＲＳの基準系列をセットし、受信したＤＣＩフォーマットが第３のＤＣＩフォーマットである場合、ＳＲＳにセットされたセルＩＤに基づいてＳＲＳの基準系列をセットし、そのＳＲＳを基地局へ送信する。
【０１６５】
図７は、第２の実施形態におけるＳＲＳの基準系列設定方法の一例を示したフローチャートである。端末１０２は、基地局１０１またはＲＲＨ１０３から送信されたＰＤＣＣＨまたはＥ−ＰＤＣＣＨを送受信アンテナ４１１から受信部４０５で受信し、復調部４０５３でＤＣＩフォーマットを検出する。さらに、検出したＤＣＩフォーマットに含まれるＳＲＳリクエストが送信要求を示しているか否かを判定する。受信部４０５でポジティブＳＲＳリクエストを検出したＤＣＩフォーマットが上りリンクグラントであるか否かを判定する（ステップＳ７０１）。ポジティブＳＲＳリクエストを検出したＤＣＩフォーマットが上りリンクグラントであると判定した場合（Ｓ７０１：ＹＥＳ）には、ＳＲＳ制御部４０１３は、ＰＵＳＣＨ  ＤＭＲＳにセットしたセルＩＤに基づいてＳＲＳの基準系列を生成するよう制御部４０３を通じて上りリンク参照信号生成部４０７９に指示を出す。上りリンク参照信号生成部４０７９は、その指示に基づいてセットしたセルＩＤでＳＲＳの基準系列をセットする（ステップＳ７０２）。ポジティブＳＲＳリクエストを検出したＤＣＩフォーマットが上りリンクグラントではないと判定した場合（Ｓ７０１：ＮＯ）には、ＳＲＳ制御部４０１３は、下りリンクアサインメントを受信したと認識し、ＰＵＣＣＨ  ＤＭＲＳにセットしたセルＩＤに基づいてＳＲＳの基準系列を生成するよう制御部４０３を通じて上りリンク参照信号生成部４０７９に指示を出す。上りリンク参照信号生成部４０７９は、その指示に基づいてセットしたセルＩＤでＳＲＳの基準系列をセットする（ステップＳ７０３）。
【０１６６】
上りリンクグラントにＰＵＳＣＨ  ＤＭＲＳのセルＩＤを指示するフィールドが設定された場合、ＳＲＳの基準系列のセルＩＤもそのセルＩＤに基づいてセットされる。つまり、ＰＵＳＣＨ  ＤＭＲＳのセルＩＤを指示するフィールドが第１のセルＩＤを指示する場合には、端末１０２は、ＳＲＳの基準系列も第１のセルＩＤに基づいてセットし、ＰＵＳＣＨ  ＤＭＲＳのセルＩＤを指示するフィールドが第２のセルＩＤを指示する場合には、端末１０２は、ＳＲＳの基準系列も第２のセルＩＤに基づいてセットし、ＰＵＳＣＨ  ＤＭＲＳのセルＩＤを指示するフィールドが第３のセルＩＤを指示する場合には、端末１０２は、ＳＲＳの基準系列も第３のセルＩＤに基づいてセットする。
【０１６７】
ＳＲＳの基準系列をＤＣＩフォーマットの種類に応じて切り替える際に、他の上りリンク物理チャネルの基準系列に使用されているセルＩＤを適用（再利用）することによって、ＳＲＳの基準系列のための制御情報を端末１０２に送信する必要が無くなり、その分のオーバーヘッドが低減できる。
【０１６８】
ポジティブＳＲＳリクエストによって、送信が要求されるＳＲＳの送信電力には、各ＤＣＩフォーマットに含まれるＴＰＣコマンドによって、実現されてもよい。さらに、各ＤＣＩフォーマットと対応付けられたパラメータセットによってＳＲＳオフセットはセットされてもよい。
【０１６９】
（第３の実施形態）
次に、本発明の第３の実施形態について説明する。第３の実施形態では、基地局１０１および／またはＲＲＨ１０３は、物理上りリンク共用チャネル（ＰＵＳＣＨ：Physical Uplink Shared Channel）の復調参照信号（ＤＭＲＳ：Uplink Demodulation Reference Signal）にセットしたセルＩＤとサウンディング参照信号（ＳＲＳ：Sounding Reference Signal）固有にセットしたセルＩＤを含むＲＲＣ信号を端末１０２へ送信し、ＳＲＳリクエストを含むＤＣＩフォーマットを端末１０２へ送信する。端末１０２は、受信したＤＣＩフォーマットに含まれるＳＲＳリクエストが送信要求を示しているか否かを判定する。ＳＲＳリクエストが送信供給を示しており、かつ、受信したＤＣＩフォーマットが上りリンクグラントである場合には、ＰＵＳＣＨ  ＤＭＲＳにセットされたセルＩＤに基づいてＳＲＳの基準系列をセットし、受信したＤＣＩフォーマットが下りリンクアサインメントである場合には、ＳＲＳ固有にセットされたセルＩＤに基づいてＳＲＳの基準系列をセットし、そのＳＲＳを基地局１０１またはＲＲＨ１０３へ送信する。
【０１７０】
さらに、第３の実施形態では、ＰＵＣＣＨに適用されるセルＩＤは、ＰＵＳＣＨ、ＳＲＳとは個別に設定されてもよい。
【０１７１】
図８は、第３の実施形態におけるＳＲＳの基準系列設定方法の一例を示したフローチャートである。端末１０２は、基地局１０１またはＲＲＨ１０３から送信されたＰＤＣＣＨまたはＥ−ＰＤＣＣＨを送受信アンテナ４１１から受信部４０５で受信し、復調部４０５３でＤＣＩフォーマットを検出する。受信部４０５でＤＣＩフォーマットが上りリンクグラントであるか否かを判定する（ステップＳ８０１）。受信したＤＣＩフォーマットが上りリンクグラントであると判定し、その上りリンクグラントにおいてポジティブＳＲＳリクエストを検出した場合（Ｓ８０１：ＹＥＳ）には、ＳＲＳ制御部４０１３は、ＰＵＳＣＨ  ＤＭＲＳにセットしたセルＩＤに基づいてＳＲＳの基準系列を生成するよう制御部４０３を通じて上りリンク参照信号生成部４０７９に指示を出す。上りリンク参照信号生成部４０７９は、その指示に基づいてセットしたセルＩＤでＳＲＳの基準系列をセットする（ステップＳ８０２）。受信したＤＣＩフォーマットが上りリンクグラントではないと判定した場合（Ｓ８０１：ＮＯ）には、ＳＲＳ制御部４０１３は、下りリンクアサインメントを受信したと認識し、ＳＲＳ固有にセットしたセルＩＤに基づいてＳＲＳの基準系列を生成するよう制御部４０３を通じて上りリンク参照信号生成部４０７９に指示を出す。上りリンク参照信号生成部４０７９は、その指示に基づいてセットしたセルＩＤでＳＲＳの基準系列をセットする（ステップＳ８０３）。
【０１７２】
第３の実施形態では、ＤＣＩフォーマットの種類に応じてＳＲＳの基準系列に使用するセルＩＤを切り替えている。上りリンクグラントでポジティブＳＲＳリクエストを検出した場合、端末１０２は、ＰＵＳＣＨと同じ受信点にＳＲＳを送信すると認識し、ＰＵＳＣＨ  ＤＭＲＳの基準系列に使用されるセルＩＤに基づいてＳＲＳの基準系列をセットする。また、下りリンクアサインメントでポジティブＳＲＳリクエストを検出した場合、端末１０２は、ＰＵＳＣＨとは異なる受信点にＳＲＳを送信することを想定し、ＳＲＳ固有のセルＩＤに基づいてＳＲＳの基準系列をセットする。受信点に対して異なるセルＩＤを使用し、基準系列をセットすることで、異なる受信点にＳＲＳを送信する端末間の干渉を低減することが可能である。つまり、受信点Ａは、受信点Ｂに送信されるＳＲＳを間違って受信した場合であっても、基準系列が異なるため、そのＳＲＳを分離することができ、受信点Ａ宛に送信されたＳＲＳとの干渉を回避することができる。
【０１７３】
（第４の実施形態）
次に、本発明の第４の実施形態について説明する。第４の実施形態では、基地局は、複数のセルＩＤを含む無線リソース制御（ＲＲＣ：Radio Resource Control）信号を端末へ送信し、物理上りリンク共用チャネル（ＰＵＳＣＨ：Physical Uplink Shared Channel）または物理下りリンク共用チャネル（ＰＤＳＣＨ：Physical Downlink Shared Channel）をスケジューリングする第１の制御チャネル領域（ＰＤＣＣＨ：Physical Downlink Control Channel）および／または第２の制御チャネル領域（Ｅ−ＰＤＣＣＨ：Enhanced PDCCH）で下りリンク制御情報（ＤＣＩ：Downlink Control Information）フォーマットを端末へ送信する。端末は、第１の制御チャネル領域でＳＲＳの送信要求を指示するＳＲＳリクエスト（ポジティブＳＲＳリクエスト）を検出した場合、第１のセルＩＤに基づいてＳＲＳの基準系列をセットし、第２の制御チャネル領域でＳＲＳの送信要求を指示するＳＲＳリクエストを検出した場合、第２のセルＩＤに基づいてＳＲＳの基準系列をセットし、そのＳＲＳを基地局へ送信する。
【０１７４】
また、第１の制御チャネル領域でポジティブＳＲＳリクエストを検出した場合、セル固有のセルＩＤでＳＲＳの基準系列をセットし、第２の制御チャネル領域でポジティブＳＲＳリクエストを検出した場合、端末固有のセルＩＤでＳＲＳの基準系列をセットしてもよい。
【０１７５】
また、第４の実施形態では、同じＳＲＳサブフレームに対して第１の制御チャネル領域および第２の制御チャネル領域でポジティブＳＲＳリクエストを検出した場合、ＳＲＳを送信しなくてもよい。また、同じＳＲＳサブフレームに対して第１の制御チャネル領域および第２の制御チャネル領域でポジティブＳＲＳリクエストを検出した場合、第１のセルＩＤに基づいて基準系列をセットしたＳＲＳを基地局へ送信してもよい。また、同じＳＲＳサブフレームに対して第１の制御チャネル領域および第２の制御チャネル領域でポジティブＳＲＳリクエストを検出した場合、第２のセルＩＤに基づいて基準系列をセットしたＳＲＳを基地局へ送信してもよい。
【０１７６】
また、第４の実施形態では、同じサービングセルおよび同じＳＲＳサブフレームに対して第１の制御チャネル領域および第２の制御チャネル領域でポジティブＳＲＳリクエストを検出した場合、ＳＲＳを送信しなくてもよい。また、同じサービングセルおよび同じＳＲＳサブフレームに対して第１の制御チャネル領域および第２の制御チャネル領域でポジティブＳＲＳリクエストを検出した場合、第１のセルＩＤに基づいて基準系列をセットしたＳＲＳを基地局へ送信してもよい。また、同じサービングセルおよび同じＳＲＳサブフレームに対して第１の制御チャネル領域および第２の制御チャネル領域でポジティブＳＲＳリクエストを検出した場合、第２のセルＩＤに基づいて基準系列をセットしたＳＲＳを基地局へ送信してもよい。
【０１７７】
さらに、第４の実施形態では、異なるサービングセルで同じＳＲＳサブフレームに対して第１の制御チャネル領域および第２の制御チャネル領域でポジティブＳＲＳリクエストを検出した場合、ＳＲＳを送信しなくてもよい。すなわち、第１のサービングセルの第１のＳＲＳサブフレームに対して、第１の制御チャネル領域でポジティブＳＲＳリクエストを検出し、第２のサービングセルの第１のＳＲＳサブフレームに対して、第１の制御チャネル領域でポジティブＳＲＳリクエストを検出した場合、端末は、ＳＲＳを送信しなくてもよい。また、何れか一方のポジティブＳＲＳリクエストを優先し、そのポジティブＳＲＳリクエストに対応付けられた種々のパラメータに基づいてセットしたＳＲＳを基地局へ送信してもよい。なお、種々のパラメータはパラメータセットに含まれてもよい。
【０１７８】
さらに、第４の実施形態では、同じ受信点、同じＳＲＳサブフレームに対して第１の制御チャネル領域および第２の制御チャネル領域でポジティブＳＲＳリクエストを検出した場合、ＳＲＳを送信しなくてもよい。また、何れか一方のポジティブＳＲＳリクエストを優先し、そのポジティブＳＲＳリクエストに対応付けられたパラメータに基づいてセットしたＳＲＳを基地局へ送信してもよい。
【０１７９】
また、第４の実施形態では、第１および第２の制御チャネル領域で検出されたＤＣＩフォーマットがＰＵＳＣＨをスケジューリングする上りリンクグラントである場合、かつ、ポジティブＳＲＳリクエストを検出した場合、それぞれのＰＵＳＣＨ  ＤＭＲＳにセットされたセルＩＤに基づいてＳＲＳの基準系列をセットしてもよい。
【０１８０】
基地局１０１またはＲＲＨ１０３は、端末１０２に対して端末固有検索領域（ＵＳＳ：UE-specific Search Space）を第１の制御チャネル領域または第２の制御チャネル領域の何れか一方でのみ検出するように設定してもよい。なお、その検出を指示するための制御情報は、ＲＲＣシグナリングでセル全体に通知されてもよい。その検出を指示するための制御情報は、システム情報でセル全体に通知されてもよい。また、その検出を指示するための制御情報は、ＲＲＣシグナリングで端末１０２毎に個別に通知されてもよい。また、その検出を指示するための制御情報は、報知されてもよい。また、その検出を指示するための制御情報は、システムで一意に決定されてもよい。
【０１８１】
その検出を指示するための制御情報は、複数のコンポーネントキャリア（またはセルに対応するコンポーネントキャリア）間で共有されてもよい。また、その検出を指示するための制御情報は、コンポーネントキャリア（またはセルに対応するコンポーネントキャリア）毎に設定されてもよい。また、その検出を指示するための制御情報が複数のコンポーネントキャリア（またはセルに対応するコンポーネントキャリア）間で共有されていたとしても、コンポーネントキャリア毎に個別にその検出を指示するための制御情報を再設定するための制御情報が通知されてもよい。つまり、基地局１０１またはＲＲＨ１０３は、端末１０２に対して、複数のコンポーネントキャリア間では、ＵＳＳで第２の制御チャネル（Ｅ−ＰＤＣＣＨ）を検索するように制御したとしても、ある特定のコンポーネントキャリアについてはその再設定された制御情報によって、ＵＳＳで第１の制御チャネル（ＰＤＣＣＨ）を検索するように制御してもよい。
【０１８２】
また、一部のセルまたはセルに対応するコンポーネントキャリア（例えば、プライマリーセル）については常に第１の制御チャネル領域でのみＵＳＳを検出できるように端末１０２毎に設定してもよい。
【０１８３】
図９は、第４の実施形態におけるＳＲＳの基準系列設定方法の一例を示したフローチャートである。端末１０２は、基地局１０１またはＲＲＨ１０３から送信されたＰＤＣＣＨまたはＥ−ＰＤＣＣＨを送受信アンテナ４１１から受信部４０５で受信し、復調部４０５３でＤＣＩフォーマットを検出する。検出したＤＣＩフォーマットに含まれるＳＲＳリクエストが送信要求を示しているかを判定する。受信部４０５でポジティブＳＲＳリクエストを検出したＤＣＩフォーマットが第１の制御チャネル領域で検出したか否かを判定する（ステップＳ９０１）。ポジティブＳＲＳリクエストを検出したＤＣＩフォーマットが第１の制御チャネル領域で検出した場合（Ｓ９０１：ＹＥＳ）には、ＳＲＳ制御部４０１３は、第１のセルＩＤに基づいてＳＲＳの基準系列を生成するよう制御部４０３を通じて上りリンク参照信号生成部４０７９に指示を出す。上りリンク参照信号生成部４０７９は、その指示に基づいて第１のセルＩＤでＳＲＳの基準系列をセットする（ステップＳ９０２）。ポジティブＳＲＳリクエストを検出したＤＣＩフォーマットが第２の制御チャネル領域で検出した場合（Ｓ９０１：ＮＯ）には、ＳＲＳ制御部４０１３は、第２のセルＩＤに基づいてＳＲＳの基準系列を生成するよう制御部４０３を通じて上りリンク参照信号生成部４０７９に指示を出す。上りリンク参照信号生成部４０７９は、その指示に基づいて第２のセルＩＤでＳＲＳの基準系列をセットする（ステップＳ９０３）。なお、これらのＤＣＩフォーマットにはポジティブＳＲＳリクエストが含まれていると仮定している。
【０１８４】
制御チャネル領域によって、異なるセルＩＤに基づく基準系列をセットしたＳＲＳは、互いの干渉を低減することができる。基地局１０１またはＲＲＨ１０３において、ＰＤＣＣＨでのみ制御信号を受信可能な端末１０２から送信されるＳＲＳとＥ−ＰＤＣＣＨで制御信号を受信可能な端末１０２から送信されるＳＲＳを分離し、チャネル測定を行なうことができる。
【０１８５】
（第５の実施形態）
次に、本発明の第５の実施形態について説明する。第５の実施形態では、端末１０２は、複数の上りリンク電力制御に関するパラメータの設定が設定され、各々の上りリンク電力制御に関するパラメータの設定を用いて種々の上りリンク信号（ＰＵＳＣＨ、ＰＵＣＣＨ、ＳＲＳ、ＰＲＡＣＨ）の上りリンク送信電力（ＰＰＵＳＣＨ、ＰＰＵＣＣＨ、ＰＳＲＳ、ＰＰＲＡＣＨ）を計算することができる。
【０１８６】
第５の実施形態では、基地局１０１は、複数の上りリンク電力制御に関するパラメータの設定（例えば、第１の上りリンク電力制御に関するパラメータの設定および第２の上りリンク電力制御に関するパラメータの設定）を設定し、端末１０２へ通知する。端末１０２は、通知された情報に従って、第１の上りリンク電力制御に関するパラメータの設定に基づいてパスロスを計算し、そのパスロスと第１の上りリンク電力制御に関するパラメータの設定に基づいて上りリンク送信電力を計算する。また、端末１０２は、第２の上りリンク電力制御に関するパラメータの設定に基づいてパスロスを計算し、そのパスロスと第２の上りリンク電力制御に関するパラメータの設定に基づいて上りリンク送信電力を計算する。ここで、第１の上りリンク電力制御に関するパラメータの設定に基づいて計算される上りリンク送信電力を第１の上りリンク送信電力、第２の上りリンク電力制御に関するパラメータの設定に基づいて計算される上りリンク送信電力を第２の上りリンク送信電力とする。
【０１８７】
端末１０２は、上りリンクグラントを検出した周波数リソースやタイミングによって、第１の上りリンク送信電力において上りリンク信号を送信するのか第２の上りリンク送信電力において上りリンク信号を送信するのかを制御する。
【０１８８】
図１０は、（第１の）上りリンク電力制御に関するパラメータの設定（UplinkPowerControl）に含まれる情報要素の一例を示す図である。上りリンク電力制御に関するパラメータの設定には、セル固有の設定（セル固有上りリンク電力制御に関するパラメータの設定（UplinkPowerControlCommon））と端末固有の設定（端末固有上りリンク電力制御に関するパラメータの設定（UplinkPowerControlDedicated））があり、それぞれの設定にセル固有または端末固有に設定される上りリンク電力制御に関するパラメータ（情報要素）が含まれる。セル固有の設定としては、セル固有に設定可能なＰＵＳＣＨ電力である標準ＰＵＳＣＨ電力（p0-NominalPUSCH）、フラクショナル送信電力制御の減衰係数（伝送路損失補償係数）α（alpha）、セル固有に設定可能なＰＵＣＣＨ電力である標準ＰＵＣＣＨ電力（p0-NominalPUCCH）、数式（３）に含まれるΔＦ＿ＰＵＣＣＨは（deltaFList-PUCCH）、プリアンブルメッセージ３が送信される場合の電力調整値（deltaPreambleMsg3）がある。また、端末固有の設定としては、端末固有に設定可能なＰＵＳＣＨ電力である端末固有ＰＵＳＣＨ電力（p0-UE-PUSCH）、数式（２）に使用される変調符号化方式による電力調整値Ｋｓに関連したパラメータ（deltaMCS-Enabled）、ＴＰＣコマンドを設定するために必要なパラメータ（accumulationEnabled）、端末固有に設定可能なＰＵＣＣＨ電力である端末固有ＰＵＣＣＨ電力（p0-UE-PUCCH）、Ｐ−ＳＲＳおよびＡ−ＳＲＳの電力オフセットＰＳＲＳ＿ＯＦＦＳＥＴ（pSRS-Offset、pSRS-OffsetAp-r10）、参照信号の受信電力ＲＳＲＰのフィルタ係数（filterCoefficient）がある。これらの設定は、プライマリーセルに対して設定可能であるが、セカンダリーセルに対しても同様の設定を行なうことができる。さらに、セカンダリーセルの端末固有の設定では、プライマリーセルかセカンダリーセルのパスロス測定用参照信号を用いてパスロスの計算を行なうことを指示するパラメータ（pathlossReference-r10）がある。
【０１８９】
図１１は、上りリンク電力制御に関するパラメータの設定（第１の上りリンク電力制御に関するパラメータの設定）が含まれる情報の一例である。（第１の）セル固有上りリンク電力制御に関するパラメータ設定（UplinkPowerControlCommon1）は、セル固有無線リソース設定（RadioResourceConfigCommon）に含まれる。（第１の）端末固有上りリンク電力制御に関するパラメータ設定（UplinkPowerControlDedicated1）は、端末固有物理設定（PhysicalConfigDedicated）に含まれる。（第１の）セル固有上りリンク電力制御に関するパラメータ設定（UplinkPowerControlCommonSCell-r10-1）は、セカンダリーセル固有無線リソース設定（RadioResourceConfigCommonSCell-r10）に含まれる。（第１の）セカンダリーセル端末固有上りリンク電力制御に関するパラメータ設定（UplinkPowerControlDedicatedSCell-r10-1）は、セカンダリーセル端末固有物理設定（PhysicalConfigDedicatedSCell-r10）に含まれる。また、（プライマリーセル）端末固有物理設定は、（プライマリーセル）端末固有無線リソース設定（RadioResourceConfigDedicated）に含まれる。また、セカンダリーセル端末固有物理設定は、セカンダリーセル端末固有無線リソース設定（RadioResourceConfigDedicatedSCell-r10）に含まれる。なお上述するセル固有無線リソース設定および端末固有無線リソース設定は、ＲＲＣコネクションリコンフィグレーション（RRCConnectionReconfigration）やＲＲＣリエスタブリッシュメント（RRCConnectionReestablishment）に含まれてもよい。なお、上述するセカンダリーセル固有無線リソース設定およびセカンダリーセル端末固有無線リソース設定は、ＳＣｅｌｌ追加変更リストに含まれてもよい。なお、上述するセル固有無線リソース設定および端末固有無線リソース設定は、ＲＲＣ信号（Dedicated signaling）を通じて端末１０２毎に設定されてもよい。なお、ＲＲＣコネクションリコンフィグレーションおよびＲＲＣリエスタブリッシュメントは、ＲＲＣメッセージを通じて端末毎に設定されてもよい。なお、上述するセル固有の上りリンク電力制御に関するパラメータの設定は、システム情報を通じて端末１０２に設定されてもよい。また、上述する端末固有の上りリンク電力制御に関するパラメータの設定は、ＲＲＣ信号（Dedicated signaling）を通じて端末１０２毎に設定されてもよい。
【０１９０】
基地局１０１は、第１の上りリンク電力制御に関するパラメータの設定と第２の上りリンク電力制御に関するパラメータの設定それぞれに含まれる情報要素を個別に設定してもよい。例えば、図１３から図１６を用いて具体的に説明すると、図１３は、本願の本実施形態における第２の上りリンク電力制御に関するパラメータの設定の一例を示す図である。第２の上リンク電力制御に関するパラメータの設定は、第２の（プライマリー）セル固有上りリンク電力制御に関するパラメータの設定−ｒ１１と第２のセカンダリーセル固有上りリンク電力制御に関するパラメータの設定−ｒ１１と第２の（プライマリーセル）端末固有上りリンク電力制御に関するパラメータの設定−ｒ１１と第２のセカンダリーセル端末固有上りリンク電力制御に関するパラメータの設定−ｒ１１から構成される。なお、第１の上りリンク電力制御に関するパラメータの設定は、図１０および図１２に示されたものと同様である。また、本願の本実施形態においては、第１の（プライマリー）セル固有上りリンク電力制御に関するパラメータの設定−ｒ１１と第１のセカンダリーセル固有上りリンク電力制御に関するパラメータの設定−ｒ１１と第１の（プライマリーセル）端末固有上りリンク電力制御に関するパラメータの設定−ｒ１１と第１のセカンダリーセル端末固有上りリンク電力制御に関するパラメータの設定−ｒ１１が含まれうる。
【０１９１】
図１４は、各無線リソース設定に含まれる第１の上りリンク電力制御に関するパラメータの設定と第２の上りリンク電力制御に関するパラメータの設定の一例を示す図である。（プライマリー）セル固有無線リソース設定には、第１の（プライマリー）セル固有上りリンク電力制御に関するパラメータの設定と第２の（プライマリー）セル固有上りリンク電力制御に関するパラメータの設定−ｒ１１が含まれている。さらには、（プライマリー）セル固有上りリンク電力制御に関するパラメータの設定−ｒ１１が含まれうる。また、セカンダリーセル固有無線リソース設定には、第１のセカンダリーセル固有上りリンク電力制御に関するパラメータの設定と第２のセカンダリーセル固有上りリンク電力制御に関するパラメータの設定−ｒ１１が含まれている。さらには、セカンダリ−セル固有上りリンク電力制御に関するパラメータの設定−ｒ１１が含まれうる。また、（プライマリーセル）端末固有物理設定には、第１の（プライマリーセル）端末固有上りリンク電力制御に関するパラメータの設定と第２の（プライマリーセル）端末固有上りリンク電力制御に関するパラメータの設定−ｒ１１が含まれている。また、セカンダリーセル端末固有物理設定には、第１のセカンダリーセル端末固有上りリンク電力制御に関するパラメータの設定と第２のセカンダリーセル端末固有上りリンク電力制御に関するパラメータの設定−ｒ１１が含まれている。また、（プライマリーセル）端末固有物理設定は、（プライマリーセル）端末固有無線リソース設定（RadioResourceConfigDedicated）に含まれる。また、セカンダリーセル端末固有物理設定は、セカンダリーセル端末固有無線リソース設定（RadioResourceConfigDedicatedSCell-r10）に含まれる。なお、上述するセル固有無線リソース設定および端末固有無線リソース設定は、ＲＲＣコネクションリコンフィグレーション（RRCConnectionReconfigration）やＲＲＣリエスタブリッシュメント（RRCConnetionReestablishment）に含まれてもよい。なお、上述するセカンダリーセル固有無線リソース設定およびセカンダリーセル端末固有無線リソース設定は、ＳＣｅｌｌ追加変更リストに含まれてもよい。なお、上述するセル固有無線リソース設定および端末固有無線リソース設定は、ＲＲＣ信号を通じて端末１０２毎に設定されてもよい。なお、ＲＲＣコネクションリコンフィグレーションおよびＲＲＣリエスタブリッシュメントは、ＲＲＣメッセージを通じて端末１０２毎に設定されてもよい。ＲＲＣ信号は、専用信号（Dedicated signaling）や上位層信号（higher layer signaling）と呼称される場合もある。
【０１９２】
図１５は、第２のセル固有上りリンク電力制御に関するパラメータの設定の一例を示す図である。第２の（プライマリー）セル固有上りリンク電力制御に関するパラメータの設定−ｒ１１または第２のセカンダリーセル固有上りリンク電力制御に関するパラメータの設定−ｒ１１に含まれる情報要素は、図１５に示した情報要素がすべて含まれて設定されてもよい。また、第２の（プライマリー）セル固有上りリンク電力制御に関するパラメータの設定−ｒ１１または第２のセカンダリーセル固有上りリンク電力制御に関するパラメータの設定−ｒ１１に含まれる情報要素は、図１５に示した情報要素のうち少なくとも一つの情報要素のみが含まれて設定されてもよい。また、第２の（プライマリー）セル固有上りリンク電力制御に関するパラメータの設定−ｒ１１または第２のセカンダリーセル固有上りリンク電力制御に関するパラメータの設定−ｒ１１に含まれる情報要素は、一つも含まれてなくてもよい。この場合には、基地局１０１は、解放を選択し、その情報を端末１０２へ通知する。また、第２のセル固有上りリンク電力制御に関するパラメータの設定で設定されなかった情報要素は、第１のセル固有上りリンク電力制御に関するパラメータの設定と共通であってもよい。
【０１９３】
図１６は、第１の端末固有上りリンク電力制御に関するパラメータの設定と第２の端末固有上りリンク電力制御に関するパラメータの設定の一例を示す図である。第１のプライマリーセル／セカンダリーセル端末固有上りリンク電力制御に関するパラメータの設定には、パスロス参照リソースが設定される。また、第２のプライマリーセル／セカンダリーセル端末固有上りリンク電力制御に関するパラメータの設定には、図１０で示した情報要素に加え、パスロス参照リソースが設定される。第２の（プライマリーセル）端末固有上りリンク電力制御に関するパラメータの設定−ｒ１１または第２のセカンダリーセル端末固有上りリンク電力制御に関するパラメータの設定−ｒ１１に含まれる情報要素は、図１６に示した情報要素がすべて含まれて設定されてもよい。また、第２の（プライマリーセル）端末固有上りリンク電力制御に関するパラメータの設定−ｒ１１または第２のセカンダリーセル端末固有上りリンク電力制御に関するパラメータの設定−ｒ１１に含まれる情報要素は、図１６に示した情報要素のうち少なくとも一つの情報要素のみが含まれて設定されてもよい。また、第２の（プライマリーセル）端末固有上りリンク電力制御に関するパラメータの設定−ｒ１１または第２のセカンダリーセル端末固有上りリンク電力制御に関するパラメータの設定−ｒ１１に含まれる情報要素は、一つも含まれてなくてもよい。この場合には、基地局１０１は、解放を選択し、その情報を端末１０２へ通知する。また、第２の端末固有上りリンク電力制御に関するパラメータの設定で設定されなかった情報要素は、第１の端末固有上りリンク電力制御に関するパラメータの設定と共通であってもよい。つまり、第２の端末固有上りリンク電力制御に関するパラメータの設定においてパスロス参照リソースが設定されなかった場合には、第１の端末固有上りリンク電力制御に関するパラメータの設定において設定されているパスロス参照リソースに基づいてパスロスの計算を行う。
【０１９４】
パスロス参照リソースは、図１２で示したものと同じであってもよい。つまり、パスロス参照リソースを指示する測定対象は、セル固有参照信号アンテナポート０または、ＣＳＩ−ＲＳアンテナポートインデックス（ＣＳＩ−ＲＳ測定インデックス）と関連付けられたインデックスと関連付けられてもよい。パスロス参照リソースとして複数の測定対象が設定されてもよい。端末１０２は、これらの測定対象のうち少なくとも一つを用いてパスロスの計算を行うことができる。パスロス参照リソースに追加される測定対象は、追加変更リストによって追加されてもよい。また、測定対象の追加数は、最大測定対象ＩＤによって決定されてもよい。測定対象ＩＤは、測定オブジェクトＩＤによって決定されてもよい。つまり、追加する測定対象数は、測定対象設定数と同じであってもよい。また、削除リストによって、不要になった測定対象を削除することができる。さらに複数の第１および第２の測定対象設定がパスロス参照リソースと関連付けられた場合のパスロスの計算方法について例をあげる。パスロス参照リソースはパスロス参照リソース追加変更リストの中に複数の第１および第２の測定対象設定、つまり伝送路状況測定用参照信号のアンテナポート１５、１６など指定することがある。この場合には伝送路状況測定用参照信号のアンテナポート１５および１６の受信信号電力に基づいて第２のパスロスが計算されてもよい。この場合、アンテナポート１５から算出されるパスロスとアンテナポート１６から算出されるパスロスの平均をとり、第２のパスロスとしてもよいし、２つのパスロス値の内大きな方もしくは小さな方を取り第２のパスロスとしてもよい。また２つのパスロスを線形処理したのち第２のパスロスとしてもよい。また上記はセル固有参照信号のアンテナポート０と伝送路状況測定用参照信号のアンテナポート１５でもよい。さらに別の例では、第２のパスロス参照リソースはパスロス参照リソース追加変更リストの中に複数の第２の測定対象設定、つまり伝送路状況測定用参照信号のアンテナポート１５、１６など指定することがある。この場合には伝送路状況測定用参照信号のアンテナポート１５および１６の受信信号電力に基づいて第２のパスロス、第３のパスロスが計算されてもよい。この場合、第１のパスロス、第２のパスロス、第３のパスロスは第１のサブフレームサブセット、第２のサブフレームサブセット、第３のサブフレームサブセットにそれぞれ関連付けられてもよい。また、基地局１０１は、第１のサブフレームサブセット内で通知する上りリンクグラントに含まれるＴＰＣコマンド（送信電力制御コマンド）に対しては、第１の値を設定し、第１のサブフレームサブセット内で通知する上りリンクグラントに含まれるＴＰＣコマンドに対しては、第１の値とは異なる第２の値が設定してもよい。つまり、ＴＰＣコマンドによる第１の値は、第１のサブフレームサブセットに、ＴＰＣコマンドによる第２の値は、第２のサブフレームサブセットに関連付けられてもよい。この際、第１の値と第２の値は、異なる値に設定されてもよい。つまり、基地局１０１は、第１の値を第２の値よりも高い値に設定してもよい。ここで、第１の値および第２の値は、ＴＰＣコマンドの電力補正値である。なお、第１の値や第２の値は情報ビットで示されてもよい。
【０１９５】
一例として下りリンクサブフレームが第１のサブセットおよび第２のサブセットに分けられているものと考える。ところで上りリンクグラントがサブフレームｎ（ｎは自然数）で受信された場合、端末１０２はサブフレームｎ＋４ で上りリンク信号の送信を行うため、おのずと上りリンクサブフレームも第１のサブセットおよび第２のサブセットに分けられているものと考える。第１のサブセットと第１の上りリンク電力制御に関するパラメータの設定を関連付け、第２のサブセットと第２の上りリンク電力制御に関するパラメータの設定を関連付けてもよい。つまり、端末１０２は、第１のサブセットに含まれる下りリンクサブフレームにおいて上りリンクグラントを検出した場合には、第１の上りリンク電力制御に関するパラメータの設定に含まれる種々の情報要素と、第１の上りリンク電力制御に関するパラメータの設定に含まれるパスロス参照リソース（測定対象）に基づいてパスロスを計算し、第１の上りリンク送信電力を計算する。また、端末１０２は、第２のサブセットに含まれる下りリンクサブフレームにおいて上りリンクグラントを検出した場合には、第２の上りリンク電力制御に関するパラメータの設定に含まれる種々の情報要素と、第２の上りリンク電力制御に関するパラメータの設定に含まれるパスロス参照リソース（測定対象）に基づいてパスロスを計算し、第２の上りリンク送信電力を計算する。
【０１９６】
また、一例として上りリンクグラントが含まれる制御チャネル領域と上りリンク電力制御に関するパラメータの設定が関連付けられる。すなわち、基地局１０１は、端末１０２がどの制御チャネル領域（第１の制御チャネル領域、第２の制御チャネル領域）で上りリンクグラントを検出したかによって、上りリンク送信電力を計算するために用いる上りリンク電力制御に関するパラメータの設定を切り替えることができる。つまり、端末１０２は、第１の制御チャネル領域で上りリンクグラントを検出した場合には、第１の上りリンク電力制御に関するパラメータの設定を用いてパスロスを計算し、上りリンク送信電力を計算する。また、第２の制御チャネル領域で上りリンクグラントを検出した場合には、第２の上りリンク電力制御に関するパラメータの設定を用いてパスロスを計算し、上りリンク送信電力を計算する。また、別の例では、下りリンクアサインメントが含まれる制御チャネル領域と上りリンク電力制御に関するパラメータの設定とを関連付けてもよい。なお、上りリンクグラントと下りリンクアサインメントはともにＤＣＩフォーマットの一種である。
【０１９７】
第５の実施形態では、基地局１０１は、第１および第２の上りリンク電力制御に関するパラメータの設定を端末１０２へ通知する。一例では端末１０２は、通知された情報に従って、第１の上りリンク電力制御に関するパラメータの設定に基づいてパスロス（第１のパスロス）を計算し、第１のパスロスと第１の上りリンク電力制御に関するパラメータの設定に基づいて第１の上りリンク送信電力を計算する。また、端末１０２は、第２の上りリンク電力制御に関するパラメータの設定に基づいてパスロス（第２のパスロス）を計算し、第２のパスロスと第２の上りリンク電力制御に関するパラメータの設定に基づいて第２の上りリンク送信電力を計算する。つまり、第１の上りリンク送信電力は常に第１の上りリンク電力制御に関するパラメータの設定で通知された測定対象を元に計算され、第２の上りリンク送信電力は常に第２の上りリンク電力制御に関するパラメータの設定で通知された測定対象を元に計算されてもよい。また、端末１０２は、上りリンクグラントを検出した周波数リソースやタイミングによって、上述した第１の上りリンク送信電力において上りリンク信号を送信するのか上述した第２の上りリンク送信電力において上りリンク信号を送信するのかを制御してもよい。また、基地局１０１は、第１のサブフレームサブセット内の下りリンクサブフレームにおいて上りリンクグラントを通知する場合には、ＴＰＣコマンドの値を第１の値に設定し、第２のサブフレームサブセット内の下りリンクサブフレームにおいて上りリンクグラントを通知する場合には、ＴＰＣコマンドの値を第２の値に設定する。例えば、第１の値は、第２の値よりも電力補正値が高くなるように設定されてもよい。また、基地局１０１は、第１のサブフレームサブセット内の上りリンクサブフレームにおいて送信された上りリンク信号を復調し、第２のサブフレームサブセット内の上りリンクサブフレームにおいて送信された上りリンク信号については復調処理を行わないように上りリンク信号の復調処理を行うこともできる。
【０１９８】
このように、第１および第２の上りリンク送信電力は、第１および第２の上りリンク電力制御に関するパラメータの設定と固定的に関連付けられてもよい。
【０１９９】
また、第５の実施形態では、基地局１０１は、第１および第２の上りリンク電力制御に関するパラメータの設定を含む無線リソース制御信号を端末１０２へ通知し、上りリンクグラントを端末１０２へ通知する。また、端末１０２は、第１の上りリンク電力制御に関するパラメータの設定に基づいて第１のパスロスおよび第１の上りリンク送信電力を計算し、第２の上りリンク電力制御に関するパラメータの設定に基づいて第２のパスロスおよび第２の上りリンク送信電力を計算し、上りリンクグラントを検出した場合には、第１または第２の上りリンク送信電力において上りリンク信号を送信する。
【０２００】
複数の上りリンク電力制御に関するパラメータの設定を設定することで、端末１０２は、基地局１０１またはＲＲＨ１０３に対して適切な上りリンク電力制御に関するパラメータの設定を選択することができ、基地局１０１またはＲＲＨ１０３に対して適切な上りリンク送信電力の上りリンク信号を送信することができる。さらに具体的に説明すると、第１および第２の上りリンク電力制御に関するパラメータの設定に含まれる情報要素にうち少なくとも１種類の情報要素を異なる値として設定することができる。例えば、セル内のフラクショナル送信電力制御に用いられる減衰係数であるαを基地局１０１と端末１０２間と、ＲＲＨ１０３と端末１０２間で異なる制御を行いたい場合には、第１の上りリンク電力制御に関するパラメータの設定を基地局１０１向けの送信電力制御、第２の上りリンク電力制御に関するパラメータの設定をＲＲＨ１０３向けの送信電力制御として関連付けることでそれぞれの設定に含まれるαを適切なαとして設定することができる。つまり、基地局１０１と端末１０２間とＲＲＨ１０３と端末１０２間とで異なるフラクショナル送信電力制御を行うことができる。同様にＰＯ＿ＮＯＭＩＮＡＬ＿ＰＵＳＣＨ，ｃやＰＯ＿ＵＥ＿ＰＵＳＣＨ、ｃを第１および第２の上りリンク電力制御に関するパラメータの設定の中で異なる値に設定することにより、基地局１０１と端末１０２間とＲＲＨ１０３と端末１０２間とでＰＵＳＣＨの標準電力を異なる値とすることができる。その他のパラメータに関しても同様のことが行える。つまり、第１および第２の上りリンク電力制御に関するパラメータの設定に含まれる種々のパラメータは、それぞれ異なる値を設定することができる。また、第２の上りリンク電力制御に関するパラメータの設定に含まれるＰＯ＿ＮＯＭＩＮＡＬ＿ＰＵＳＣＨ，ｃやＰＯ＿ＵＥ＿ＰＵＳＣＨ、ｃなどの種々の電力制御に関するパラメータについて、第１の上りリンク電力制御に関するパラメータの設定に含まれるＰＯ＿ＮＯＭＩＮＡＬ＿ＰＵＳＣＨ，ｃやＰＯ＿ＵＥ＿ＰＵＳＣＨ、ｃなどの種々の電力制御に関するパラメータよりも広い範囲を設定できるようにしてもよい。例えば、第２の上りリンク電力制御に関するパラメータの設定に含まれるＰＯ＿ＵＥ＿ＰＵＳＣＨ、ｃを第１の上りリンク電力制御に関するパラメータの設定に含まれるＰＯ＿ＵＥ＿ＰＵＳＣＨ、ｃよりも高い値および／または低い値に設定できるようにしてもよい。また、第２の上りリンク電力制御に関するパラメータの設定に含まれるＳＲＳの電力オフセットを第１の上りリンク電力制御に関するパラメータの設定に含まれるＳＲＳの電力オフセットよりも高い値および／または低い値に設定できるようにしてもよい。また、第２の上りリンク電力制御に関するパラメータの設定に含まれるＰＯ＿ＵＥ＿ＰＵＣＣＨ、ｃを第１の上りリンク電力制御に関するパラメータの設定に含まれるＰＯ＿ＵＥ＿ＰＵＣＣＨ、ｃよりも高い値および／または低い値に設定できるようにしてもよい。例えば、第１の上りリンク電力制御に関するパラメータの設定に含まれるＰＯ＿ＵＥ＿ＰＵＳＣＨ、ｃが設定可能な電力値の範囲が［−８，７］であったとすると、第２の上りリンク電力制御に関するパラメータの設定に含まれるＰＯ＿ＵＥ＿ＰＵＳＣＨ、ｃが設定可能な電力値の範囲は、［−１５，１０］とすることもできる。また、第１の上りリンク電力制御に関するパラメータの設定に含まれるＰＯ＿ＵＥ＿ＰＵＣＣＨ、ｃが設定可能な電力値の範囲が［−８，７］であったとすると、第２の上りリンク電力制御に関するパラメータの設定に含まれるＰＯ＿ＵＥ＿ＰＵＣＣＨ、ｃが設定可能な電力値の範囲は、［−１５，１０］とすることもできる。また、第１の上りリンク電力制御に関するパラメータの設定に含まれるＳＲＳ電力オフセットが設定可能なオフセットの範囲が［０，１５］であったとすると、第２の上りリンク電力制御に関するパラメータの設定に含まれるＳＲＳ電力オフセットが設定可能なオフセットの範囲は、［−５，２０］とすることもできる。つまり、第１のＳＲＳの電力オフセット値の範囲と第２のＳＲＳの電力オフセット値の範囲が異なっていてもよい。
【０２０１】
また、端末１０２は、受信したＰＤＣＣＨに含まれるＤＣＩフォーマットの種類によって、上りリンク送信電力の計算に使用する上りリンク電力制御に関するパラメータの設定を切り替えることができる。例えば、ＳＲＳリクエストが含まれるＰＤＣＣＨがＤＣＩフォーマット０（第１のＤＣＩフォーマット）である場合には、第１の上りリンク電力制御に関するパラメータの設定において設定されているＡ−ＳＲＳの電力オフセット（第１のＡ−ＳＲＳ電力オフセット）を用いて、Ａ−ＳＲＳの送信電力を計算し、ＳＲＳリクエストが含まれるＰＤＣＣＨがＤＣＩフォーマット１Ａ（第２のＤＣＩフォーマット）である場合には、第２の上りリンク電力制御に関するパラメータの設定において設定されているＡ−ＳＲＳの電力オフセット（第２のＡ−ＳＲＳ電力オフセット）を用いて、Ａ−ＳＲＳの送信電力を計算することもできる。つまり、端末１０２は、ＳＲＳリクエストが含まれるＤＣＩフォーマットの種類と上りリンク電力制御に関するパラメータの設定を関連付けてＡ−ＳＲＳの送信電力を計算することができる。
【０２０２】
ＤＣＩフォーマットの種類によって、異なる上りリンク電力制御に関するパラメータの設定を用いるか否かは、ＲＲＣ信号によって端末１０２毎に通知されてもよい。つまり、第１および第２のＤＣＩフォーマット間で、同じ上りリンク電力制御に関するパラメータの設定を用いるか否かは、ＲＲＣ信号によって通知されてもよい。
【０２０３】
また、端末１０２は、第１の状態の時は、第１の上りリンク電力制御に関するパラメータの設定に基づいて上りリンク送信電力をセットし、第２の状態の時は、第２の上りリンク電力制御に関するパラメータの設定に基づいて上りリンク送信電力をセットしてもよい。ここで、第１の状態の端末は、ＣＲＳに基づいてＲＳＲＰをセットする端末であり、第２の状態の端末は、ＣＳＩ−ＲＳに基づいてＲＳＲＰをセットする端末である。第２の状態の端末とは、ＣＳＩ−ＲＳのパラメータに関する設定情報が複数セットされた端末のことである。なお、ＣＳＩ−ＲＳのパラメータに関する設定情報には、ＣＳＩ−ＲＳのポート番号やポート数、リソース、サブフレームに関する設定情報が少なくとも１つ含まれる。また、第１の状態の端末とは、第１の制御チャネル領域で下りリンク制御情報（ＤＣＩ：Downlink Control Information）を検出する端末のことであり、第２の状態の端末とは、第１の制御チャネル領域および／または第２の制御チャネル領域で下りリンク制御情報を検出する端末のことである。また、第１の状態の端末と第２の状態の端末では、端末固有に設定可能な電力値の最大値と最小値との差が異なる。例えば、第１の状態の端末よりも第２の状態の端末の方が端末固有の電力値の最大値と最小値との差が大きくなるように設定することができる。つまり、第２の状態の端末は、第１の状態の端末よりも高い端末固有の電力が設定可能であり、第１の状態の端末よりも低い端末固有の電力が設定可能である。また、第２の状態の端末は、第１の状態の端末よりも高いＳＲＳ電力オフセットが設定可能であり、第１の状態の端末よりも低いＳＲＳ電力オフセットが設定可能である。また、第１の状態の端末と第２の状態の端末で、端末固有の電力を管理するテーブルが異なってもよい。また、第１の状態の端末と第２の状態の端末で、ＳＲＳ電力オフセットを管理するテーブルが異なってもよい。また、第２の伝送路損失補償係数は、複数設定することもできる。また、第２の伝送路損失補償係数は、上りリンク物理チャネル毎に設定することもできる。また、第１の状態の端末とは、第１の送信モードの端末であり、第２の状態の端末とは、第２の送信モードの端末である。例えば、第１の送信モードの端末は、ＣＲＳでパスロス測定を行い、第２の送信モードの端末は、ＣＲＳおよび／またはＣＳＩ−ＲＳでパスロス測定を行う。第１の送信モードの端末は、１つの基地局とアクセス可能な端末であり、第２の送信モードの端末は、少なくとも１つの基地局とアクセス可能な端末である。つまり、第２の送信モードの端末は、複数の基地局と同時にアクセス可能な端末でもある。また、第２の送信モードの端末は、複数の基地局を１つの基地局として認識することが可能な端末である。また、第２の送信モードの端末は、複数のセルを１つのセルと認識することが可能な端末である。
【０２０４】
また、図１を用いて説明すると、端末１０２は、上りリンク１０６に対して、第１の上りリンク電力制御に関するパラメータの設定を用いてパスロスおよび上りリンク送信電力を計算し、その送信電力において上りリンク信号を送信するように制御されてもよい。上りリンク１０８に対して、第２の上りリンク電力制御に関するパラメータの設定を用いてパスロスおよび上りリンク送信電力を計算し、その送信電力において上りリンク信号を送信するように制御されてもよい。
【０２０５】
また、第１および第２のパスロスは、異なる値が設定されたフィルタ係数によって計算されてもよい。つまり、第１および第２のパスロスはそれぞれ第１および第２のフィルタ係数から計算されてもよい。
【０２０６】
（第６の実施形態）
次に、第６の実施形態について説明する。第６の実施形態では、基地局１０１は、複数（２つ以上）の上りリンク電力制御に関するパラメータの設定（例えば、第１および第２の上りリンク電力制御に関するパラメータの設定）を含むＲＲＣ信号を端末１０２へ通知し、上りリンク信号の送信指示を含むＤＣＩフォーマットを端末１０２へ通知する。端末１０２は、ＤＣＩフォーマットを受信し、ＤＣＩフォーマットの種類を判定し、受信したＤＣＩフォーマットが第１のＤＣＩフォーマットの場合には、第１の上りリンク電力制御に関するパラメータの設定に基づいてパスロスおよび上りリンク信号の送信電力を計算し、受信したＤＣＩフォーマットが第２のＤＣＩフォーマットの場合には、第２の上りリンク電力制御に関するパラメータの設定に基づいてパスロスおよび上りリンク信号の送信電力を計算し、上りリンク送信電力において上りリンク信号を送信する。ここで、第１のＤＣＩフォーマットが上りリンクグラント、第２のＤＣＩフォーマットが下りリンクアサインメントであってもよい。また、第１のＤＣＩフォーマットが下りリンクアサインメント、第２のＤＣＩフォーマットが上りリンクグラントであってもよい。つまり、第１と第２のＤＣＩフォーマットは異なる種類のＤＣＩフォーマットであればよい。例えば、第１のＤＣＩフォーマットはＤＣＩフォーマット０、第２のＤＣＩフォーマットはＤＣIフォーマット１Ａであればよい。また、第１のＤＣＩフォーマットはＤＣＩフォーマット４、第２のＤＣＩフォーマットはＤＣＩフォーマット２Ｂ／２Ｃであってもよい。
【０２０７】
また、第１と第２のＤＣＩフォーマットは、同じ種類のＤＣＩフォーマット（例えば、ＤＣＩフォーマット０）であっても、ＤＣＩフォーマットに含まれる種々の制御情報（制御フィールド）のうち少なくとも一つの制御情報に対して異なる値が設定されていれば、第１および第２のＤＣＩフォーマットとみなすことができる。例えば、ＤＣＩフォーマット０には、ＴＰＣコマンドに関する制御情報が含まれているが、そのＴＰＣコマンドの値（インデックス）の違いによって、第１と第２のＤＣＩフォーマットを区別してもよい。ここでは、ＴＰＣコマンドについて一例を挙げたが他の制御情報であってもよい。例えば、ＤＣＩフォーマット０には、ＵＬ  ＤＭＲＳのサイクリックシフトを指示する情報が含まれる。ＵＬ  ＤＭＲＳのサイクリックシフトを指示する情報が異なれば、第１と第２のＤＣＩフォーマットとして区別してもよい。例えば、ＵＬ  ＤＭＲＳのサイクリックシフトを指示する情報が第１の値であれば、第１のＤＣＩフォーマット、ＵＬ  ＤＭＲＳのサイクリックシフトを指示する情報が第２の値であれば、第２のＤＣＩフォーマットとして区別してもよい。なお、上記第１の値や第２の値は情報ビットで示されてもよい。
【０２０８】
また、ＤＣＩフォーマットに複数の上りリンク電力制御に関するパラメータの設定の切り替えを示す情報フィールド（または情報ビット）が設定されてもよい。つまり、その切り替えを示す情報によって、例えば、２つの上りリンク電力制御に関するパラメータの設定を切り替えることができる。ここで、基地局１０１は、この２つの上りリンク電力制御に関するパラメータの設定を異なる用途のために設定することができる。ＤＣＩフォーマットで端末１０２の上りリンク電力制御を行うことで、よりダイナミックなスケジューリングを行うことができる。例えば、ＲＲＨ１０３とだけ通信を行う場合と、基地局１０１とＲＲＨ１０３で構成される協調通信を行う場合では適切な上りリンク送信電力制御は異なる。基地局１０１は、より適切なスケジューリングを行うために、ＤＣＩフォーマットにおいて上りリンク電力制御をダイナミックに行うことができる。ＳＲＳのようなチャネル測定用の参照信号においては、参照ポイント毎に適切な送信電力で送信されることが望ましい。
【０２０９】
基地局１０１は、複数の上りリンク電力制御に関するパラメータの設定を１つの端末１０２に対して設定することで、複数の基地局（基地局１、基地局２、基地局３、…）または複数のＲＲＨ（ＲＲＨ１、ＲＲＨ２、ＲＲＨ３、…）に対して適切な上りリンク送信電力を選択することができ、複数の基地局１０１（または複数のＲＲＨ１０３）間で接続している他の端末への干渉を抑制することができる。つまり、基地局１０１（またはＲＲＨ１０３）は、端末１０２に近い方（パスロスが小さい方）を上りリンクの受信点（Uplink Reception Point）として基地局１０１またはＲＲＨ１０３を選択することができ、受信点である基地局１０１またはＲＲＨ１０３は、近い方の上りリンク送信電力制御に適したパラメータを端末１０２に対して設定することができる。例えば、近い方の基地局（ＲＲＨ）とは、計算したパスロスが小さいパスロス参照リソースを送信した基地局１０１（ＲＲＨ１０３）のことであり、遠い方の基地局とは、計算したパスロスが大きいパスロス参照リソースを送信した基地局１０１（ＲＲＨ１０３）のことである。端末１０２は、パスロス参照リソースの違いによって基地局１０１とＲＲＨ１０３（複数の下りリンク送信点および上りリンク受信点、複数の参照ポイント）を識別することができる。
【０２１０】
また、基地局１０１は、ＲＲＣ信号を介して通知した複数の上りリンク電力制御に関するパラメータの設定（ここでは、第１および第２の上りリンク電力制御に関するパラメータの設定）をＤＣＩフォーマットの種類に応じてその切り替えを端末１０２に指示することができる。基地局１０１は、端末１０２が接続しているセル（基地局１０１やＲＲＨ１０３）で設定された種々のパラメータによって、適切な上りリンク送信電力制御を行うことができる。つまり、複数の受信点（ここでは、基地局１０１とＲＲＨ１０３）と接続している端末１０２は、受信点（参照ポイント）毎に適切な上りリンク送信電力制御を行うことによって最適なスループットを得ることができる。上りリンク送信電力の切り替え（上りリンク送信電力制御）をダイナミックに行えることによって受信点（参照ポイント）が密集した地域であっても他の受信点への干渉および他の受信点と接続している端末１０２への干渉を軽減することができる。つまり、同じ周波数リソースを用いて通信している端末への干渉を抑制することができる。
【０２１１】
例えば、第１および第２の上りリンク電力制御に関するパラメータの設定が設定される場合、基地局１０１は、ＤＣＩフォーマットにそれらの切り替えを示す情報が追加されるようにＲＲＣ信号で端末１０２に通知してもよい。
【０２１２】
端末１０２が基地局１０１に接続している場合には、上りリンク物理チャネル（上りリンク信号）が基地局１０１向けに設定された第１の上りリンク電力制御に関するパラメータの設定を用いて上りリンク送信電力を計算する。また、端末１０２がＲＲＨ１０３に接続している場合には、上りリンク物理チャネルがＲＲＨ１０３向けに設定された第２の上りリンク電力制御に関するパラメータの設定を用いて上りリンク送信電力を計算する。または、第１および第２の上りリンク電力制御に関するパラメータの設定から得られる上りリンク送信電力は、予め基地局１０１（またはＲＲＨ１０３）と端末１０２間の距離に応じて減衰する電力を補償する標準ＰＵＳＣＨ電力が設定されてもよい。つまり、端末１０２は、第１と第２の上りリンク電力制御に関するパラメータの設定を切り替えることによって送信電力が比較的高いまたは送信電力が比較的低い上りリンク信号を切り替えて送信することができる。ここで、比較的高い送信電力とは、他の端末に対して干渉元にならない程度または高いパスロスを補償する程度の送信電力のことである。また、比較的低い送信電力とは、受信点に送信信号が到達しうる程度または低いパスロスを補償する程度の送信電力のことである。
【０２１３】
また、ＤＣＩフォーマットに２つの上りリンク電力制御に関するパラメータの設定の切り替えを示す情報（情報ビット）を含んでもよい。例えば、切り替えを示す情報が第１の値（例えば、‘０’）である場合には、端末１０２は、第１の上りリンク制御に関するパラメータの設定に基づいて上りリンク送信電力を計算し、切り替えを示す情報が第２の値（例えば、‘１’）である場合には、端末１０２は、第２の上りリンク制御に関するパラメータの設定に基づいて上りリンク送信電力を設定する。
【０２１４】
その切り替えを示す情報は、ＤＣＩフォーマットに含まれる制御情報と関連付けられてもよい。例えば、ＵＬ  ＤＭＲＳのサイクリックシフトインデックスの値と切り替えを指示する情報が関連付けられてもよい。
【０２１５】
また、その切り替えを示す情報は、ＤＣＩフォーマットに含まれる少なくとも１つの制御情報が所定の値である場合に、ＤＣＩフォーマットに切り替えを指示する情報が含まれていると端末１０２が認識するコードポイントで示されてもよい。例えば、端末１０２は、基地局１０１またはＲＲＨ１０３から送信されたＤＣＩフォーマットに含まれている第１の制御情報に所定の情報（値）が設定されている場合、そのＤＣＩフォーマットに含まれている情報を読み替えることができる。この時、端末１０２と基地局１０１（またはＲＲＨ１０３）から構成される通信システムにおいては、第１の制御情報に設定されている所定の情報を所定のコードポイントとして定義することができる。ここで、第１の制御情報が仮想リソースブロックの集中配置／分散配置識別情報とリソースブロック割り当て情報とで構成される場合の所定のコードポイントとは、仮想リソースブロックの集中配置／分散配置識別情報が１ビットで示され、リソースブロック割り当て情報が５ビットで示される場合、その１ビットが‘０’を示し、その５ビットがすべて‘１’を示した場合のことである。端末１０２は、このコードポイントを検出した場合にのみ、ＤＣＩフォーマットにその切り替えを指示する情報が含まれていることを認識することができる。つまり、所定のコードポイントは、１つの制御情報の所定の情報だけで構成しなくてもよい。すなわち、複数の制御情報がそれぞれ所定の情報である時にだけ、端末１０２は所定のコードポイントとみなし、ＤＣＩフォーマットにその切り替えを指示する情報が含まれていると認識する。例えば、仮想リソースブロックの集中／分散配置を識別する情報とリソースブロック配置情報がそれぞれ所定の情報で示された場合、その指示情報がＤＣＩフォーマットに含まれていると認識する。それ以外の場合は、端末１０２は、仮想リソースブロックの集中／分散配置を識別する情報とリソースブロック配置情報に基づいてリソース割り当てを行う。例えば、コードポイントを構成する制御情報は、ＵＬ  ＤＭＲＳのサイクリックシフトに関する情報（Cyclic shift for DM RS and OCC index）とＰＵＳＣＨの周波数ホッピングの許可情報の所定の情報から構成されてもよい。また、ＤＣＩフォーマットに含まれる変調符号化方式（ＭＣＳ：Modulation and Coding Scheme）情報、ＨＡＲＱプロセス番号（HARQ process number）情報、ＮＤＩ（New Data Indicator）情報がそれぞれ所定の情報である場合に、端末１０２は、所定のコードポイントと認識し、ＤＣＩフォーマットにその指示情報が含まれていると認識する。コードポイントを検出した場合、端末１０２は、ＤＣＩフォーマットのコードポイントに使用されていない制御情報の一部またはすべてをその切り替えを指示する情報として認識することができる。例えば、その切り替えを指示する情報として認識される制御情報は、仮想リソースブロックの集中配置／分散配置識別情報であってもよい。また、その切り替えを指示する情報として認識される制御情報は、リソースブロック割り当て情報であってもよい。また、その切り替えを指示する情報として認識される制御情報は、ＳＲＳリクエストであってもよい。また、その切り替えを指示する情報として認識される制御情報は、��ＳＩリクエストであってもよい。また、その切り替えを指示する情報として認識される制御情報は、ＵＬ  ＤＭＲＳのサイクリックシフトに関する情報であってもよい。その切り替えを指示する情報として認識される制御情報は、上述した制御情報を複数用いて表されてもよい。
【０２１６】
マクロ基地局１０１だけがＰＤＣＣＨまたは制御情報を含むＲＲＣ信号を送信する場合において、マクロ基地局１０１によって端末１０２はマクロ基地局１０１向けの上りリンク信号送信を行うかＲＲＨ１０３向けの上りリンク信号送信をＤＣＩフォーマットで指示することができる。つまり、マクロ基地局１０１は、端末１０２の位置または送信電力の損失を想定して適切な上りリンク送信電力制御が行える上りリンクの受信点に対して上りリンク信号を送信するように制御することができる。
【０２１７】
種々の上りリンク物理チャネル（ＰＵＳＣＨ、ＰＵＣＣＨ、ＳＲＳ、ＰＲＡＣＨ）に関する上りリンク電力制御に関するパラメータの設定をそれぞれ２セット以上設定することもできる。一例として、種々の上りリンク物理チャネルに対して２セットの上りリンク電力制御に関するパラメータの設定が設定された場合、ＤＣＩフォーマットにそれらの切り替えを指示する情報が含まれる。それは、１ビットで示されてもよい。例えば、端末１０２は、受信したその切り替えを指示する情報が第１の値（例えば、‘０’）を示している場合には、第１の上りリンク電力制御に関するパラメータの設定を用いて種々の上りリンク送信電力を計算する。その切り替えを指示する情報が第２の値（例えば、‘１’）を示している場合には、第２の上りリンク電力制御に関するパラメータの設定を用いて種々の上りリンク送信電力を計算する。
【０２１８】
例えば、ＤＣＩフォーマットに第１および第２の上りリンク電力制御に関するパラメータの設定と関連付けられた制御情報を含んでもよい。つまり、端末１０２は、その制御情報に第１の上りリンク電力制御に関するパラメータの設定を用いて上りリンク送信電力を計算することが指示された場合、言い換えると、第１の電力制御が指示された場合、第１の上りリンク電力制御に関するパラメータの設定に基づいて上りリンク送信電力を計算する。また、端末１０２は、その制御情報に第２の上りリンク電力制御に関するパラメータの設定を用いて上りリンク送信電力を計算することが指示された場合、言い換えると、第２の電力制御が指示された場合、第２の上りリンク電力制御に関するパラメータの設定に基づいて上りリンク送信電力を計算する。この時、第１および第２の上りリンク電力制御に関するパラメータの設定はＲＲＣ信号に含まれて端末１０２へ通知される。同様にＤＣＩフォーマットにそれらの切り替えを指示する情報が、２ビットで示されてもよい。また、端末１０２は、その制御情報に第３の上りリンク電力制御に関するパラメータの設定を用いて上りリンク送信電力を計算することが指示された場合、言い換えると、第３の電力制御が指示された場合、第３の上りリンク電力制御に関するパラメータの設定に基づいて上りリンク送信電力を計算してもよいし、制御情報に第４の上りリンク電力制御に関するパラメータの設定を用いて上りリンク送信電力を計算することが指示された場合、言い換えると、第４の電力制御が指示された場合、第４の上りリンク電力制御に関するパラメータの設定に基づいて上りリンク送信電力を計算してもよい。このように制御情報に複数の上りリンク電力制御に関するパラメータの設定から選択された上りリンク電力制御に関するパラメータを用いて上りリンク送信電力を計算することが指示された場合、選択された上りリンク電力制御に関するパラメータの設定に基づいて上りリンク送信電力を計算してもよい。
【０２１９】
また、ＤＣＩフォーマットに含まれるＡ−ＳＲＳの送信要求を示すＳＲＳリクエスト（ＳＲＳリクエスト）が示す情報により、複数のＡ−ＳＲＳのパラメータセットの中からＡ−ＳＲＳに使用するパラメータセットが一意に選択される。ここでＳＲＳリクエストと関連付けられたＡ−ＳＲＳのパラメータセットに上りリンク電力制御に関するパラメータの設定が含まれてもよい。つまり、第１のＳＲＳ（Ａ−ＳＲＳ）パラメータセットに第１の上りリンク電力制御に関するパラメータの設定が含まれてもよいし、第２のＳＲＳ（Ａ−ＳＲＳ）パラメータセットに第２の上りリンク電力制御に関するパラメータの設定が含まれてもよい。同様に第３のＳＲＳ（Ａ−ＳＲＳ）パラメータセットに第３の上りリンク電力制御に関するパラメータの設定が含まれてもよいし、第４のＳＲＳ（Ａ−ＳＲＳ）パラメータセットに第４の上りリンク電力制御に関するパラメータの設定が含まれてもよい。このように複数のＳＲＳ（Ａ−ＳＲＳ）パラメータセットと複数の上りリンク電力制御に関するパラメータの設定がそれぞれ関連付けられていてもよいし、それは４つ以上のＳＲＳ（Ａ−ＳＲＳ）パラメータセットと４つ以上の上りリンク電力制御に関するパラメータの設定であってもよい。なお、ＳＲＳ（Ａ−ＳＲＳ）のパラメータセットには、ＳＲＳのサイクリックシフトが含まれる。また、ＳＲＳのパラメータセットには、ＳＲＳの送信帯域幅が含まれる。また、ＳＲＳのパラメータセットには、ＳＲＳのアンテナポート数が含まれる。また、ＳＲＳのパラメータセットには、ＳＲＳの周波数オフセットである送信コームが含まれる。また、ＳＲＳのパラメータセットには、ホッピング帯域幅が含まれる。また、ＳＲＳのパラメータセットには、ＳＲＳの基準系列をセットするための識別子（セルＩＤ、パラメータ）が含まれる。
【０２２０】
基地局１０１は、端末１０２の上りリンク電力制御に関するパラメータの設定を切り替えることで、端末１０２に対してインプリシットに上りリンクの受信点の切り替えを制御することができる。
【０２２１】
高速移動をしている端末１０２または送受信ポイントが頻繁に切り替わる端末１０２においては、ダイナミックに上りリンク送信電力制御を行うことができ、適切なスループットを得られ易くなる。
【０２２２】
なお、本実施形態における複数の上りリンク電力制御に関するパラメータの設定にはそれぞれパスロス参照リソースが含まれてもよい。また、パスロス参照リソースは、第３の実施形態で示したものであってもよい。つまり、パスロス参照リソースは、アンテナポートに関連付けられた情報を含んでいても良い。またアンテナポートに関連付けられたとは、アンテナポート０に関連付けられた無線リソース、つまりセル固有参照信号（CRS）に関連付けられていてもよいし、アンテナポート１５から２２に関連付けられた無線リソース、つまり伝送路状況測定用参照信号（CSI-RS）に関連付けられていてもよい。さらに、本実施形態における第１および第２の上りリンク電力制御に関するパラメータの設定には第３の実施形態で示したものであってもよい。つまり、セル内のフラクショナル送信電力制御に用いられる減衰係数であるα（つまり伝送路損失補償係数）であってもよいし、ＰＯ＿ＮＯＭＩＮＡＬ＿ＰＵＳＣＨ，ｃやＰＯ＿ＵＥ＿ＰＵＳＣＨ、ｃ（つまりＰＵＳＣＨの標準電力に関するセル固有または端末固有の電力制御パラメータ）であってもよい。さらにサウンディング参照信号の電力オフセットやフィルタ係数であってもよい。ＰＯ＿ＮＯＭＩＮＡＬ＿ＰＵＣＣＨ，ｃやＰＯ＿ＵＥ＿ＰＵＣＣＨ、ｃ（つまり、ＰＵＣＣＨの標準電力に関するセル固有または端末固有の電力制御パラメータ）であってもよい。
【０２２３】
（第７の実施形態）
次に、第７の実施形態について説明する。第７の実施形態では、基地局１０１は、上りリンク物理チャネルを設定し、上りリンク物理チャネルそれぞれに対してパスロス参照リソースを設定し、その設定情報を含むＲＲＣ信号を端末１０２へ通知する。端末１０２は、ＲＲＣ信号に含まれる情報（設定情報、制御情報）に従って、上りリンク物理チャネルを設定し、上りリンク物理チャネルそれぞれに対して上りリンク電力制御に関するパラメータを設定し、その上りリンク電力制御に関するパラメータに基づいて種々の上りリンク物理チャネルの送信電力を設定し、その送信電力において上りリンク物理チャネルを送信する。
【０２２４】
また、種々の上りリンク物理チャネルに対するパスロス参照リソースがＲＲＣ信号を介して通知される場合、ＰＵＳＣＨの送信電力を計算するためのパスロス参照リソースは、端末固有ＰＵＳＣＨ設定（PUSCH-ConfigDedicated）に設定されうる。ＰＵＣＣＨの送信電力を計算するためのパスロス参照リソースは、端末固有ＰＵＣＣＨ設定（PUCCH-ConfigDedicated）に設定されうる。Ｐ−ＳＲＳの送信電力を計算するためのパスロス参照リソースは、端末固有サウンディング参照信号ＵＬ設定（SoundingRS-UL-ConfigDedicated）に設定されうる。Ａ−ＳＲＳの送信電力を計算するためのパスロス参照リソースは、ＳＲＳ設定アピリオディック（SRS-ConfigAp）に設定されうる。ＰＲＡＣＨの送信電力を計算するためのパスロス参照リソースは、ＰＲＡＣＨ設定情報（PRACH-ConfigInfo）に設定されうる。これらの設定情報は、基地局１０１から端末１０２へＲＲＣ信号で通知される。つまり、パスロス参照リソースは、種々の上りリンク物理チャネルの端末固有のパラメータの設定にセットされうる。つまり、基地局１０１は、端末１０２に割り当てる各上りリンク物理チャネルのパスロス参照リソースを端末１０２毎に設定し、その設定情報をＲＲＣ信号に含めて通知する。なお、パスロス参照リソースは、アンテナポートに関連付けられた情報を含んでいてもよい。また、アンテナポートに関連付けられたとは、アンテナポート０に関連付けられた無線リソース、つまりセル固有参照信号（CRS）に関連付けられていてもよいし、アンテナポート１５から２２に関連付けられた無線リソース、つまり伝送路状況測定用参照信号（CSI-RS）に関連付けられてもよい。
【０２２５】
また、種々の上りリンク物理チャネルに対するパスロス参照リソースは、セル固有のパラメータ設定に含まれて設定されてもよい。
【０２２６】
また、種々の上りリンク物理チャネル（ＰＵＳＣＨ、ＰＵＣＣＨ、ＳＲＳ（Ｐ−ＳＲＳ、Ａ−ＳＲＳ）、ＰＲＡＣＨ）に対するパスロス参照リソースはそれぞれ、端末固有上りリンク電力制御に関するパラメータの設定（UplinkPowerControlDedicated）に設定されてもよい。種々の上りリンク物理チャネルに対するパスロス参照リソースはそれぞれ、セル固有上りリンク電力制御に関するパラメータの設定（UplinkPowerControlCommon）に設定されてもよい。なお、上述した種々の上りリンク信号と種々の上りリンク物理チャネルは、同義である。
【０２２７】
上りリンク物理チャネルの種類によって受信する基地局１０１（またはＲＲＨ１０３）が異なる場合、複数の基地局のうち、端末１０２に近い方（パスロスの小さい方）の基地局１０１を基地局Ａ、端末１０２から遠い方（パスロスの大きい方）の基地局１０１を基地局Ｂとし、基地局ＡにＰＵＳＣＨ、基地局ＢにＳＲＳを送信するとする。異なる基地局から共通のパスロス参照リソースが送信されるため、それらは合成され、端末１０２に受信される。どちらの上りリンク物理チャネルも同じパスロス参照リソースからパスロスを計算し、それぞれの送信電力を計算すると、合成されたパスロス参照リソースの受信電力からパスロスを計算するため、基地局Ａと端末１０２間、基地局Ｂと端末１０２間の正確なパスロスが得られなくなる。そのため、基地局Ａに対しては、適切な送信電力よりも高い送信電力でＰＵＳＣＨを送信することになり、基地局Ｂに対しては、適切な電力よりも低い電力でＳＲＳを送信することになると、基地局Ａでは、端末１０２から送信されるＰＵＳＣＨは他の端末の干渉元になり、基地局Ｂでは、端末１０２から送信されるＳＲＳから適切なチャネル測定が行えなくなり、適切なスケジューリングができなくなる。特に、ＳＲＳは、基地局１０１と端末１０２間のチャネル測定を行うために必要なチャネルであり、そのチャネル測定結果から上りリンクスケジューリングを行うため、基地局Ａと端末１０２間、基地局Ｂと端末１０２間で適切なチャネル測定が行われないと端末１０２に対して最も近い基地局１０１を選択することができず、適切な送信電力で、適切なスループットを得ることが難しくなる。なお、この時、端末１０２と基地局１０１間の距離（端末１０２から近いか遠いか）は、パスロスによって推定される。つまり、基地局１０１（またはＲＲＨ１０３）は、パスロスが小さければ端末１０２との距離が近いと判断し、パスロスが大きければ端末１０２との距離が遠いと判断する。なお、パスロスの大きさについては閾値に基づいて判定されてもよい。基地局１０１は、端末１０２に近い方の受信点と端末１０２を接続するように制御する。
【０２２８】
複数のパスロス参照リソースからそれぞれパスロスを計算することのできる端末１０２は、それぞれのパスロスの計算結果を種々の上りリンク物理チャネルの送信電力制御に用いてもよい。つまり、端末１０２は、種々の上りリンク物理チャネルの送信電力を、各上りリンク物理チャネルに設定されたパスロス参照リソースによるパスロスの計算結果に基づいて設定してもよい。例えば、ＰＵＳＣＨには第１のパスロス参照リソース、ＰＵＣＣＨには第２のパスロス参照リソース、ＰＲＡＣＨには第３のパスロス参照リソース、Ｐ−ＳＲＳには第４のパスロス参照リソース、Ａ−ＳＲＳには第５のパスロス参照リソースが設定されてもよい。なお、これらのパスロス参照リソースは、第３の実施形態で示したものであってもよい。また、これらのパスロス参照リソースは、アンテナポートと関連付けられた下りリンク参照信号であってもよい。また、これらのパスロス参照リソースは、下りリンクのアンテナポートで指定されてもよい。ここで、これらのパスロス参照リソースの設定情報は、ＲＲＣ信号で端末１０２へ通知されてもよい。また、これらのパスロス参照リソースの設定情報は、ＤＣＩフォーマットに含まれて端末１０２へ通知されてもよい。ここで、これらのパスロス参照リソースの設定情報は、各上りリンク物理チャネルのセル固有または端末固有の設定に含まれてもよい。また、これらのパスロス参照リソースの設定情報は、各上りリンク物理チャネルの設定に含まれる上りリンク電力制御に関するパラメータの設定に含まれてもよい。また、種々の上りリンク物理チャネルに設定されるパスロス参照リソースは、独立に設定されてもよく、それらは必ずしも同じ種類のパスロス参照リソースが設定されていなくてもよい。つまり、それらのパスロス参照リソースにはアンテナポートに関連付けられた情報が同じものでなくてもよい。
【０２２９】
また、一部の上りリンク物理チャネルには、複数のパスロス参照リソースが設定されてもよい。例えば、Ａ−ＳＲＳはＳＲＳリクエストの値に対応したパラメータセットが設定可能であり、それぞれに対してパスロス参照リソースを設定することができる。例えば、Ａ−ＳＲＳのパスロス参照リソースは、第１から第４のパスロス参照リソースが設定されてもよい。また、Ｐ−ＳＲＳには第５のパスロス参照リソースが設定されてもよい。
【０２３０】
ＰＵＳＣＨ、ＰＵＣＣＨ、ＰＲＡＣＨ、Ｐ−ＳＲＳが同じパスロス参照リソースに基づいてパスロスを計算し、Ａ−ＳＲＳは、それとは異なるパスロス参照リソースに基づいてパスロスを計算することもできる。つまり、一部の上りリンク物理チャネルについては、パスロス参照リソースが独立に設定されてもよい。また、上りリンク物理チャネルのうち少なくとも一つは、パスロス参照リソースがＲＲＣ信号で通知されてもよい。また、上りリンク物理チャネルのうち少なくとも一つは、パスロス参照リソースがＤＣＩフォーマットで通知されてもよい。
【０２３１】
複数の基地局１０１およびＲＲＨ１０３（複数の参照ポイント）によって送信された同じ種類のパスロス参照リソースは、端末１０２において合成される。合成されたパスロス参照リソースを基にパスロスを計算すると、端末１０２から遠い方の参照ポイントにおけるパスロスを反映することができず、そのパスロスを用いて上りリンク送信電力を計算し、上りリンク信号を送信すると、遠い方の参照ポイントに到達しない可能性がある。また、合成されたパスロス参照リソースの受信電力を基にパスロスを計算し、上りリンク送信電力を計算すると、端末１０２から送信された上りリンク信号の上りリンク送信電力が比較的低い場合には、基地局１０１やＲＲＨ１０３に到達せず、また、上りリンク送信電力が比較的高い場合には、他の端末への干渉元になる。
【０２３２】
また、基地局１０１およびＲＲＨ１０３（複数の下りリンク送信点）から送信された合成された下りリンク信号は、端末１０２においてそれらの下りリンク信号を分離することができないため、基地局１０１およびＲＲＨ１０３それぞれから送信された下りリンク信号に基づいたパスロスを正確に測定することができない。基地局１０１は、必要に応じて、複数の下りリンク送信点から送信された下りリンク信号のパスロスを測定するために、下りリンク送信点毎にパスロス参照リソースを設定する必要がある。
【０２３３】
端末１０２が基地局１０１とＲＲＨ１０３（または複数の参照ポイント）に対してＰＲＡＣＨを送信する場合、それぞれに送信するＰＲＡＣＨの送信電力の計算に使用されるパスロス参照リソースは異なってもよい。つまり、基地局１０１とＲＲＨ１０３へのＰＲＡＣＨの送信電力制御は、基地局１０１とＲＲＨ１０３それぞれから送信されたパスロス参照リソースに基づいて行われてもよい。また、基地局１０１向けまたはＲＲＨ１０３向けのランダムアクセスを行うために、基地局１０１は、端末１０２に対してＰＲＡＣＨのパスロス参照リソースの切り替えを指示する情報をＲＲＣ信号に含めて通知することもでき、端末１０２は、ＲＲＣ信号に含まれる切り替え情報によってＰＲＡＣＨのパスロス参照リソースを設定（再設定）することができる。
【０２３４】
また、端末１０２には、種々の上りリンク物理チャネルに対してそれぞれ異なる値が設定された上りリンク電力設定に関するパラメータまたはパラメータセットが設定されうる。図１７は、各上りリンク物理チャネルに設定される上りリンク電力制御に関するパラメータの一例である。図１７では、ＰＵＣＣＨ、ＰＵＳＣＨ、Ｐ−ＳＲＳ、Ａ−ＳＲＳの端末固有の設定（端末固有ＰＵＣＣＨ設定―ｖ１１ｘ０（PUCCH-ConfigDedicated-v11x0）、端末固有ＰＵＳＣＨ設定―ｖ１１ｘ０（PUSCH-ConfigDedicated-v11x0）、端末固有サウンディング参照信号ＵＬ設定―ｖ１１ｘ０（SoundingRS-UL-ConfigDedicated-v11x0）アピリオディックＳＲＳ設定―ｒ１１（SRS-ConfigAp-r11））それぞれに対して上りリンク電力制御に関するパラメータの設定（UplinkPowerControl）が設定される。また、ＰＲＡＣＨおよびランダムアクセスチャネル（ＲＡＣＨ：Random Access Channel）については、パワーランピングステップ（powerRampingStep）とプリアンブル初期受信目標電力（preambleInitialReceivedTargetPower）が設定される。上りリンク電力制御に関するパラメータの設定は図１０で示したものであってもよい。これらの設定にパスロス参照リソースが設定されてもよい。なお、パスロス参照リソースは、アンテナポートに関連付けられた情報を含んでいてもよい。またアンテナポートに関連付けられたとは、アンテナポート０に関連付けられた無線リソース、つまりセル固有参照信号（CRS）に関連付けられていてもよいし、アンテナポート１５から２２に関連付けられた無線リソース、つまり伝送路状況測定用参照信号（CSI-RS）に関連付けられていてもよい。
【０２３５】
例えば、パスロスを考慮しなかった場合、比較的高い送信電力になるように設定された種々の電力制御パラメータセット（第１の電力制御パラメータセット）と比較的低い送信電力になるように設定された種々の電力制御パラメータセット（第２の電力制御パラメータセット）が端末１０２に対して設定される。基地局１０１は、ＲＲＣ信号またはＤＣＩフォーマット（ＰＤＣＣＨ）に第１と第２の電力制御パラメータセットの切り替えを示す情報を含めて端末１０２へ通知する。端末１０２はその情報に基づいて種々の上りリンク物理チャネルに関してそれぞれ上りリンク送信電力を計算し、上りリンク物理チャネル（上りリンク信号）を送信する。なお、これらの電力制御パラメータセットに含まれる種々のパラメータの値は、測定報告の結果やＳＲＳによるチャネル測定結果、端末１０２の電力余力値を通知するパワーヘッドルームレポート（ＰＨＲ：Power Headroom Reporting）に含まれる測定結果などを考慮して基地局１０１によって設定される。
【０２３６】
例えば、各上りリンク物理チャネルには、上りリンク電力制御に関するパラメータセットの切り替えを指示する情報が設定されてもよい。また、その切り替えを指示する情報は、ＲＲＣ信号で端末１０２毎に通知されてもよい。また、その切り替えを指示する情報は、ＤＣＩフォーマットに含まれてもよい。
【０２３７】
ＤＣＩフォーマットに２つの上りリンク電力制御に関するパラメータセットの切り替えを指示する情報（情報ビット）を含んでもよい。例えば、切り替えを指示する情報が第１の値（例えば、‘０’）である場合には、端末１０２は、第１の上りリンク制御に関するパラメータの設定に基づいて上りリンク送信電力を計算し、切り替えを指示する情報が第２の値（例えば、‘１’）である場合には、端末１０２は、第２の上りリンク制御に関するパラメータの設定に基づいて上りリンク送信電力を設定する。
【０２３８】
その切り替えを指示する情報は、ＤＣＩフォーマットに含まれる制御情報と関連付けられてもよい。例えば、ＵＬ  ＤＭＲＳのサイクリックシフトインデックスの値と切り替えを指示する情報が関連付けられてもよい。
【０２３９】
また、その切り替えを指示する情報は、ＤＣＩフォーマットに含まれる少なくとも１つの制御情報が所定の値である場合に、ＤＣＩフォーマットに切り替えを指示する情報が含まれていると端末１０２が認識するコードポイントで示されてもよい。例えば、端末１０２は、基地局１０１またはＲＲＨ１０３から送信されたＤＣＩフォーマットに含まれている第１の制御情報に所定の情報（値）が設定されている場合、そのＤＣＩフォーマットに含まれている情報を読み替えることができる。この時、端末１０２と基地局１０１（またはＲＲＨ１０３）から構成される通信システムにおいては、第１の制御情報に設定されている所定の情報を所定のコードポイントとして定義することができる。ここで、第１の制御情報が仮想リソースブロックの集中配置／分散配置識別情報とリソースブロック割り当て情報とで構成される場合の所定のコードポイントとは、仮想リソースブロックの集中配置／分散配置識別情報が１ビットで示され、リソースブロック割り当て情報が５ビットで示される場合、その１ビットが‘０’を示し、その５ビットがすべて‘１’を示した場合のことである。端末１０２は、このコードポイントを検出した場合にのみ、ＤＣＩフォーマットにその切り替えを指示する情報が含まれていることを認識することができる。つまり、所定のコードポイントは、１つの制御情報の所定の情報だけで構成しなくてもよい。すなわち、複数の制御情報がそれぞれ所定の情報である時にだけ、端末１０２は所定のコードポイントとみなし、ＤＣＩフォーマットにその切り替えを指示する情報が含まれていると認識する。例えば、仮想リソースブロックの集中／分散配置を識別する情報とリソースブロック配置情報がそれぞれ所定の情報で示された場合、その切り替えを指示する情報がＤＣＩフォーマットに含まれていると認識する。それ以外の場合は、端末１０２は、仮想リソースブロックの集中／分散配置を識別する情報とリソースブロック配置情報に基づいてリソース割り当てを行う。例えば、コードポイントを構成する制御情報は、ＵＬ  ＤＭＲＳのサイクリックシフトに関する情報（Cyclic shift for DM RS and OCC index）とＰＵＳＣＨの周波数ホッピングの許可情報の所定の情報から構成されてもよい。また、ＤＣＩフォーマットに含まれる変調符号化方式（ＭＣＳ：Modulation and Coding Scheme）情報、ＨＡＲＱプロセス番号（HARQ process number）情報、ＮＤＩ（New Data Indicator）情報がそれぞれ所定の情報である場合に、端末１０２は、所定のコードポイントと認識し、ＤＣＩフォーマットにその指示情報が含まれていると認識する。コードポイントを検出した場合、端末１０２は、ＤＣＩフォーマットのコードポイントに使用されていない制御情報の一部またはすべてをその切り替えを指示する情報として認識することができる。例えば、その切り替えを指示する情報として認識される制御情報は、仮想リソースブロックの集中配置／分散配置識別情報であってもよい。また、その切り替えを指示する情報として認識される制御情報は、リソースブロック割り当て情報であってもよい。また、その切り替えを指示する情報として認識される制御情報は、ＳＲＳリクエストであってもよい。また、その切り替えを指示する情報として認識��れる制御情報は、ＣＳＩリクエストであってもよい。また、その切り替えを指示する情報として認識される制御情報は、ＵＬ  ＤＭＲＳのサイクリックシフトに関する情報であってもよい。その切り替えを指示する情報として認識される制御情報は、上述した制御情報を複数用いて表されてもよい。
【０２４０】
例えば、ＰＵＳＣＨでは、複数のＰＯ＿ＮＯＭＩＮＡＬ＿ＰＵＳＣＨやＰＯ＿ＵＥ＿ＰＵＳＣＨが設定される。ＰＵＣＣＨでは、複数のＰＯ＿ＮＯＭＩＮＡＬ＿ＰＵＣＣＨやＰＯ＿ＵＥ＿ＰＵＣＣＨが設定される。また、種々の電力制御パラメータ毎に複数設定されてもよい。また、パラメータセット毎に複数設定されてもよい。また、ＳＲＳには、複数のＳＲＳ電力オフセットが設定されてもよい。ＰＲＡＣＨには、複数のランダムアクセスプリアンブルの初期受信電力やパワーランピングステップが設定されてもよい。端末１０２は、これらのパラメータを基に上りリンク物理チャネルの送信電力を設定する。つまり、少なくとも一部の上りリンク物理チャネルに対しては、複数の上りリンク電力制御に関するパラメータが設定されてもよい。つまり、一部の上りリンク物理チャネルに対しては、上りリンク電力制御に関する第１および第２のパラメータが設定されてもよい。これらの電力制御に関するパラメータの設定情報をその切り替えを指示する情報によってダイナミックに制御されてもよい。
【０２４１】
種々の上りリンク物理チャネルにはそれぞれ１つの上りリンク電力制御に関するパラメータが設定される。この上りリンク電力制御に関するパラメータとは、上述したセル固有または端末固有に設定される上りリンク電力制御に関するパラメータの設定のうち、少なくとも一つの電力制御パラメータを含んでもよい。例えば、ＰＯ＿ＮＯＭＩＮＡＬ＿ＰＵＳＣＨやＰＯ＿ＵＥ＿ＰＵＳＣＨが設定されてもよい。また、ＰＯ＿ＮＯＭＩＮＡＬ＿ＰＵＣＣＨやＰＯ＿ＵＥ＿ＰＵＣＣＨが設定されてもよい。また、ＳＲＳ電力オフセットが設定されてもよい。また、ランダムアクセスプリアンブルの初期受信電力やパワーランピングステップが設定されてもよい。また、フィルタ係数や伝送路損失補償係数αであってもよい。
【０２４２】
また、基地局１０１は、端末１０２毎に送信する下りリンク参照信号の送信電力を設定することができる。基地局１０１は、端末固有ＰＤＳＣＨ設定（PDSCH-ConfigDedicated）に第２の参照信号電力（referenceSignalPower2）を設定し、その設定情報を端末１０２へ通知してもよい。例えば、第２の参照信号電力は、ＤＬ  ＤＭＲＳやＣＳＩ−ＲＳの送信電力として設定されてもよい。また、第２の参照信号電力だけでなく、下りリンクアンテナポートに係る参照信号電力を設定してもよい。また、パスロス参照リソース毎に参照信号電力が設定されてもよい。また、アンテナポートに関連付けられた情報と参照信号電力が関連付けられてもよい。
【０２４３】
また、基地局１０１は、端末１０２毎に種々の下りリンク参照信号または下りリンクアンテナポートと関連付けられた下りリンク参照信号の送信電力を設定してもよい。
【０２４４】
また、基地局１０１は、各上りリンク物理チャネルのセル固有のパラメータ設定にパスロス参照リソースを追加してもよい。
【０２４５】
また、基地局１０１は、各上りリンク物理チャネルの端末固有のパラメータ設定にパスロス参照リソースを追加してもよい。
【０２４６】
複数のパスロス参照リソースと複数の上りリンク電力制御に関するパラメータの設定が関連付けられてもよい。例えば、ＰＵＳＣＨのパスロス参照リソースがＣＲＳアンテナポート０に設定されていた場合、端末１０２は、第１の上りリンク電力制御に関するパラメータの設定に基づいてＰＵＳＣＨの送信電力を計算してもよい。また、ＰＵＳＣＨのパスロス参照リソースがＣＳＩ−ＲＳアンテナポート１５に設定されていた場合、端末１０２は、第２の上りリンク電力制御に関するパラメータの設定に基づいてＰＵＳＣＨの送信電力を計算してもよい。
【０２４７】
また、一部の上りリンク物理チャネルに関しては、複数のパスロス参照リソースが設定されてもよい。例えば、第１のパスロス参照リソースと第２のパスロス参照リソースは異なるアンテナポートに関連付けられた情報が含まれる。また、第１のパスロス参照リソースと第２のパスロス参照リソースは異なる下りリンク参照信号が設定される。一例として、第１のパスロス参照リソースはＣＲＳ、第２のパスロス参照リソースはＣＳＩ−ＲＳであってもよい。また、別の例としては、第１のパスロス参照リソースはアンテナポート１５に設定されたリソース、第１のパスロス参照リソースはアンテナポート２２に設定されたリソースであってもよい。第１および第２のパスロス参照リソースは、アンテナポートに関連付けられた情報のうちの一つであればよい。
【０２４８】
種々の上りリンク物理チャネルに対してそれぞれ上りリンク電力制御に関するパラメータの設定が設定されてもよく、例えば、ＰＵＳＣＨには第１の上りリンク電力制御に関するパラメータの設定、ＰＵＣＣＨには第２の上りリンク電力制御に関するパラメータの設定、ＰＲＡＣＨには第３の上りリンク電力制御に関するパラメータの設定、Ｐ−ＳＲＳには第４の上りリンク電力制御に関するパラメータの設定、Ａ−ＳＲＳには第５の上りリンク電力制御に関するパラメータの設定が設定されてもよい。第１から第５の上りリンク電力制御に関するパラメータの設定に設定される電力制御パラメータは必ずしも一致していなくてもよい。例えば、第１から第３の上りリンク電力制御に関するパラメータの設定は端末固有の設定にセットされているようなパラメータだけが含まれてもよい。また、第４および第５の上りリンク電力制御に関するパラメータの設定にはセル固有および端末固有の設定にセットされているようなパラメータが含まれてもよい。また、第１から第５の上りリンク電力制御に関するパラメータの設定にはそれぞれセル固有および端末固有の設定が含まれてもよいが、種々の電力制御パラメータの値は必ずしも一致していなくてもよい。つまり、種々の電力制御パラメータの値は同じ値が設定されていなくてもよい。つまり、異なる値が設定された電力制御に関するパラメータがそれぞれ第１および第２の電力制御に関するパラメータとして構成されてもよい。
【０２４９】
また、種々の上りリンク物理チャネルに対して１つの上りリンク電力制御に関するパラメータの設定が設定されてもよい。つまり、種々の上りリンク物理チャネルに対して同じ電力制御パラメータのセットが設定されてもよいが、上りリンク物理チャネル毎に電力制御パラメータに含まれる値は決定される。
【０２５０】
また、少なくとも一部の上りリンク物理チャネルには複数の上りリンク電力制御に関するパラメータの設定が設定されてもよい。例えば、Ａ−ＳＲＳの送信要求を示すＳＲＳリクエストと関連付けられたＳＲＳパラメータセットにそれぞれ上りリンク電力制御に関するパラメータの設定が含まれてもよい。つまり、ＳＲＳパラメータセットが４つ設定された場合、４つの上りリンク電力制御に関するパラメータの設定が設定される。また、ＰＲＡＣＨにおいても複数の上りリンク電力制御に関するパラメータの設定が設定されてもよい。また、ＰＵＳＣＨにおいても複数の上りリンク電力制御に関するパラメータの設定がセットされてもよい。
【０２５１】
また、少なくとも一部の上りリンク物理チャネルに第１および第２の上りリンク電力制御に関するパラメータ（または電力制御パラメータセット）が設定された場合、第１および第２の上りリンク電力制御に関するパラメータは異なるパラメータが設定される。また、第１および第２の上りリンク電力制御に関するパラメータはそれぞれ異なる値が設定される。また、第１および第２の上りリンク電力制御に関するパラメータセットに含まれる種々のパラメータは、必ずしも同じパラメータが設定されなくてもよい。一例として、第１の上りリンク電力制御に関するパラメータセットに含まれる種々のパラメータはＳＲＳ電力オフセットのみで、第２の上りリンク電力制御に関するパラメータセットに含まれる種々のパラメータはＳＲＳ電力オフセットと標準ＰＵＳＣＨ電力が設定されてもよい。また、別の例では、第１の上りリンク電力制御に関するパラメータセットに含まれる種々のパラメータは、セル固有の上りリンク電力制御に関するパラメータの設定に含まれる種々のパラメータ、第２の上りリンク電力制御に関するパラメータセットに含まれる種々のパラメータは、端末固有の上りリンク電力制御に関するパラメータの設定に含まれる種々のパラメータであってもよい。また、別の例では、第１および第２の上りリンク電力制御に関するパラメータセットに含まれる種々のパラメータは、セル固有および端末固有上りリンク電力制御に関するパラメータの設定に含まれる種々のパラメータが設定されてもよい。つまり、上りリンク電力制御に関するパラメータセットには図１０に示したパラメータが少なくとも一つが含まれていればよい。また、上りリンク電力制御に関するパラメータセットにはパスロス参照リソースのみが含まれているだけでもよい。第１および第２の上りリンク電力制御に関するパラメータセットに含まれる種々のパラメータは、種々の上りリンク物理チャネルの系列を生成するために使用されるパラメータ（セルＩＤ）が含まれていてもよい。例えば、上述のパラメータはＳＲＳ（Ａ−ＳＲＳ、Ｐ−ＳＲＳ）の基準系列を生成するために使用されるセルＩＤであってもよい。上述のパラメータはＰＵＳＣＨ  ＤＭＲＳの基準系列を生成するために使用されるセルＩＤであってもよい。上述のパラメータはＰＵＣＣＨ  ＤＭＲＳの基準系列を生成するために使用されるセルＩＤであってもよい。上述のパラメータはＰＵＳＣＨの系列を生成するために使用されるセルＩＤであってもよい。上述のパラメータはＰＵＣＣの系列を生成するために使用されるセルＩＤであってもよい。
【０２５２】
種々の上りリンク物理チャネルに対してそれぞれ上りリンク電力制御に関するパラメータの設定またはパスロス参照リソースが設定されると、端末１０２は、その設定に基づいて各上りリンク物理チャネルの送信電力を計算することができる。Ｐ−ＳＲＳやＡ−ＳＲＳを参照ポイントの切り替えを行うためのバックホール用、フォールバック用または事前調査用のチャネル測定に使用することができる。基地局１０１は、ＳＲＳによるチャネル測定結果から端末１０２に対して常に適切な参照ポイントで通信を行うように制御することができる。
【０２５３】
基地局１０１は、上りリンク物理チャネル毎に上りリンク電力制御に関するパラメータの設定を設定することで、種々の上りリンク物理チャネルの上りリンク送信電力制御を参照ポイント（上りリンク受信点）毎に適切に行うことができる。例えば、端末１０２がパスロスの小さい参照ポイントと通信を行うことができれば、ＰＵＳＣＨやＰＵＣＣＨに割り当てることのできる送信電力も高くなるため、１６ＱＡＭや６４ＱＡＭなどの高変調度の変調方式を適用して上りリンク通信を行うことができるのでスループットが向上する。
【０２５４】
（第８の実施形態）
次に、第８の実施形態について説明する。第８の実施形態では、基地局１０１またはＲＲＨ１０３は、１つのセルに対して複数の送信電力制御パラメータセットを含む無線リソース制御信号を端末１０２へ送信し、複数の系列パラメータセットを含む無線リソース制御信号を端末１０２へ送信し、複数の系列パラメータセットのうち、何れか１つを指示するフィールドを含む下りリンク制御情報（ＤＣＩ）フォーマットを端末１０２へ送信する。端末１０２は、複数の系列パラメータセットのうち、第１の系列パラメータセットを指示する情報ビットを検出した場合には、第１の送信電力制御パラメータセットに基づいて信号の送信電力をセットし、複数の系列パラメータセットのうち、第２の系列パラメータセットを指示する情報ビットを検出した場合には、第２の送信電力制御パラメータセットに基づいて信号の送信電力をセットする。
【０２５５】
端末１０２は、基地局１０１またはＲＲＨ１０３へ信号を送信する場合、異なる系列を用いて信号を生成する。その時、端末１０２は、その系列に合わせて、送信電力を制御し、信号を基地局１０１またはＲＲＨ１０３へ送信する。端末１０２は、基地局１０１またはＲＲＨ１０３に対して適切な系列および適切な送信電力で信号を送信することができる。基地局１０１またはＲＲＨ１０３においては、適切な送信電力制御が行われた信号が端末１０２から送信されるため、他の端末から送信された信号の干渉による影響を最小限に抑えることができる。
【０２５６】
系列パラメータセットには、端末固有のセルＩＤが含まれてもよい。また、系列パラメータセットには、系列シフトパターンオフセットが含まれてもよい。また、系列パラメータセットには、サイクリックシフトホッピングの初期値が含まれてもよい。また、系列パラメータセットは複数セットされ、システム情報やＲＲＣ信号で端末１０２に通知されてもよい。
【０２５７】
送信電力制御パラメータセットには、種々の端末固有上りリンク物理チャネルの電力値が含まれてもよい。また、送信電力制御パラメータセットには、ＳＲＳの電力オフセットが含まれてもよい。また、送信電力制御パラメータセットには、伝送路損失補償係数αが含まれてもよい。また、送信電力制御パラメータセットには、フィルタ係数が含まれてもよい。また、送信電力制御パラメータセットには、下りリンク参照信号の送信電力値（referenceSignalPower）が含まれてもよい。また、送信電力制御パラメータセットには、パスロス参照リソースが含まれてもよい。また、送信電力制御パラメータセットは複数セットされ、システム情報やＲＲＣ信号で端末１０２に通知されてもよい。
【０２５８】
系列パラメータセットと送信電力制御パラメータセットは対応付けられてもよい。すなわち、第１の系列パラメータセットを用いて信号の系列を生成する場合には、第１の送信電力制御パラメータセットを用いてその信号の送信電力制御を行なう。また、第２の系列パラメータセットを用いて信号の系列を生成する場合には、第２の送信電力制御パラメータセットを用いてその信号の送信電力制御を行なう。また、第３の系列パラメータセットを用いて信号の系列を生成する場合には、第３の送信電力制御パラメータセットを用いてその信号の送信電力制御を行なう。
【０２５９】
また、その対応付けは予め設定されてもよい。すなわち、第１の系列パラメータセットまたは第２の系列パラメータセットを用いて信号の系列を生成する場合には、第１の送信電力制御パラメータセットを用いてその信号の送信電力制御を行なってもよい。また、第３の系列パラメータセットまたは第４の系列パラメータセットを用いて信号の系列を生成する場合には、第２の送信電力制御パラメータセットを用いてその信号の送信電力制御を行なってもよい。また、第５の系列パラメータセットまたは第６の系列パラメータセットを用いて信号の系列を生成する場合には、第３の送信電力制御パラメータセットを用いてその信号の送信電力制御を行なってもよい。ここでは、２つの系列パラメータセットと１つの送信電力制御パラメータセットの対応付けについて説明したが、３つの系列パラメータセットと１つの送信電力制御パラメータセットと対応付けられてもよく、また、３つ以上の系列パラメータセットと１つの送信電力制御パラメータセットが対応付けられてもよい。それらの対応付けに関する情報は、システム情報やＲＲＣ信号で端末１０２に通知されてもよい。
【０２６０】
（第９の実施形態）
次に、第９の実施形態について説明する。第９の実施形態では、基地局１０１またはＲＲＨ１０３は、複数の送信電力制御パラメータセットを含む無線リソース制御（ＲＲＣ）信号を端末１０２へ送信し、複数の系列パラメータセットを含むＲＲＣ信号を端末１０２へ送信し、下りリンク制御情報（ＤＣＩ）フォーマットを共通検索領域（ＣＳＳ）または端末固有検索領域（ＵＳＳ）の何れかにセットし、端末１０２へ送信する。端末１０２は、ＤＣＩフォーマットをＵＳＳで検出し、複数の系列パラメータセットのうち、いずれか一つを指示するフィールドを含むＤＣＩフォーマットを検出し、そのフィールドに第１の値の情報ビットがセットされている場合には、第１の送信電力制御パラメータセットに基づいて信号の送信電力をセットし、そのフィールドに第２の値の情報ビットがセットされている場合には、第２の送信電力制御パラメータセットに基づいて信号の送信電力をセットする。さらに、端末１０２は、ＣＳＳでＤＣＩフォーマットを検出した場合には、第２の送信電力制御パラメータセットに基づいて信号の送信電力をセットする。
【０２６１】
また、端末１０２は、ＣＳＳでＤＣＩフォーマットを検出した場合には、第１の送信電力制御パラメータセットに基づいて信号の送信電力をセットし、ＵＳＳでＤＣＩフォーマットを検出した場合には、ＤＣＩフォーマットに含まれる系列パラメータセットを指示するフィールドに設定された値に因らず、第２の送信電力制御パラメータセットに基づいて信号の送信電力をセットしてもよい。
【０２６２】
端末１０２は、ＤＣＩフォーマットがセットされた検索領域またはＤＣＩフォーマットに含まれる特定のフィールドの値によって、送信電力制御パラメータセットを切り替えることができ、適切な送信電力をセットすることができる。つまり、端末１０２は、通知された情報に応じて、適切な送信電力制御を行なうことができる。
【０２６３】
（第１０の実施形態）
次に、第１０の実施形態について説明する。第１０の実施形態では、基地局１０１またはＲＲＨ１０３は、下りリンク制御情報（ＤＣＩ：Downlink Control Information）フォーマットにサウンディング参照信号（ＳＲＳ：Sounding Refernce Signal）に対する送信電力制御（ＴＰＣ：Transmission Power Control）コマンドをセットする。また、基地局１０１またはＲＲＨ１０３は、ＳＲＳの送信要求を行なうか否かを指示するフィールド（ＳＲＳリクエスト）を含むＤＣＩフォーマットをある特定の制御チャネル領域（ＰＤＣＣＨまたはＥ−ＰＤＣＣＨ）で端末１０２へ送信する。その際、基地局１０１またはＲＲＨ１０３は、特定の制御チャネルに対して特定のパラメータでスクランブリングする。さらに、その復調参照信号（ＤＬ  ＤＭＲＳ）の擬似ランダム系列は、特定のパラメータで初期化する。端末１０２は、第１のＤＣＩフォーマットにおいて、ＳＲＳに対するＴＰＣコマンドを検出した場合、第１の送信電力制御に基づいて電力補正の積算処理（第１の積算処理）を行ない、第２のＤＣＩフォーマットにおいて、ＳＲＳに対するＴＰＣコマンドを検出した場合、第２の送信電力制御に基づいて電力補正の積算処理（第２の積算処理）を行なう。つまり、端末１０２は、第１のＤＣＩフォーマットにおいて、ＳＲＳに対するＴＰＣコマンドを検出すると、第１の電力補正に基づいてＳＲＳの送信電力を制御し、第２のＤＣＩフォーマットにおいて、ＳＲＳに対するＴＰＣコマンドを検出すると、第２の電力補正に基づいてＳＲＳの送信電力を制御する。つまり、端末１０２は、第１のＴＰＣコマンドに基づいてＳＲＳの電力補正を行ない、第２のＴＰＣコマンドに基づいてＳＲＳの電力補正を行なう。さらに、ＳＲＳリクエストを検出したＤＣＩフォーマットの種類に応じて、どのＴＰＣコマンドに基づいて電力補正されるかを切り替えることができる。
【０２６４】
さらに、端末１０２は、第１のＴＰＣコマンドによる電力補正の積算処理（アキュムレート送信電力制御、アキュムレーション、加算処理）と第２のＴＰＣコマンドによる電力補正の積算処理をパラレルに行うことができる。つまり、各積算処理は、互いにＴＰＣコマンドによる電力補正の影響を受けない。
【０２６５】
第１のＴＰＣコマンドによる電力補正の積算値をｆｃ，ｔｐｃ１（ｉ１）とし、第２のＴＰＣコマンドによる電力補正の積算値をｆｃ，ｔｐｃ２（ｉ２）とする。第１のＴＰＣコマンドから得られる電力補正値をδｔｐｃ１とし、第２のＴＰＣコマンドから得られる電力補正値をδｔｐｃ２とする。それぞれのＴＰＣコマンドから得られる積算値は、数式（４０）のようになる。
【数４０】
2013236289.tif 000042
・・・（４０）
ｆｃ（ｉ）＝ｆｃ，ｔｐｃ１またはｆｃ（ｉ）＝ｆｃ，ｔｐｃ２として上記送信電力にセットされてもよい。また、第１のＴＰＣコマンドと第２のＴＰＣコマンドを通知するタイミングは異なってもよい。つまり、第１のＴＰＣコマンドによる電力補正と第２のＴＰＣコマンドによる電力補正の積算処理は独立に制御される。
【０２６６】
図１８は、本発明の第１０の実施形態に係る電力補正に関するフローチャートである。端末１０２は、ＰＤＣＣＨまたはＥ−ＰＤＣＣＨで送信されたＤＣＩフォーマットにおいて、ＳＲＳに対するＴＰＣコマンドを含むＤＣＩフォーマットの種類を判定する（ステップＳ１８０１）。ＳＲＳに対するＴＰＣコマンドが上りリンクグラントに含まれている場合、第１のＴＰＣコマンドに基づいてＳＲＳの送信電力の電力補正を行なう（Ｓ１８０２）。ＳＲＳに対するＴＰＣコマンドが下りリンクアサインメントに含まれている場合、第２のＴＰＣコマンドに基づいてＳＲＳの送信電力の電力補正を行なう（Ｓ１８０３）。
【０２６７】
（第１１の実施形態）
次に、本発明の第１１の実施形態について説明する。第１１の実施形態では、基地局１０１および／またはＲＲＨ１０３は、下りリンク制御情報（ＤＣＩ：Downlink Control Information）フォーマットにサウンディング参照信号（ＳＲＳ：Sounding Reference Signal）の送信電力制御（ＴＰＣ：Transmission Power Control）コマンドが追加されるか否かを指示する情報を含む無線リソース制御（ＲＲＣ：Radio Resource Control）信号を端末１０２へ送信する。また、基地局１０１および／またはＲＲＨ１０３は、ＳＲＳの送信要求を行なうか否かを指示するフィールド（ＳＲＳリクエスト）を含むＤＣＩフォーマットをある特定の制御チャネル領域（ＰＤＣＣＨまたはＥ−ＰＤＣＣＨ）で端末１０２へ送信する。
【０２６８】
端末１０２は、受信したＤＣＩフォーマットにおいて、ＳＲＳのＴＰＣコマンドを検出した場合には、ＳＲＳの送信電力制御（電力補正）をＳＲＳのＴＰＣコマンドに基づいて行い、受信したＤＣＩフォーマットにおいて、ＳＲＳのＴＰＣコマンドを検出しなかった場合には、ＳＲＳの送信電力制御をＰＵＳＣＨのＴＰＣコマンドに基づいて行う。
【０２６９】
端末１０２は、ポジティブＳＲＳリクエストを検出したＤＣＩフォーマットにＳＲＳのＴＰＣコマンドが含まれている場合には、そのＳＲＳの送信電力制御をＳＲＳのＴＰＣコマンドに基づいて行い、ポジティブＳＲＳリクエストを検出したＤＣＩフォーマットにＳＲＳのＴＰＣコマンドが含まれておらず、ＰＵＳＣＨのＴＰＣコマンドが検出された場合には、そのＳＲＳの送信電力制御はＰＵＳＣＨのＴＰＣコマンドに基づいて行う。
【０２７０】
端末１０２は、あるＤＣＩフォーマットにＳＲＳのＴＰＣコマンドが追加されるか否かは、ＳＲＳ固有にセットされた送信電力制御に関するパラメータの設定情報が基地局１０１またはＲＲＨ１０３から通知された場合に、ＤＣＩフォーマットにＳＲＳのＴＰＣコマンドが追加されたと認識してもよい。この時、端末１０２は、ＤＣＩフォーマットにＳＲＳのＴＰＣコマンドのためのフィールドが追加されたことを考慮して復調処理を行なう。例えば、ＳＲＳのＴＰＣコマンドと関連付けられたＳＲＳの送信電力制御に対して電力オフセットが追加された場合であってもよい。
【０２７１】
また、端末１０２は、あるＤＣＩフォーマットにＳＲＳのＴＰＣコマンドが追加されるか否かは、上位層から通知されてもよい。つまり、基地局１０１またはＲＲＨ１０３からその追加情報を含むＲＲＣ信号が通知されてもよい。
【０２７２】
基地局１０１またはＲＲＨ１０３は、端末１０２に対してＤＣＩフォーマット０やＤＣＩフォーマット４などの上りリンクグラントで送信要求されるＳＲＳの送信電力制御は、ＰＵＳＣＨのＴＰＣコマンドに基づいて行い、ＤＣＩフォーマット１ＡやＤＣＩフォーマット２Ｂ、ＤＣＩフォーマット２Ｃなどの下りリンクアサインメントで送信要求されるＳＲＳの送信電力制御は、ＳＲＳのＴＰＣコマンドに基づいて行うように制御することができる。
【０２７３】
また、端末１０２は、ＳＲＳの送信電力制御をアキュムレート（accumulated、accumulation、積算、累算、累積、積分、蓄積、アキュムレーション）に行う場合、上りリンクグラントで送信要求されるＳＲＳに対しては、ＰＵＳＣＨのＴＰＣコマンドに基づいて行い、下りリンクアサインメントで送信要求されるＳＲＳに対しては、下りリンクアサインメントに含まれるＳＲＳのＴＰＣコマンドに基づいて行う。つまり、端末１０２は、アキュムレートな送信電力制御をＤＣＩフォーマットの種類に応じて切り替えることができる。基地局１０１およびＲＲＨ１０３は、上りリンクグラントで送信要求されるＳＲＳに対しては上りリンクスケジューリングのチャネル推定に使用することができ、下りリンクアサインメントで送信要求されるＳＲＳに対しては、ＤＬ  ＣｏＭＰや協調受信（ＪＲ：Joint Reception）を行なうために必要な下りリンクのチャネル状況を把握するために使用することができる。
【０２７４】
また、端末１０２は、ＳＲＳのアキュムレート送信電力制御を行なう場合、特定のＤＣＩフォーマットに含まれた特定のＴＰＣコマンドによって得られた積算処理による電力補正の積算値を算出する。つまり、端末１０２は、ＤＣＩフォーマットＡに含まれたＴＰＣコマンドＢによって、ＳＲＳの電力補正を行なう。また、ＴＰＣコマンドＢによる積算値をＳＲＳの送信電力に反映することでより適切な電力制御を行なう。
【０２７５】
端末１０２は、サービングセルｃ、サブフレームｉでＳＲＳを送信する場合に、数式（４１）に基づいて、ＳＲＳの送信電力をセットする。この時、条件Ａは、上りリンクグラントでＳＲＳリクエストを検出した場合であり、条件Ｂは、下りリンクアサインメントでＳＲＳリクエストを検出した場合である。つまり、ＳＲＳリクエストを検出するＤＣＩフォーマットが異なる。
【数４１】
2013236289.tif 000043
・・・（４１）
条件Ｂにおいて、ＰＳＲＳ＿ＯＦＦＳＥＴ，ｃやαｃ、ＰＬｃやｆｃは条件Ａと独立にセットされてもよい。
【０２７６】
端末１０２は、サービングセルｃに対して、ＰＯ＿ＵＥ＿ＰＵＳＣＨ，ｃの値が上位層によって変更（再設定）された場合、または、プライマリーセルまたはセカンダリーセルまたはサービングセルｃに対して、端末１０２がランダムアクセス応答メッセージを受信した場合、アキュムレート送信電力制御によって、与えられた電力補正値ｆＰＵＳＣＨ，ｃまたはｆＳＲＳ，ｃをリセットする。つまり、端末１０２は、ある条件を満たした場合、アキュムレート送信電力制御によって得られた電力補正の積算値をリセットする。また、ＳＲＳに対する電力補正の積算値は、ＳＲＳの電力オフセットＰＳＲＳ_ＯＦＦＳＥＴの値が上位層によって変更された場合に、リセットされてもよい。また、少なくとも１つのＴＰＣコマンドによるＳＲＳに対する電力補正の積算値は、ＳＲＳの電力オフセットＰＳＲＳ_ＯＦＦＳＥＴの値が上位層によって変更された場合に、リセットされてもよい。ＳＲＳの電力オフセットＰＳＲＳ_ＯＦＦＳＥＴとＳＲＳに対する電力補正の積算値ｆＳＲＳ，ｃは、同じＤＣＩフォーマットまたは同じＴＰＣコマンドと関連付けられてもよい。
【０２７７】
図１９は、本発明の第１１の実施形態に係る電力補正による積算値のリセット方法の概略を示したフローチャートである。端末１０２は、上位層によってＰＯ＿ＵＥ＿ＰＵＳＣＨの値が変更されたか否か、またはランダムアクセス応答メッセージ（RAR message）を受信したか否かを確認する（ステップＳ１９０１）。上位層によってＰＯ＿ＵＥ＿ＰＵＳＣＨの値が変更されたかランダムアクセス応答メッセージ（RAR message）を受信した場合（Ｓ１９０１：ＹＥＳ）、端末１０２は、上りリンクグラントに含まれたＳＲＳに対するＴＰＣコマンドによる電力補正の積算値ｆｃ（ｉ）をリセットする（ステップＳ１９０２）。上位層によってＰＯ＿ＵＥ＿ＰＵＳＣＨの値が変更されないまたはランダムアクセス応答メッセージ（RAR message）を受信していない場合（Ｓ１９０１：ＮＯ）、端末１０２は、上位層によってＳＲＳの電力オフセットＰＳＲＳ＿ＯＦＦＳＥＴの値が変更していないか否かを確認する（ステップＳ１９０３）。上位層によってＰＳＲＳ＿ＯＦＦＳＥＴの値が変更された場合（Ｓ１９０３：ＹＥＳ）、端末１０２は、下りリンクアサインメントに含まれたＳＲＳに対するＴＰＣコマンドによる電力補正の積算値ｆｃ（ｉ）をリセットする（ステップＳ１９０４）。上位層によってＰＳＲＳ＿ＯＦＦＳＥＴの値が変更されなかった場合（Ｓ１９０３：ＮＯ）、端末１０２は、引き続きＴＰＣコマンドによる電力補正の積算処理を行なう。
【０２７８】
また、１つのＤＣＩフォーマットに複数のＴＰＣコマンドが含まれているか否かは、上位層からＲＲＣ信号によって通知されてもよい。また、１つのＤＣＩフォーマットに複数のＴＰＣコマンドが含まれているか否かは、特定のパラメータ（例えば、特定のＤＣＩフォーマットに対する電力オフセット）が端末１０２にセットされた場合に、認識されてもよい。
【０２７９】
（第１２の実施形態）
次に、第１２の実施形態について説明する。第１２の実施形態では、基地局１０１および／またはＲＲＨ１０３は、複数のＤＣＩフォーマットに対してＳＲＳのＴＰＣコマンドが追加されるか否かを指示する情報を含むＲＲＣ信号を端末１０２へ送信する。端末１０２は、複数のＤＣＩフォーマットに対してＳＲＳのＴＰＣコマンドが追加されたことが指示された場合、ＤＣＩフォーマットにＳＲＳのＴＰＣコマンドのためのフィールドが含まれていると認識し、復調・復号処理を行なう。
【０２８０】
端末１０２は、受信した第１のＤＣＩフォーマットにおいて、ＳＲＳに対するＴＰＣコマンド（第１のＳＲＳＴＰＣコマンド）を検出し、第１のＤＣＩフォーマットにおいて、ＳＲＳリクエストがＳＲＳの送信要求を指示している、ポジティブＳＲＳリクエストを検出した場合には、第１のＤＣＩフォーマットで送信要求されたＳＲＳの送信電力制御を第１のＳＲＳＴＰＣコマンドに基づいて行い、受信した第２のＤＣＩフォーマットにおいて、ＳＲＳに対するＴＰＣコマンド（第２のＳＲＳＴＰＣコマンド）を検出し、ポジティブＳＲＳリクエストを検出した場合には、第２のＤＣＩフォーマットで送信要求されたＳＲＳの送信電力制御を第２のＳＲＳＴＰＣコマンドに基づいて行う。
【０２８１】
端末１０２は、ＳＲＳの送信電力制御をアキュムレートに行う場合、ＤＣＩフォーマットによって送信要求されるＳＲＳ毎に行うことができる。つまり、端末１０２は、第１のＤＣＩフォーマットで送信要求されたＳＲＳの送信電力制御を第１のＤＣＩフォーマットに含まれたＳＲＳのＴＰＣコマンドで行うことができる。また、端末１０２は、第２のＤＣＩフォーマットで送信要求されたＳＲＳの送信電力制御を第２のＤＣＩフォーマットに含まれたＳＲＳのＴＰＣコマンドで行うことができる。端末１０２は、ＳＲＳの送信電力制御をＤＣＩフォーマット毎に行うことができる。端末１０２は、第１のＤＣＩフォーマットで送信要求されたＳＲＳを基地局１０１へ送信するための送信電力制御を適切に行なうことができる。また、端末１０２は、第２のＤＣＩフォーマットで送信要求されたＳＲＳをＲＲＨ１０３へ送信するための送信電力制御を適切に行なうことができる。
【０２８２】
また、端末１０２は、ＳＲＳの送信電力制御をアブソリュート（absolute）に行うことができる。ＳＲＳの送信電力制御をアキュムレートに行なうかアブソリュートに行うかは上位層処理部４０１から通知される情報（例えば、Accumulation-enabled）によって決定される。つまり、基地局１０１および／またはＲＲＨ１０３から通知される制御情報によってＳＲＳの送信電力制御の種類（アキュムレートまたはアブソリュート）は決定される。また、ＳＲＳの送信電力制御をアキュムレートに行なうかアブソリュートに行うかを指示する情報は、ＰＵＳＣＨのアキュムレートを行なうか否かを指示する情報と関連付けられてもよい。
【０２８３】
ここで、第１のＤＣＩフォーマットと第２のＤＣＩフォーマットについて例を挙げて説明したが、第３のＤＣＩフォーマットについても同様の処理を行なうことができる。また、第４のＤＣＩフォーマットについても同様の処理を行なうことができる。また、任意のＤＣＩフォーマットについても同様の処理を行なうことができる。
【０２８４】
また、これらの複数のＤＣＩフォーマットが同じ種類である場合、ＴＰＣコマンドによる送信電力制御は共有してもよい。つまり、第１のＤＣＩフォーマットと第３のＤＣＩフォーマットが下りリンクアサインメントである場合、これらのＤＣＩフォーマットで送信要求されるＳＲＳの送信電力制御は、これらのＤＣＩフォーマットに含まれるＳＲＳのＴＰＣコマンドに基づいて行われてもよい。また、第２のＤＣＩフォーマットと第４のＤＣＩフォーマットが上りリンクグラントである場合、これらのＤＣＩフォーマットで送信要求されるＳＲＳの送信電力制御は、これらのＤＣＩフォーマットに含まれるＳＲＳのＴＰＣコマンドに基づいて行われてもよい。つまり、第１のＤＣＩフォーマットまたは第３のＤＣＩフォーマットで送信要求されたＳＲＳの送信電力制御は、第１のＤＣＩフォーマットと第３のＤＣＩフォーマットに含まれるＳＲＳのＴＰＣコマンドに基づいて行われる。また、第２のＤＣＩフォーマットまたは第４のＤＣＩフォーマットで送信要求されたＳＲＳの送信電力制御は、第２のＤＣＩフォーマットと第４のＤＣＩフォーマットに含まれるＳＲＳのＴＰＣコマンドに基づいて行われる。つまり、ＳＲＳの送信電力制御をアキュムレートに行う場合、ＤＣＩフォーマットの種類に応じて、それらの制御を分離することができる。ＤＣＩフォーマットの種類に応じて、異なる閉ループの送信電力制御を行なうことができる。つまり、端末１０２は、特定のＤＣＩフォーマットに応じて、特定のアキュムレート送信電力制御を行なうことができる。また、端末１０２は、ＳＲＳに対して、複数のアキュムレート送信電力制御を独立に行うことができる。
【０２８５】
（第１３の実施形態）
次に、第１３の実施形態について説明する。第１３の実施形態では、基地局１０１および／またはＲＲＨ１０３は、ＳＲＳの基準系列に関するパラメータの情報を含むＲＲＣ信号を端末１０２へ送信する。端末１０２は、ＳＲＳリクエストが含まれるＤＣＩフォーマットと関連付けられたＳＲＳのパラメータセットにセットされたＳＲＳの基準系列に関するパラメータが同じ場合には、それぞれのＤＣＩフォーマットに含まれるＳＲＳのＴＰＣコマンドに基づいてそれらのＳＲＳの送信電力制御は行う。また、端末１０２は、ＳＲＳのパラメータセットにセットされたＳＲＳの基準系列に関するパラメータが異なる場合、それぞれのＤＣＩフォーマットで送信要求が指示されたＳＲＳの送信電力制御は、それぞれのＤＣＩフォーマットに含まれるＳＲＳに対するＴＰＣコマンドに基づいて行う。
【０２８６】
ＳＲＳパラメータセットにセットされたＳＲＳの基準系列に関するパラメータが複数のＳＲＳパラメータセット間で同じ場合、ＳＲＳの送信電力制御は、ＰＵＳＣＨのＴＰＣコマンドかＳＲＳのＴＰＣコマンドの何れかに従ってもよい。また、ＳＲＳパラメータセットにセットされたＳＲＳの基準系列に関するパラメータが複数のＳＲＳパラメータセット間で異なる場合、ＳＲＳの送信電力制御は、ＳＲＳパラメータセット間で独立に行ってもよい。つまり、ＳＲＳパラメータセットに応じて異なるＴＰＣコマンドに基づいて制御されてもよい。また、ＳＲＳの送信電力制御は、ＳＲＳパラメータセットにセットされた基準系列に関するパラメータに応じて制御されてもよい。
【０２８７】
端末１０２は、基準系列に関するパラメータによって、ＳＲＳリクエストによって送信要求されたＳＲＳが上りリンクスケジューリングのために使用されるのか、ＤＬ  ＣｏＭＰやＴＤＤのチャネル相反性のために使用されるかをインプリシットに判断することができる。
【０２８８】
ここで、基準系列に関するパラメータが同じとは、上位層によって通知されるパラメータが同じ場合を含む。また、基準系列に関するパラメータが同じとは、上位層によって通知されるパラメータに基づいて生成した結果が同じ場合を含む。つまり、上位層によって通知されたパラメータから得られた基準系列が同じ場合を含む。
【０２８９】
（第１４の実施形態）
次に、第１４の実施形態について説明する。第１４の実施形態では、基地局１０１またはＲＲＨ１０３は、基準系列生成のための複数のパラメータ、複数のホッピング帯域幅、複数の送信電力パラメータセットを含む無線リソース制御（ＲＲＣ）信号を端末１０２へ送信する。また、基地局１０１またはＲＲＨ１０３は、複数のＳＲＳパラメータセットを含むＲＲＣ信号を端末１０２へ送信する。基地局１０１またはＲＲＨ１０３は、ＳＲＳの送信を要求するか否かを指示するフィールド（ＳＲＳリクエスト）を含むＤＣＩフォーマットを端末１０２へ送信する。端末１０２は、ＤＣＩフォーマットからＳＲＳリクエストを検出する。また、端末１０２は、第１のＤＣＩフォーマット（例えば、ＤＣＩフォーマット０／４）において、ポジティブＳＲＳリクエストを検出した場合、このポジティブＳＲＳリクエストに対応するＳＲＳの基準系列を第１のパラメータに基づいて生成し、第２のＤＣＩフォーマットにおいてポジティブＳＲＳリクエストを検出した場合、このポジティブＳＲＳリクエストに対応するＳＲＳの基準系列を第２のパラメータに基づいて生成する。
【０２９０】
さらに、端末１０２は、第１のＤＣＩフォーマットにおいて、ポジティブＳＲＳリクエストを検出した場合、第１のホッピング帯域幅に基づいてこのポジティブＳＲＳリクエストに対応するＳＲＳの周波数ホッピングパターンを決定し、第２のＤＣＩフォーマットにおいて、ポジティブＳＲＳを検出した場合、第２のホッピング帯域幅に基づいてこのポジティブＳＲＳリクエストに対応するＳＲＳの周波数ホッピングパターンを決定する。
【０２９１】
さらに、端末１０２は、第１のＤＣＩフォーマットにおいて、ポジティブＳＲＳリクエストを検出した場合、このポジティブＳＲＳリクエストに対応するＳＲＳの送信電力を第１の送信電力制御に基づいてセットし、第２のＤＣＩフォーマットにおいて、ポジティブＳＲＳリクエストを検出した場合、このポジティブＳＲＳリクエストに対応するＳＲＳの送信電力を第２の送信電力制御に基づいてセットする。
【０２９２】
端末１０２は、ポジティブＳＲＳリクエストに従って、所定のサブフレーム以上後の最初のＳＲＳサブフレームにおいて、生成した基準系列のＳＲＳを基地局１０１またはＲＲＨ１０３へ送信する。
【０２９３】
Ｐ−ＳＲＳのホッピング帯域幅と第１のホッピング帯域幅または第２のホッピング帯域幅は、共有されてもよい。
【０２９４】
第１の送信電力制御は、第１のＤＣＩフォーマットに含まれたＴＰＣコマンドに基づいて行われてもよい。また、第２の送信電力制御は、第２のＤＣＩフォーマットに含まれたＴＰＣコマンドに基づいて行われてもよい。
【０２９５】
複数の端末に対して、異なる基準系列を設定しても、端末間の送信電力制御、つまり、基地局１０１またはＲＲＨ１０３における受信電力制御が適切に行われなかった場合、受信する必要のない端末から送信された上りリンク信号が干渉源となり、適切に復調処理を行なうことができなくなる。そこで、基地局１０１またはＲＲＨ１０３は、端末１０２に対して適切な送信電力制御を行なう。
【０２９６】
図２０は、本発明の第１４の実施形態に係る通信システムを示す概略図である。通信システムは、基地局２００１、ＲＲＨ２００３、端末２００２、端末２００４から構成される。端末２００２は、基地局２００１とアクセスしており、端末２００４は、ＲＲＨ２００３とアクセスしている。さらに、基地局２００１とＲＲＨ２００３は、協調通信を行なっている。上りリンク２００５と上りリンク２００６は、端末２００２から送信される上りリンク信号を示し、上りリンク２００７と上りリンク２００８は、端末２００４から送信される上りリンク信号を示している。上りリンク２００５と上りリンク２００７で送信された上りリンク信号のリソースが重複していた場合、それぞれの上りリンク信号の基準系列が同じパラメータで生成されていると、基地局２００１では、それらの上りリンク信号が互いに干渉し、適切に受信することができない。同様のことがＲＲＨ２００３においても言える。そこで、端末２００２と端末２００４から送信される上りリンク信号を系列、周波数領域、時間領域、符号領域で分離する必要がある。ここで、基地局２００１またはＲＲＨ２００３は、端末２００２および端末２００４に対して異なる基準系列がセットされるようなパラメータを設定する。そうすることによって、基地局２００１またはＲＲＨ２００３は、端末２００２および端末２００４から送信された上りリンク信号のリソースが重複しても基準系列の違いによって分離することができる。ただし、端末２００２と端末２００４において、適切な送信電力制御が行われていないと、基準系列の違いによって各端末から送信された上りリンク信号を分離することが困難になる。各端末は、基地局２００１およびＲＲＨ２００３に対して上りリンク信号を送信する場合、異なる送信電力制御を行なう必要がある。異なる送信電力制御とは、それぞれの受信ポイントに対してＴＰＣコマンドによる電力補正を独立に行うことである。また、異なる送信電力制御とは、電力オフセットを受信ポイントに対して設定することである。
【０２９７】
図２１は、本発明の第１４の実施形態に係るＳＲＳの送信制御方法を示したフローチャートである。端末１０２は、ＰＤＣＣＨまたはＥ−ＰＤＣＣＨで送信されたＳＲＳリクエストを含むＤＣＩフォーマットの種類を判定する（ステップＳ２１０１）。ＤＣＩフォーマットの種類が上りリンクグラント（例えば、ＤＣＩフォーマット０やＤＣＩフォーマット４）である場合、第１のパラメータを用いてＳＲＳの基準系列を生成する（ステップＳ２１０２）。さらに、第１のセットに基づいて、ＳＲＳのリソース割り当てを行なう（ステップＳ２１０３）。さらに、第１の送信電力制御に基づいてＳＲＳの送信電力をセットする（ステップＳ２１０４）。さらに、第１のホッピング帯域幅に基づいてＳＲＳの周波数ホッピングパターンを決定する（ステップＳ２１０５）。ＤＣＩフォーマットの種類が下りリンクアサインメント（例えば、ＤＣＩフォーマット１ＡやＤＣＩフォーマット２ＢやＤＣＩフォーマット２Ｃ）である場合、第２のパラメータを用いてＳＲＳの基準系列を生成する（ステップＳ２１０６）。さらに、第２のセットに基づいて、ＳＲＳのリソース割り当てを行なう（ステップＳ２１０７）。さらに、第２の送信電力制御に基づいてＳＲＳの送信電力をセットする（ステップＳ２１０８）。さらに、第２のホッピング帯域幅に基づいてＳＲＳの周波数ホッピングパターンを決定する（ステップＳ２１０９）。この時、第１のホッピング帯域幅と第２のホッピング帯域幅は、共有されてもよい。つまり、第１のホッピング帯域幅と第２のホッピング帯域幅はＳＲＳパラメータセット間で同じであってもよい。
【０２９８】
基地局１０１またはＲＲＨ１０３における上りリンク信号の受信電力制御を適切に行う、すなわち、端末１０２の送信電力制御を適切に行うことによって、基地局１０１またはＲＲＨ１０３で上りリンク信号を適切に復調・復号処理を行なうことができる。
【０２９９】
端末間の干渉を軽減するために、Ａ−ＳＲＳに周波数ホッピングを適用することによって、端末間のＳＲＳリソースが衝突する確率を減らし、基地局１０１およびＲＲＨ１０３の受信精度を向上させることができる。
【０３００】
端末Ａと端末Ｂから送信される上りリンク信号のリソースが互いに一部または全部重複している場合、各端末から送信される基準系列が異なれば、受信ポイント（基地局１０１またはＲＲＨ１０３）で復調・復号は可能である。しかし、受信ポイントで、各端末から送信された上りリンク信号の受信電力差が大きければ、受信ポイントは、たとえ、各端末から送信された上りリンク信号が異なる基準系列で設定されていたとしても受信電力が大きい上りリンク信号しか復調・復号することができない。そこで、周波数ホッピングを行なうことによって、各端末の上りリンク送信電力制御が適切に行われなかった場合でも周波数領域を端末間で分離することによって各端末から送信された上りリンク信号を復調・復号できるようにする。さらに、Ａ−ＳＲＳにおいては、送信タイミングをずらすことにより、リソースを時間領域で分離することによって各端末から送信された上りリンク信号を復調・復号できるようにする。
【０３０１】
また、端末Ａと端末Ｂから送信される上りリンク信号の基準系列が同じでリソースが重複している場合、受信ポイントにおいて、端末Ａと端末Ｂから送信された上りリンク信号を分離することはできず、互いに干渉源になる。
【０３０２】
各端末において適切な送信電力制御が行われていれば、基準系列を端末間で変えることによって、受信ポイント（基地局１０１、ＲＲＨ１０３）においてそれぞれの上りリンク信号を検出することができる。つまり、適切な送信電力制御および適切な系列制御を行なうことによって、受信ポイントにおける上りリンク信号の検出精度を向上することができる。
【０３０３】
さらに、端末１０２は、上りリンク信号（ＰＵＳＣＨやＡ−ＳＲＳ）を送信するポイントをダイナミックに切り替える場合、上りリンク信号を送信するサブフレームに従って、周波数ポジションを変える周波数ホッピングを行なって、送信する。特に、Ａ−ＳＲＳは、ポジティブＳＲＳリクエストが検出されたＤＣＩフォーマットの種類に応じて、異なる周波数ホッピングパターンが設定されてもよい。
【０３０４】
また、上記各実施形態において、端末１０２は、複数のＳＲＳが同一シンボルで一部またはすべてのリソースが重複する場合において、複数のＳＲＳそれぞれの基準系列または基準系列に使用されるパラメータが異なる場合、同一シンボルで複数のＳＲＳを送信してもよい。また、端末１０２は、同一シンボルで複数のＳＲＳを送信時に、複数のＳＲＳの送信電力の合計が端末１０２に設定された最大送信電力を超える場合、最大送信電力以下になるように各ＳＲＳの送信電力をスケーリングし、送信する。ただし、複数のコンポーネントキャリアにおいて、ＰＵＳＣＨまたはＰＵＣＣＨまたはＰＲＡＣＨと複数のＳＲＳの送信タイミングが同じで、複数の上りリンク物理チャネルの送信電力の合計が端末１０２に設定された最大送信電力を超える場合、ＰＵＳＣＨまたはＰＵＣＣＨまたはＰＲＡＣＨの送信を優先する。つまり、この場合、端末１０２は、複数のＳＲＳを送信しないように制御する。
【０３０５】
また、端末１０２は、複数のＳＲＳが同じシンボル（ＳＲＳシンボル）で一部またはすべてのリソースが重複する場合において、複数のＳＲＳそれぞれの基準系列または基準系列に使用されるパラメータが同じ場合、基準系列または基準系列に使用されるパラメータによらず、Ａ−ＳＲＳの送信を優先する。つまり、この場合、端末１０２は、Ｐ−ＳＲＳを送信しないように制御する。
【０３０６】
上記各実施形態において、端末１０２は、同一サブフレームにおいて受信したＤＣＩフォーマットからＳＲＳに対する複数のＴＰＣコマンドを検出した場合、それぞれのＴＰＣコマンドに基づいて、ＳＲＳの送信電力制御を行なう。例えば、上りリンクグラントと下りリンクアサインメントからそれぞれＳＲＳに対するＴＰＣコマンドを検出した場合、それぞれのＴＰＣコマンドに対応したアキュムレート送信電力制御を行なう。つまり、端末１０２は、ＳＲＳに対して独立したアキュムレート送信電力制御を行なっている場合、それぞれのアキュムレート送信電力制御に対応したＴＰＣコマンドを検出すると、そのＴＰＣコマンドによって得られる電力補正値をそれぞれの送信電力制御に反映する。
【０３０７】
また、上記各実施形態において、基地局１０１および／またはＲＲＨ１０３は、ＳＲＳのパラメータに関する設定情報を含むＲＲＣ信号を端末１０２へ送信する。また、基地局１０１および／またはＲＲＨ１０３は、ＳＲＳの送信電力制御に関する情報を含むＲＲＣ信号を端末１０２へ送信する。また、端末１０２は、受信したＤＣＩフォーマットからＳＲＳリクエストを検出し、ＳＲＳの送信要求が指示されているか否かを判定する。端末１０２は、ＳＲＳリクエストがＳＲＳの送信要求を指示している、ポジティブＳＲＳリクエストを検出した場合には、ＳＲＳを基地局１０１またはＲＲＨ１０３へ送信する。
【０３０８】
なお、上記各実施形態では、上りリンク電力制御に関するパラメータの設定は送信電力パラメータセットや送信電力制御パラメータセット、電力制御パラメータセットと呼称される場合がある。
【０３０９】
上記各実施形態では、セルＩＤを上位層から通知されるパラメータ（parameter）と呼称する場合がある。つまり、第１のセルＩＤは第１のパラメータと呼称し、第２のセルＩＤは第２のパラメータと呼称し、第３のセルＩＤは第３のパラメータと呼称し、第ｎのセルＩＤは第ｎのパラメータと呼称してもよい。また、セルＩＤを物理量（quantity）と呼称する場合がある。また、セルＩＤを基準系列識別子（ＢＳＩ：Base Sequence Identity, Base Sequence Index）と呼称する場合がある。また、セルＩＤをセル識別子と呼称する場合がある。また、セルＩＤを物理セルＩＤ（ＰＣＩ：Physical layer Cell Identity）と呼称する場合がある。また、セルＩＤを端末固有セルＩＤと呼称する場合がある。また、セルＩＤを仮想セルＩＤ（ＶＣＩ：Virtual Cell ID）と呼称する場合がある。また、フィールドを制御情報、制御情報フィールド、情報、情報フィールド、ビットフィールド、情報ビット、情報ビットフィールドなどと呼称する場合がある。また、上述のセルＩＤは、Ａ−ＳＲＳとＰ−ＳＲＳでそれぞれセットされてもよい。
【０３１０】
なお、上記各実施形態では、情報データ信号、制御情報信号、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プリコーディング処理されたＲＳを用いて復調する場合について説明し、プリコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ（Ｎｏｎ−ｐｒｅｃｏｄｅｄ）  ＲＳを用い、ポートとしては、プリコーディング処理後の出力端と等価であるポートあるいは物理アンテナ（あるいは物理アンテナの組み合わせ）と等価であるポートを用いることができる。
【０３１１】
なお、上記各実施形態では、上りリンク送信電力制御とは、上りリンク物理チャネル（ＰＵＳＣＨ、ＰＵＣＣＨ、ＰＲＡＣＨ、ＳＲＳ）の送信電力制御のことであり、送信電力制御とは、種々の上りリンク物理チャネルの送信電力の計算に使用する種々のパラメータの切り替えまたは（再）設定を含んでいる。
【０３１２】
なお、上記各実施形態では、基地局１０１と端末１０２とＲＲＨ１０３からなる下りリンク／上りリンク協調通信について説明したが、２つ以上の基地局１０１と端末１０２からなる協調通信、２つ以上の基地局１０１とＲＲＨ１０３と端末１０２からなる協調通信、２つ以上の基地局１０１またはＲＲＨ１０３と端末１０２からなる協調通信、２つ以上の基地局１０１と２つ以上のＲＲＨ１０３と端末１０２からなる協調通信、２つ以上の送信ポイント／受信ポイントからなる協調通信においても適用可能である。また、異なるセルＩＤを有する基地局１０１（複数の基地局）からなる協調通信においても適用可能である。また、異なるセルＩＤを有する基地局１０１およびＲＲＨ１０３からなる協調通信においても適用可能である。また、異なるセルＩＤを有するＲＲＨ１０３（複数のＲＲＨ）からなる協調通信においても適用可能である。つまり、上述する協調通信は、複数の基地局１０１、複数の端末１０２、複数のＲＲＨ１０３から構成される通信システムにおいても適用可能である。また、上述する協調通信は、複数の送信点および複数の受信点から構成される通信システムにおいても適用可能である。また、それらの送信点および受信点は、複数の基地局１０１、複数の端末１０２、複数のＲＲＨ１０３から構成されてもよい。また、上記各実施形態では、パスロスの計算結果から端末１０２が基地局１０１またはＲＲＨ１０３に近い方（パスロスが小さい方）に適した上りリンク送信電力制御を行われることについて説明したが、パスロスの計算結果から端末１０２が基地局１０１またはＲＲＨ１０３のうち遠い方（パスロスが大きい方）に適した上りリンク送信電力制御を行われることについても同様の処理を行うことができる。
【０３１３】
なお、上記各実施形態では、基地局１０１およびＲＲＨ１０３は、下りリンクの送信点であり、上りリンクの受信点である。また、端末１０２は、下りリンクの受信点であり、上りリンクの送信点である。
【０３１４】
なお、上記各実施形態において、ＳＲＳに対するＴＰＣコマンドによる電力補正値は、ＰＵＳＣＨと同じ電力補正値のテーブルから決定されてもよい。また、ＳＲＳに対するＴＰＣコマンドによる電力補正値は、ＰＵＣＣＨと同じ電力補正値のテーブルから決定されてもよい。また、ＳＲＳに対するＴＰＣコマンドによる電力補正値は、ＰＵＳＣＨおよびＰＵＣＣＨところなる電力補正値のテーブルから決定されてもよい。つまり、ＰＵＳＣＨ、ＰＵＣＣＨ、ＳＲＳは独立なテーブルに基づいてＴＰＣコマンドによる電力補正値を決定してもよい。
【０３１５】
なお、上記各実施形態における通信システムは、基地局１０１、ＲＲＨ１０３（Remote Radio Head）、および端末１０２を備える。ここで、基地局１０１は、マクロ基地局、第１の基地局装置、送信装置、セル、送信点、送信アンテナ群、送信アンテナポート群、受信アンテナポート群、受信点、第１の通信装置、コンポーネントキャリア、ｅＮｏｄｅＢ、送信ポイント、受信ポイント、ポイント、送受信ポイント、参照点、参照ポイントと呼称される場合がある。ＲＲＨ１０３は、リモートアンテナ、分散アンテナ、第ｎ（ｎは整数）の基地局、送信装置、セル、送信点、送信アンテナ群、送信アンテナポート群、受信点、第ｎ（ｎは整数）の通信装置、コンポーネントキャリア、ｅＮｏｄｅＢ、送信ポイント、受信ポイント、ポイント、送受信ポイント、参照点、参照ポイントと呼称される場合がある。端末１０２は、端末装置、移動端末、移動局、受信点、受信端末、受信装置、第ｍ（ｍは整数）の通信装置、送信アンテナポート群、送信点、受信アンテナ群、受信アンテナポート群、ＵＥ、送信ポイント、受信ポイント、ポイント、送受信ポイントと呼称される場合がある。
【０３１６】
本発明に関わる基地局１０１および端末１０２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０３１７】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１０１および端末１０２の一部、または全部を典型的には集積回路であるＬＳＩとして実現してもよい。基地局１０１および端末１０２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０３１８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０３１９】
本発明は、無線基地局装置や無線端末装置や無線通信システムや無線通信方法に用いて好適である。
【符号の説明】
【０３２０】
１０１、２００１、２２０１、２３０１、２４０１  基地局
１０２、２００２、２００４、２２０２、２２０３、２３０４、２４０４  端末
１０３、２００３、２３０２、２４０２  ＲＲＨ
１０４、２３０３、２４０３  回線
１０５、１０７、２２０４、２２０５、２３０５、２３０６  下りリンク
１０６、１０８、２００５、２００６、２００７、２００８、２４０５、２４０６  上りリンク
３０１  上位層処理部
３０３  制御部
３０５  受信部
３０７  送信部
３０９  チャネル測定部
３１１  送受信アンテナ
３０１１  無線リソース制御部
３０１３  ＳＲＳ設定部
３０１５  送信電力設定部
３０５１  復号化部
３０５３  復調部
３０５５  多重分離部
３０５７  無線受信部
３０７１  符号化部
３０７３  変調部
３０７５  多重部
３０７７  無線送信部
３０７９  下りリンク参照信号生成部
４０１  上位層処理部
４０３  制御部
４０５  受信部
４０７  送信部
４０９  チャネル測定部
４１１  送受信アンテナ
４０１１  無線リソース制御部
４０１３  ＳＲＳ制御部
４０１５  送信電力制御部
４０５１  復号化部
４０５３  復調部
４０５５  多重分離部
４０５７  無線受信部
４０７１  符号化部
４０７３  変調部
４０７５  多重部
４０７７  無線送信部
４０７９  上りリンク参照信号生成部
２３０１、２４０１  マクロ基地局
【図１】
2013236289.tif 000044
【図２】
2013236289.tif 000045
【図３】
2013236289.tif 000046
【図４】
2013236289.tif 000047
【図５】
2013236289.tif 000048
【図６】
2013236289.tif 000049
【図７】
2013236289.tif 000050
【図８】
2013236289.tif 000051
【図９】
2013236289.tif 000052
【図１０】
2013236289.tif 000053
【図１１】
2013236289.tif 000054
【図１２】
2013236289.tif 000055
【図１３】
2013236289.tif 000056
【図１４】
2013236289.tif 000057
【図１５】
2013236289.tif 000058
【図１６】
2013236289.tif 000059
【図１７】
2013236289.tif 000060
【図１８】
2013236289.tif 000061
【図１９】
2013236289.tif 000062
【図２０】
2013236289.tif 000063
【図２１】
2013236289.tif 000064
【図２２】
2013236289.tif 000065
【図２３】
2013236289.tif 000066
【図２４】
2013236289.tif 000067